(57)【要約】【課題】強化されたＰＶＲ関連機能を提供する双方向テレビ・アプリケーションをテレビ・システム上で実現すること。【解決手段】機能強化されたパーソナルビデオレコーダ（ＰＶＲ）及び双方向テレビ番組ガイド機能を提供する方法及びシステムが提供される。本アプリケーションは、ＰＶＲ録画リストの表示、ＰＶＲに対する録画予約、録画の設定、録画予約リストを見る、録画条件の設定、又は、録画に対する消去優先度設定の選択に用いられると共に、ペイ・パー・ビュー及びＰＶＲ機能を一体化し、ＰＶＲの録画コンテンツに対して行われる変更についてユーザに通知を送る。ライブの番組は、新しい番組ごとに作成されるストレート・バッファを用いて、本アプリケーションによりバッファされる。並行する番組の並列バッファが複数のチューナを用いて実現される。テレビ・コンテンツは、ユーザが本アプリケーションを使用し始めると、自動的に一時停止される。【選択図】図１
2014064317.tif 000002
【特許請求の範囲】
【請求項１】
本明細書に記載の方法。
【発明の詳細な説明】
【技術分野】
【０００１】
本発明は、双方向テレビ番組ガイド（「ＩＰＧ」）システム及びパーソナルビデオレコーダ（「ＰＶＲ」）システムに係り、特に、エンハンストＰＶＲ−ＩＰＧ機能に関する。
【背景技術】
【０００２】
今日、双方向テレビ番組ガイド・システムなどの双方向テレビ・システムは、幅広く一般大衆に市販されている。双方向テレビ番組ガイド・システムを用いると、ユーザがチャンネルを番組に合わせることを可能にするサービス、ユーザがペアレンタル・ロックをセットすることを可能にするサービス、ユーザが番組を録画することを可能にするサービス、ユーザがリマインダをセットすることを可能にするサービス、などの双方向テレビサービスを提供することができる。双方向番組ガイド・システムの一例は、例えば、Ｋｎｅｅらの米国特許第５、５８９、８９２号や１９９９年７月１６日に出願されたＫｎｕｄｓｏｎらの米国特許出願第０９／３５７、９４１号などに記載されており、これらはここに参考文献としてその全体が組み込まれる。
【０００３】
近年、ＴｉｖｏやＲｅｐｌａｙＴＶなどの会社によって供給されたＰＶＲなどのＰＶＲが入手可能になっている。これらシステム及び装置を用いると、ハードディスクなどのディジタル媒体上にテレビ番組を録画するサービスなどの双方向テレビサービスを提供することができる。既知のシステムの１つにおいて、ＰＶＲは、ＭＰＥＧエンコーダを用いて、テレビ放送をディジタル化し、このディジタル化されたテレビ放送を後で検索するためにハードディスク・ドライブ上に記憶することができる。このようなシステムでは、ディジタル化された放送を、テレビ上に表示するためのアナログＮＴＳＣ信号に変換することができる。
【発明の概要】
【発明が解決しようとする課題】
【０００４】
従来のＰＶＲでは、ユーザが見ているテレビ放送を一時停止、巻き戻し、又は再生できるように、通常、番組バッファが用いられる。ＰＶＲバッファは、通常、ユーザが見た番組の最後の「ｎ」分間を記憶するサーキュラ・バッファである。このバッファリング技術の１つの欠点は、このバッファでは、ユーザは、現在合わせられているチャンネル（最後に合わせられたため）についてだけ、最後の「ｎ」分間のみしか一時停止又は巻き戻しできないことである。
【０００５】
また、従来のＰＶＲシステムは、ユーザがテレビ・コンテンツを録画することを選択可能にする機能などの他の機能も提供できる。このようなシステムでは、通常、生放送の（ライブ）番組は、ユーザが該番組の録画をリクエストした時点から録画される。このシステムの１つの欠点は、以前にバッファされたライブ番組の一部が通常無視されることである。
【０００６】
このようなシステムにおいて、双方向テレビサービスは、通常、グラフィックス表示を通じてユーザに提供される。このようなシステムの１つの欠点は、グラフィックス表示により、望ましくないことに、ユーザが視聴中のライブのテレビ・コンテンツを見逃すかもしれないことである。
【０００７】
既知のＰＶＲシステムの別の欠点は、それらシステムは、通常、ペイ・パー・ビューテレビ番組をサポートしていないことである。今日、ペイ・パー・ビュー（「ＰＰＶ」）テレビ番組は、ケーブルテレビサービス事業者を通じて幅広く利用可能であるが、通常、録画を予約したり、他の種類のＰＶＲ関連機能を提供したりするＰＶＲによってはサポートされていない。
【０００８】
上記及び他の欠点を軽減し、追加的機能性をテレビ視聴者に提供しつつ、このようなシステムの使用を簡素化するための、これらＩＰＧ及び／又はＰＶＲシステムに対する改善が望まれる。したがって、パーソナルビデオレコーダ機能を備えた新しい双方向番組ガイド・システム及び方法が提供される。
【課題を解決するための手段】
【０００９】
本発明の原理によれば、強化されたＰＶＲ関連機能を提供する双方向テレビ・アプリケーションが、テレビ・システム上で実現される。
【００１０】
ＰＶＲ及びセットトップ・ボックスの番組ガイド機能、機能性、及び、情報を統合した双方向テレビ・アプリケーションが実現される。例えば、ケーブル・セットトップ・ボックス上で動く双方向テレビ番組ガイドなどの双方向テレビ番組ガイドにおいてＰＶＲ機能、機能性、及び、情報を提供する双方向テレビ・アプリケーションが実現される。このような特徴を統合した他の構成が用いられてもよい。
【００１１】
本双方向テレビ・アプリケーションは、番組一覧表オプション、ビデオ・オン・デマンド・オプション、ペイ・パー・ビュー（ＰＰＶ）オプション、又は、現在の天気オプションなどの双方向サービスを行うオプションを含むメインメニュ・ディスプレイ画面を表示する。メインメニュ・ディスプレイ画面は、録画オプション、録画予約オプション、及び、消去優先度オプションなどのＰＶＲ関連オプションを含む。
【００１２】
ユーザが録画オプションを選択すると、録画ディスプレイ画面が表示される。この録画ディスプレイ画面は、ＰＶＲから利用可能な録画の一覧表を含む。この録画一覧表に含まれる番組は、ＰＶＲによって手動で又は自動的に録画された番組である。このディスプレイ画面におけるリストは選択可能であり、選択すると、ユーザは、選択されたリストに関連する情報及び／又はオプションにアクセスすることができる。録画リストにアクセスするのに他の技術が提供されてもよい。
【００１３】
ユーザがメインメニュ・ディスプレイ画面から録画予約オプションを選択すると、録画予約ディスプレイ画面が表示される。録画予約ディスプレイ画面にアクセスするのに他の技術が用いられてもよい。録画予約ディスプレイ画面は、（例えば、ＰＶＲによる録画が予定された）録画予約された番組の一覧表を含む。この一覧表上の番組は、自動的に又は手動で録画されることが予約されたものである。自動的に録画予約された又は自動的に録画された番組は、本双方向テレビ・アプリケーションがユーザ・プリファレンスなどの何らかの基準に基づいて録画するように選択した番組である。手動で録画された又は手動で録画予約された番組は、ユーザが具体的に録画することを選択した番組である。また、ユーザによって録画することが選択されたシリーズ記録も、手動録画であると考えることができる。録画予約ディスプレイ画面におけるリストは選択可能であり、選択すると、ユーザは、選択された番組リストと関連する情報及び／又はオプションにアクセスすることができる。シリーズ録画に関する情報は、録画予約ディスプレイ画面を通じてアクセスできる。
【００１４】
本双方向テレビ・アプリケーションにより、ユーザは、番組一覧表画面、ブラウズ・オーバーレイ、フリップ・オーバーレイ、視聴中の番組の映像、広告、又は、他の適切な場所から、単発の及び／又はシリーズの録画を予約及びキャンセルできる。シリーズ録画は、ある番組シリーズの一連のエピソードを予約及び録画するのに用いられる。ユーザには、エピソード種類（例えば、封切、再放送、等）及び／又はチャンネルに基づいて、シリーズ録画を設定する機会が与えられる。
【００１５】
本双方向テレビ・アプリケーションは、ユーザに、録画予約された番組の周辺での録画バッファを設定する機会を与える。また、ユーザは、録画の記録品質も選択することができる。本双方向テレビ・アプリケーションにより、ユーザは、番組ガイドの実際的にあらゆるところから録画を予約することができる。例えば、録画は、番組一覧表バー、番組情報ディスプレイ画面、広告ディスプレイ画面、又は、番組ガイドにおける他の適切なところから予約することができる。
【００１６】
本双方向テレビ・アプリケーションにより、ユーザは、ＰＰＶ番組を録画及び録画予約することができる。本双方向テレビ・アプリケーションは、ユーザが録画予約したＰＰＶ番組を自動的に注文できる。ユーザは、ＰＰＶ番組を録画予約すると、そのＰＰＶ番組を購入するように促される。ユーザは、録画品質や録画バッファ時間などのＰＰＶ番組用の録画設定条件を選択することができる。
【００１７】
本双方向テレビ・アプリケーションは、一時停止、早送り、巻き戻し、停止、再生、及び、録画、などの録画済番組を見るためのＶＣＲ機能を提供する。ライブ・コンテンツを一時停止すると、本双方向テレビ・アプリケーションは、一時停止されたテレビ・コンテンツの映像と、この一時停止された映像がライブ・コンテンツに対してどのくらい遅れているかを示すタイマとを表示する。再生オプション、巻き戻しオプション、早送りオプション、及び、録画オプションなどの番組フロー制御オプションも表示される。
【００１８】
必要に応じて、テレビ番組は、双方向テレビ・アプリケーション・ディスプレイ画面やオーバーレイなどのグラフィックスを録画の一部として含めずに、録画されてもよい。必要に応じて、テレビ番組は、ユーザが録画中に選択した音量設定の変更を録画に含めずに、録画されてもよい。
【００１９】
本双方向テレビ・アプリケーションは、ユーザとの相互作用中の適切なところで、様々なＰＶＲ関連のオーバーレイを表示できる。例えば、録画がキャンセルされたとき、番組の録画が開始されたとき、録画が完了したとき、又は、他のイベントが発生したとき、などにオーバーレイが表示される。ユーザは、進行中の録画をキャンセルすることができる。例えば、ユーザは、リモコンの録画ボタンを押すことによって、又は、リモコン・ボタンを押して現在のチャンネルを変えることによって、録画をキャンセルすることができる。必要に応じて、ユーザが録画のキャンセルを肯定的に承認しない限り、ユーザは現在のチャンネルを変えることができないようにしてもよい。
【００２０】
本双方向テレビ・アプリケーションは、ユーザに、予約された録画が開始しようとしていることのリマインダをユーザに提供することができる。リマインダは、録画予約開始前の所定の時点で表示される。このリマインダは、録画予約された番組のタイトルを含む。ユーザには、例えばリマインダ・オーバーレイにおいて特定の項目を選択することによって、その番組が録画されるべきであることを承認する機会が与えられる。
【００２１】
本双方向テレビ・アプリケーションにより、ユーザは、録画に対する消去優先度設定をセットできる。ユーザは、特定の番組に対して消去優先度設定をセットすることができる。ユーザは、包括的な消去優先度設定をセットすることもできる。本双方向テレビ・アプリケーションは、個々の録画が消去される順序を編集するためのユーザが選択可能なオプションを提供する。消去優先度順序は、番組種類又は放送種類に基づいて、録画に対して包括的にセットされる。消去優先度順序は、シリーズ録画の間にセットされる。所定期間後及び番組視聴後に録画を消去するオプションも利用可能である。
【００２２】
ＰＶＲ情報及び機能に関して複数の番組ガイドを提供する双方向テレビ・アプリケーションが実現される。各番組ガイドは、例えば、世帯内の異なるユーザに対応する。特定のユーザに関連する情報は、そのユーザに対応した番組ガイドがアクセスされたときに、表示及び／又は更新される。この番組ガイドは、ユーザごとに異なるやりとりを行うように構成されてもよい。あるユーザについての録画一覧表及び／又は録画予約一覧表は、各自自分の番組ガイドを利用している他のユーザは利用できない。現在のユーザを識別するために、本双方向テレビ・アプリケーションは、ユーザに、自分の番組ガイドにログインすることを要求する。必要に応じて、ユーザは、ＰＶＲ関連機能及び／又情報にアクセスしようとする際にログインすることが要求されてもよい。各ユーザは、自分の番組ガイドを用いて、異なる番組を録画するように選択することができる。ＰＶＲは、ユーザの選択に基づいて、番組を録画する。録画は、いずれのユーザが現在本システムにログインしているかにかかわらず、実行される。ユーザは、自分の録画一覧表から録画を削除することができる。本双方向テレビ・アプリケーションは、ユーザが消去するように選択した録画に関連した情報を消去する。録画に関連した情報を消去すると、そのユーザの録画一覧表からその録画が消去される。本双方向テレビ・アプリケーションは、ユーザの選択に基づいて、ＰＶＲから番組を消去する。ある録画が１以上のユーザに関連付けられている場合、その録画に関連付けられたすべてのユーザがその番組を消去するように選択したときに、本双方向テレビ・アプリケーションはその録画を消去できる。
【００２３】
ＰＶＲユーザは、ストレージ装置内の録画コンテンツに対して行われる変更について知らされる。通知は、ある番組が録画されようとしている又は消去されようとしていることをユーザに知らせるために送信される。番組ガイドが複数ある環境において、通知は、行われようとしている変更に関係があるユーザに送られる。この通知は、ユーザに、行われようとしている変更を承認又はキャンセルする機会を与える。この通知は、例えば、番組ガイド・オーバーレイを通じて、電子メールを用いて、或いは、他の適切な技術を用いて、送られる。通知は、ユーザによって以前に録画するように選択されたある番組が録画されようとしていることを該ユーザに知らせることができる。通知は、自動的に録画が選択された（例えば、ユーザ・プリファレンスに基づいて）番組が録画されようとしていることをユーザに知らせることができる。通知は、ユーザが選択した消去優先度設定に基づいてある番組が消去されようとしていることを該ユーザに知らせることができる。通知は、自動消去設定に基づいてある番組が録画されようとしていることを該ユーザに知らせることができる。
【００２４】
本双方向テレビ・アプリケーションは、ＰＶＲ上に現在記憶されている番組の総合リストを維持する。このリストは、録画されたすべての番組を含む。このリストは、（自動的に又は手動で）消去されたが、依然としてＰＶＲの記憶媒体から利用可能である番組を含む。例えば、一例として、録画を消去すると、ＰＶＲから録画の映像が実際には消去せずに、その録画に関する特定の情報のみが消去されてもよい。
【００２５】
番組を再録画しないように、本双方向テレビ・アプリケーションは、番組の総合リストをチェックし、録画するように選択された番組が既にＰＶＲから利用可能なものであるか否かを判断する。本双方向テレビ・アプリケーションは、現在総合リスト上に存在する番組を録画しない。ＰＶＲ上に現在記憶されている番組は、選択された録画の代わりに用いることができる。必要に応じて、ユーザに、総合リストを編集する機会が与えられてもよい。ユーザは、総合リストから番組を永久に削除することもできる。
【００２６】
ＰＶＲなどのストレージ装置を用いて、記憶されたビデオ広告をユーザに提示することができる。ビデオ広告は、フルスクリーン映像又は縮小版映像を用いて、提示できる。ビデオ広告は、例えば、ユーザが番組ガイドとのやりとりしているときに提示される。広告の縮小版映像が、番組ガイド・ディスプレイ画面において提示されてもよい。ユーザが番組ガイド・ディスプレイ画面において縮小版映像を選択すると、その広告のフルスクリーン映像が提示されてもよい。例えば、ユーザが番組ガイドに入ったとき（例えば、ユーザがライブのテレビを見ている間にリモコンのガイド・ボタンを選択したとき）に、記憶されたビデオ広告が表示される。記憶されたビデオ広告は、ユーザに提示されているライブ・ビデオ広告と連結されていてもよい。記憶されたビデオ広告は、例えば、このライブ・ビデオが提示された後で、提示される。記憶されたビデオ広告は、ユーザ・プリファレンスなどの基準に基づいて提示されてもよい。記憶されたビデオ広告が表示されたとき、現在のテレビ・コンテンツはユーザのために一時停止されてもよい。記憶されたビデオ広告を、ライブ・テレビ広告と差し替えることもできる。
【００２７】
ＰＶＲなどのストレージ装置は、テレビ・コンテンツをバッファし、現在のテレビ・コンテンツの流れを制御し、他のアクションを取る機会をユーザに提供するのに用いられる。ユーザが新しいチャンネル又は番組に合わせると、ストレート・バッファが作成される。このストレート・バッファは、現在見ている番組をバッファするために用いられる。必要に応じて、現在の番組の残りを保持することに適したバッファ・サイズがそのバッファに割り当てられてもよい。ユーザが新しい番組を見始めるたびに、本双方向テレビ・アプリケーションは、新しいバッファを作成する。バッファ用のスペースは、ストレージ装置上で利用可能な空きスペースを割り当てることによって、既存のバッファ（例えば、最も古い現存バッファ）を消去することによって、或いは、既存のバッファの一部（例えば、最も古いバッファの最も古い部分）を消去することによって、割り当てることができる。必要に応じて、バッファのサイズは、必要に応じて徐々に増加されてもよい。
【００２８】
ユーザがある番組から離れて、再度戻ってきた場合、その番組のために作成されたバッファは、ユーザがチャンネルを変える前にバッファされた映像と、ユーザがその番組に戻ってきてからバッファされた映像とを結合できる。ユーザがチャンネルを変えていた前後のその番組の別々の部分は、これら２つの部分を連結することによって、これら２つの部分の間に空白映像を挿入することによって、これら２つの部分の間にテキストを挿入することによって、これら２つの部分の間に他のコンテンツを挿入することによって、或いは、これらの組み合わせによって、結合される。必要に応じて、これら２つの部分の間に挿入されるコンテンツは、これら部分の間の中断期間の長さに相当する持続時間を有してもよい。チューナが複数個ある環境においては、番組のバッファに、ユーザがチャンネルを変えていたために見逃した映像部分が含まれるようにできる。複数のチューナにより、ＰＶＲは異なる番組を並列にバッファすることができる。また、複数のチューナを用いれば、１つの番組を見ながら別の番組を録画できる、或いは、２以上の番組を同時に録画できる。
【００２９】
ユーザは、バッファを用いて番組の流れを制御できる。ユーザは、番組バッファから再生している番組を巻き戻すことができる。現在の番組を該番組の先頭へ巻き戻しているとき、ユーザが再度巻き戻しを選択すると、前の番組にスキップできる。番組の終わりに到達するために早送りを用いると、番組が再生を停止してもよく、或いは、バッファから次の番組が再生されてもよい。
【００３０】
現在の番組についてのバッファは、ユーザがその番組を録画するように選択したとき、録画の一部として用いることができる。バッファされている番組は、現在放送中のその番組の映像を録画すると共に、バッファされたその番組の以前の部分を保存することによって、録画することができる。本双方向テレビ・アプリケーションは、放送が終了した番組についてのバッファを保持しておくことができる。ユーザは、現在番組バッファに記憶されている番組一覧表を見ることができる。ユーザがその番組を録画するように選択すると、本双方向テレビ・アプリケーションは、番組のバッファを録画として保存する。その番組が終わった後でも、この選択は行うことができる。
【００３１】
ストレージ装置のストレージ・スペースは、自動的に又は手動で番組をバッファするのに割り当てられる。本双方向テレビ・アプリケーションは、ストレージ装置のストレージ・スペースの全部又は一部を番組をバッファするのに自動的に割り当てる。必要に応じて、バッファに用いられるトータルのサイズ、一度に使用可能なバッファ総数、各バッファのサイズ、及び、バッファが消去される頻度、をセットする機会がユーザに与えられてもよい。
【００３２】
本双方向テレビ・アプリケーションは、ユーザが本双方向テレビ・アプリケーションとやりとりしているとき、ユーザが見ているテレビ・コンテンツを自動的に一時停止する。ユーザが見ている現在のテレビ番組又はコマーシャルは、番組ガイド・ディスプレイ画面又は記憶されたビデオ広告が表示されたとき、一時停止される。テレビ・コンテンツは、ユーザが本双方向テレビ・アプリケーションとやりとりしている間、或いは、記憶されたビデオ広告を見ている間、一時停止されたままである。ユーザが本双方向テレビ・アプリケーションから出ると、このテレビ・コンテンツの表示が再開される。このテレビ・コンテンツの表示は、一時停止されたところから再開される。必要に応じて、本双方向テレビ・アプリケーションが、テレビ・コンテンツが自動的に一時停止されたところから再開されるべきか、或いは、現在の位置から再開されるべきか、を選択する機会をユーザに与えてもよい。
【００３３】
他のＰＶＲ関連機能も提供される。本双方向テレビ・アプリケーションは、録画予約の状態に基づいて変化する録画予約アイコンを表示する。本双方向テレビ・アプリケーションにより、ユーザは、キーワードによる録画を作成することができる。本双方向テレビ・アプリケーションにより、ユーザは、番組に対して録画優先度を設定することができる。録画優先度設定は、例えば、「見逃せない」優先度、「できれば見逃したくない」優先度、「望ましくは見逃したくない」優先度、又は、「スペースが空いていれば録画したい」優先度、などのあらゆる適切な録画優先度を含む。ユーザにその中から選べる３以上の異なる録画優先度レベルを提供すると、ユーザはより柔軟に自分の録画プリファレンスを設定することができる。本双方向テレビ・アプリケーションは、ブラウズ・オーバーレイ、番組一覧表ディスプレイ画面、又は、他の一覧表画面内に、録画済番組を表示す。録画済番組は、周期的に予定された番組の中にリストアップされる。
【００３４】
本双方向テレビ・アプリケーションは、ＰＶＲ上のどのくらいのメモリが利用可能であるかを示すと共に、各録画優先度レベルにおいてどのくらいのメモリが利用可能であり、現在の録画設定に基づくとメモリはいつ足りなくなるかを具体的に示す。
【００３５】
再生制御は、番組を異なる速度で早送り及び巻き戻しする際に用いられる。異なるスピードの範囲は、例えば、様々なスローモーション速度から様々な早送り速度までの範囲を含む。本双方向テレビ・アプリケーションにより、ユーザは、ＶＯＤ番組の録画を予約することができる。本双方向テレビ・アプリケーションは、ＶＯＤ番組が録画される時間を候補を提案する。本双方向テレビ・アプリケーションは、録画の重複を回避するために、現在の録画予約及びリマインダに基づいて、ＶＯＤ番組を録画する時間を提案する。ＶＯＤ又はＰＰＶ番組がコピープロテクトされたものとしてマークしてある場合、本双方向テレビ・アプリケーションは、ユーザがそのコピープロテクトされた番組に対して録画を予約できるか否かを制限できる。
【００３６】
ＶＯＤ及びＰＰＶ番組は、使用態様に応じて異なる料金を持つように値付けすることができる。例えば、ある番組を視聴する際の料金と、ある番組を録画する際の料金と、ある録画を再生する度に掛かる料金とがそれぞれ異なってもよい。また、双方向テレビ・アプリケーションは、普通のコンテンツのペイ・パー・レコーディング（有料録画）及びペイ・パー・プレイ（有料再生）をサポートすることもできる。また、双方向テレビ・アプリケーションは、ユーザがリモート・サーバ上で利用しているストレージ・スペースの量に応じて録画スペースに対する料金を支払う（例えば、リモート・サーバにおいてユーザの個人的な映像を記憶しているストレージ量に対して料金を支払う）システムをサポートすることもできる。
【００３７】
ローカルに記憶・表示されるテレビ広告及び他のコンテンツにプッシュする双方向テレビ・アプリケーションが実現される。
【００３８】
本双方向テレビ・アプリケーションにより、ユーザは、時間、日付、チャンネル、及び、録画時間を指定することによって、手動録画をセットすることができる。本双方向テレビ・アプリケーションがこの手動録画に合致するデータを特定すると、この手動録画は、番組ベースの録画（単発録画）に変換される。
【００３９】
本双方向テレビ・アプリケーションにより、ユーザは、録画済番組を編集することができる。編集機能には、録画から一部を削除すること、録画からコマーシャルを削除すること、録画済番組を結合すること、録画の再生リストを作成すること、又は、迅速な参照のために録画済番組内の位置にマークを付けること、などの適切な編集機能が含まれる。
【図面の簡単な説明】
【００４０】
【図１】本発明の一実施形態に係る双方向テレビ番組ガイド・システムの一例を示す図である。
【図２Ａ】本発明に係るユーザ・テレビ装置の一例を示す図である。
【図２Ｂ】本発明の一実施形態に係るパーソナルビデオレコーダが一体化されたセットトップ・ボックスを含むユーザ装置の一例を示す図である。
【図２Ｃ】録画されたコンテンツを記憶するリモート・サーバを備えた本発明の一実施形態に係るユーザ装置の一例を示す図である。
【図３】本発明の一実施形態に係るリモコンを示す図である。
【図４】本発明の一実施形態に係るメインメニュ・ディスプレイ画面からＰＶＲ関連番組ガイド機能へのアクセスを可能にする複数の工程を含むプロセスの一例を示す図である。
【図５】本発明の一実施形態に係るメインメニュ・ディスプレイ画面の一例を示す図である。
【図６】本発明の一実施形態に係る番組録画の選択及び設定を可能にするプロセスの一例を示す図である。
【図７】本発明の一実施形態に係る検索番組一覧表ディスプレイ画面の一例を示す図である。
【図８】ユーザが録画することを選択した非ＰＰＶ及び非ＶＯＤ番組についての本発明の一実施形態に係る番組情報ディスプレイ画面の一例を示す図である。
【図９】本発明の一実施形態に係る非ＰＰＶ及び非ＶＯＤ番組用の番組録画セットアップ・ディスプレイ画面の一例を示す図である。
【図１０】本発明の一実施形態に係るシリーズ録画セットアップ・ディスプレイ画面の一例を示す図である。
【図１１】本発明の一実施形態に係るシリーズ録画一覧表ディスプレイ画面の一例を示す図である。
【図１２】本発明の一実施形態に係るキーワードベース録画ディスプレイ画面の一例を示す図である。
【図１３】本発明の一実施形態に係るスポーツ一覧表ディスプレイ画面の一例を示す図である。
【図１４】本発明の一実施形態に係るチャンネル別一覧表ディスプレイ画面の一例を示す図である。
【図１５】本発明の一実施形態に係る時間別一覧表ディスプレイ画面の一例を示す図である。
【図１６】現在の映像上で表示される本発明の一実施形態に係るブラウズ又はフリップ・オーバーレイの一例を示す図である。
【図１７】本発明の一実施形態に係るＰＶＲデフォルト・セットアップ・オプションの設定を可能にするプロセスの一例を示す図である。
【図１８】本発明の一実施形態に係るＰＶＲセットアップ・ディスプレイ画面の一例を示す図である。
【図１９】本発明の一実施形態に係るチャンネル別／種類別前後バッファ時間ディスプレイ画面の一例を示す図である。
【図２０】本発明の一実施形態に係るチャンネル別／種類別録画品質ディスプレイ画面の一例を示す図である。
【図２１】本発明の一実施形態に係るバッファ時間重複ディスプレイ画面の一例を示す図である。
【図２２】本発明の一実施形態に係る優先度レベル情報ディスプレイ画面の一例を示す図である。
【図２３】本発明の一実施形態に係るＰＰＶ番組録画の選択及び設定を可能にするプロセスの一例を示す図である。
【図２４】本発明の一実施形態に係るＰＰＶ番組関連情報ディスプレイ画面の一例を示す図である。
【図２５】本発明の一実施形態に係るＰＰＶ番組録画予約設定用のＰＰＶ録画セットアップ・ディスプレイ画面の一例を示す図である。
【図２６】本発明の一実施形態に係るＶＯＤ番組録画の選択及び設定を可能にするプロセスの一例を示す図である。
【図２７】本発明の一実施形態に係るＶＯＤ番組情報ディスプレイ画面の一例を示す図である。
【図２８】本発明の一実施形態に係るＶＯＤ番組録画予約設定用のＶＯＤ録画セットアップ・ディスプレイ画面を示す図である。
【図２９】番組録画中に利用可能な本発明の一実施形態に係るプロセスの一例を示す図である。
【図３０】現在の番組映像上に表示される本発明の一実施形態に係る録画開始オーバーレイの一例を示す図である。
【図３１】現在の番組映像上に表示される本発明の一実施形態に係る録画キャンセル・オーバーレイの一例を示す図である。
【図３２】現在の番組映像上に表示される本発明の一実施形態に係る録画完了オーバーレイの一例を示す図である。
【図３３】現在のチャンネルの現在の番組映像上に表示される本発明の一実施形態に係るライブ制御オーバーレイの一例を示す図である。
【図３４】現在の番組映像上に表示される本発明の一実施形態に係る録画リマインダ・オーバーレイの一例を示す図である。
【図３５】本発明の一実施形態に係る録画情報ディスプレイ画面の表示を可能にするプロセスの一例を示す図である。
【図３６】本発明の一実施形態に係るＰＶＲ録画一覧表ディスプレイ画面の一例を示す図である。
【図３７】本発明の一実施形態に係る特定の番組録画についての録画済番組情報ディスプレイ画面の一例を示す図である。
【図３８】本発明の一実施形態に係る番組消去優先度セットアップ・ディスプレイ画面の一例を示す図である。
【図３９】録画された番組の映像上に表示される本発明の一実施形態に係るＰＶＲ再生映像オーバーレイの一例を示す図である。
【図４０】番組映像上に表示される本発明の一実施形態に係るメッセージ・オーバーレイの一例を示す図である。
【図４１】録画された番組の再生中に番組ガイド・オプションへのアクセスを可能にする本発明の一実施形態に係るプロセスの一例を示す図である。
【図４２】本発明の一実施形態に係る録画予約情報ディスプレイ画面の表示を可能にするプロセスの一例を示す図である。
【図４３】本発明の一実施形態に係る録画予約一覧表ディスプレイ画面の一例を示す図である。
【図４４】本発明の一実施形態に係る録画中の現在のＰＰＶ番組についてのＰＰＶ番組情報のディスプレイ画面の一例を示す図である。
【図４５】本発明の一実施形態に係る録画予約された将来のＰＰＶ番組についてのＰＰＶ番組情報のディスプレイ画面の一例を示す図である。
【図４６】本発明の一実施形態に係るＰＰＶ録画予約設定変更用の録画セットアップ・ディスプレイ画面の一例を示す図である。
【図４７】本発明の一実施形態に係る録画中の現在の非ＰＰＶ及び非ＶＯＤ番組についての番組情報のディスプレイ画面の一例を示す図である。
【図４８】ディスプレイ画面上に表示される本発明の一実施形態に係る録画キャンセル・オーバーレイの一例を示す図である。
【図４９】ＰＶＲから再生している番組映像上に表示されるライブ・テレビ・オプションを有する本発明の一実施形態に係るフロー制御オーバーレイの一例を示す図である。
【図５０】本発明の一実施形態に係る一時停止された番組映像上に表示される一時停止残り時間インジケータを備えたライブ制御オーバーレイの一例を示す図である。
【図５１】本発明の一実施形態に係る消去優先度セットアップ・ディスプレイ画面の一例を示す図である。
【図５２】本発明の一実施形態に係るシリーズ録画消去優先度ディスプレイ画面の一例を示す図である。
【図５３】本発明の一実施形態に係る単発録画消去優先度ディスプレイ画面の一例を示す図である。
【図５４】本発明の一実施形態に係る番組種類別消去優先度ディスプレイ画面の一例を示す図である。
【図５５Ａ】本発明の一実施形態に係る放送種類別消去優先度ディスプレイ画面の一例を示す図である。
【図５５Ｂ】本発明の一実施形態に係るチャンネル別消去優先度ディスプレイ画面の一例を示す図である。
【図５６】ユーザのローカルテレビ装置への広告映像及び他のコンテンツのプッシュを可能にする本発明の一実施形態に係るプロセスの一例を示す図である。
【図５７】本発明の一実施形態に係るオンライン録画予約番組ガイド・ウィンドウの一例を示す図である。
【図５８】保存された番組のユーザによる編集を可能にする本発明の一実施形態に係るプロセスの一例を示す図である。
【図５９】本発明の一実施形態に係る保存された録画を編集するためのディスプレイ画面の一例を示す図である。
【図６０】本発明の一実施形態に係る他の録画と結合するためのディスプレイ画面の一例を示す図である。
【図６１】本発明の一実施形態に係るＰＶＲから再生している映像上に表示される録画部分消去オーバーレイの一例を示す図である。
【図６２】本発明の一実施形態に係る再生リスト・ディスプレイ画面の一例を示す図である。
【図６３】本発明の一実施形態に係る再生リストを編集するためのディスプレイ画面の一例を示す図である。
【図６４】本発明の一実施形態に係る再生リスト・ディスプレイ画面の一例の上に表示された新プレイリスト作成オーバーレイの一例を示す図である。
【図６５】本発明の一実施形態に係る選択された録画の映像上に表示されたマーク及び呼び出しオーバーレイの一例を示す図である。
【図６６】本発明の一実施形態に係る複数の番組ガイドを提供するプロセスの一例を示す図である。
【図６７】番組ガイドへのログインのために表示される本発明の一実施形態に係る一連のディスプレイ画面の例を示す図である。
【図６８】異なる番組ガイドの録画予約を見るために表示される本発明の一実施形態に係る一連のディスプレイ画面の例を示す図である。
【図６９】ユーザが自分の番組ガイドを用いて自分の録画予約を見るために表示される本発明の一実施形態に係る一連のディスプレイ画面の例を示す図である。
【図７０】ユーザが自分の番組ガイドを用いて自分の録画リストを見るために表示される本発明の一実施形態に係る一連のディスプレイ画面の例を示す図である。
【図７１】ユーザの選択に基づいて番組を録画する本発明の一実施形態に係るプロセスの一例を示す図である。
【図７２】ユーザが録画する番組を選択したときに表示される本発明の一実施形態に係る一連のディスプレイ画面の一例を示す図である。
【図７３】ユーザが情報ディスプレイ画面から録画する番組を選択したときに表示される本発明の一実施形態に係る一連のディスプレイ画面の例を示す図である。
【図７４】本発明の一実施形態に係る録画又は録画関連情報を削除するプロセスの一例を示す図である。
【図７５】本発明の一実施形態において、２人の異なるユーザが同じユーザ装置にローカルである彼らの番組ガイドにアクセスしているときに表示される一連のディスプレイ画面の例を示す図である。
【図７６】本発明の一実施形態に係る、２人の異なるユーザが同じユーザ装置にローカルである彼らの番組ガイドにアクセスしているときに表示され得る一連のディスプレイ画面の例を示す図である。
【図７７】本発明の一実施形態において、録画コンテンツにおける変更をユーザに通知するプロセスの一例を示す図である。
【図７８】本発明の一実施形態において、番組が録画コンテンツに加えられようとしていることをユーザに通知する際に表示される一連のディスプレイ画面の例を示す図である。
【図７９】本発明の一実施形態において、映像又はグラフィックス上で表示される通知オーバーレイの一例を示す図である。
【図８０】本発明の一実施形態において、映像又はグラフィックス上で表示される通知オーバーレイの一例を示す図である。
【図８１】本発明の一実施形態において、映像又はグラフィックス上で表示される通知オーバーレイの一例を示す図である。
【図８２】本発明の一実施形態において、映像又はグラフィックス上で表示される通知オーバーレイの一例を示す図である。
【図８３】本発明の一実施形態に係る通知電子メールの一例を示す図である。
【図８４】本発明の一実施形態に係る通知電子メールの一例を示す図である。
【図８５】本発明の一実施形態に係る通知電子メールの一例を示す図である。
【図８６】本発明の一実施形態に係る通知電子メールの一例を示す図である。
【図８７】本発明の一実施形態に係る全録画リストを生成及び使用するプロセスの一例を示す図である。
【図８８】本発明の一実施形態において、ライブ広告映像に関連する記憶された広告映像を表示するプロセスの一例を示す図である。
【図８９】本発明の一実施形態において、図８８に示したプロセスの一例に基づいて提供される映像表示シーケンスの一例を示す図である。
【図９０】本発明の一実施形態において、ユーザの番組ガイド利用中に記憶された広告映像を表示するプロセスの一例を示す図である。
【図９１】本発明の一実施形態において、図９０に示したプロセスの一例に基づいて提供される記憶された広告映像を表示する一連のイベントの一例を示す図である。
【図９２】本発明の一実施形態において、図９０に示したプロセスの一例に基づいて提供される一連のイベントの一例を示す図である。
【図９３】本発明の一実施形態において、テレビ・コンテンツをバッファするプロセスの一例を示す図である。
【図９４】本発明の一実施形態において、図９３に示したプロセスの一例に基づいて提供される一連のディスプレイ画面の例及びバッファの例を示す図である。
【図９５】本発明の一実施形態において、新しいバッファにスペースを割り当てるプロセスの一例を示す図である。
【図９６】本発明の一実施形態において、別々のバッファを結合するプロセスの一例を示す図である。
【図９７】本発明の一実施形態において、図９６に示したプロセスの一例に基づいて提供される一連のディスプレイ画面の例及びバッファの例を示す図である。
【図９８】本発明の一実施形態において、別々にバッファされた一番組の一部分同士の間にコンテンツを挿入するプロセスの一例を示す図である。
【図９９】本発明の一実施形態において、図９８に示したプロセスの一例に基づいて提供される映像表示シーケンスの一例を示す図である。
【図１００】本発明の一実施形態において、２つの番組を並行してバッファするプロセスの一例を示す図である。
【図１０１】本発明の一実施形態において、図１００に示したプロセスの一例に基づいて提供される一連のディスプレイ画面の一例及びバッファの一例を示す図である。
【図１０２】本発明の一実施形態において、バッファされたコンテンツ間を移動するための巻き戻しプロセスの一例を示す図である。
【図１０３】本発明の一実施形態において、図１０２に示したプロセスの一例に基づいて提供される映像表示シーケンスの一例を示す図である。
【図１０４】本発明の一実施形態において、バッファされたコンテンツ間を移動するための早送りプロセスの一例を示す図である。
【図１０５】本発明の一実施形態において、図１０４に示したプロセスの一例に基づいて提供される映像表示シーケンスの一例を示す図である。
【図１０６】本発明の一実施形態において、スキップ機能を使うプロセスの一例を示す図である。
【図１０７】本発明の一実施形態において、図１０６に示したプロセスの一例に基づいて提供される映像表示シーケンスの一例を示す図である。
【図１０８】本発明の一実施形態に係る番組録画プロセスの一例を示す図である。
【図１０９】本発明の一実施形態において、図１０８に示したプロセスの一例に基づいて提供される一連のイベントの一例を示す図である。
【図１１０】本発明の一実施形態において、番組終了後に該番組を録画するプロセスの一例を示す図である。
【図１１１】本発明の一実施形態において、図１１０に示したプロセスの一例に基づいて提供される一連のディスプレイス画面の一例を示す図である。
【図１１２】本発明の一実施形態において、ストレージ・スペースの一部を番組バッファ用に割り当てるプロセスの一例を示す図である。
【図１１３】本発明の一実施形態に係るバッファ設定ディスプレイ画面の一例を示す図である。
【図１１４】本発明の一実施形態において、テレビ・コンテンツを自動的に一時停止するプロセスの一例を示す図である。
【図１１５】本発明の一実施形態において、図１１４に示したプロセスの一例に基づいて提供される一連の映像及び／又はグラフィック表示の一例を示す図である。
【図１１６】本発明の一実施形態において、図１１４に示したプロセスの一例に基づいて提供される一連の映像及び／又はグラフィック表示の一例を示す図である。
【図１１７】本発明の一実施形態において、図１１４に示したプロセスの一例に基づいて提供される一連の映像及び／又はグラフィック表示の一例を示す図である。
【図１１８】本発明の一実施形態において、図１１４に示したプロセスの一例に基づいて提供される一連の映像及び／又はグラフィック表示の一例を示す図である。
【図１１９】本発明の一実施形態において、図１１４に示したプロセスの一例に基づいて提供される一連の映像及び／又はグラフィック表示の一例を示す図である。
【図１２０】本発明の一実施形態において、図１１４に示したプロセスの一例に基づいて提供される一連の映像及び／又はグラフィック表示の一例を示す図である。
【図１２１】本発明の一実施形態において、図１１４に示したプロセスの一例に基づいて提供される一連の映像及び／又はグラフィック表示の一例を示す図である。
【図１２２】本発明の一実施形態において、現在の番組が一時停止されたときに録画された映像を表示するシーケンスの一例を示す図である。
【図１２３】本発明の一実施形態において、録画、リマインダ、又は録画要求を送信する一連のディスプレイ画面の一例を示す図である。
【図１２４】本発明の一実施形態において、ユーザによる録画、リマインダ、又は録画要求の受信を可能にする技術の一例を示す図である。
【図１２５】本発明の一実施形態において、ユーザによる録画、リマインダ、又は録画要求の受信を可能にする技術の一例を示す図である。
【図１２６】本発明の一実施形態において、ユーザによる録画、リマインダ、又は録画要求の受信を可能にする技術の一例を示す図である。
【発明を実施するための形態】
【００４１】
本発明の原理及び利点は、図面と共に以下の詳細な説明を考察することによってより明確となるであろう。
［実施例］
【００４２】
本発明に係る双方向テレビ・システムの一例を図１に示す。便宜上、図１の双方向テレビ・システムは、双方向テレビ番組ガイド・システムとの関連で主として説明される場合もある。ここで図１を参照する。双方向テレビ番組ガイド・システムの一例であるシステム１００は、主設備１０２、分配設備１１０、及び、ユーザ装置１２２を有する。この双方向テレビ番組ガイド・システム１００は、複数の主設備１０２を含んでもよい。しかしながら、図を過度に複雑にしないために、図１には主設備１０２を１つしか図示しない。
【００４３】
主設備１０２は、番組ガイドデータベース１０６からの双方向テレビ番組ガイド情報を記憶・分配するサーバ１０４を備える。番組ガイドデータベース１０６は、テレビ番組一覧表情報、サービス一覧表情報、番組関連情報、ペイ・パー・ビュー注文情報、又は、プロモーション情報などのあらゆる適切な番組ガイド情報を記憶することができる。主設備１０２は、この番組ガイド情報を通信パス１０８を通じて分配設備１１０に分配することができる。
【００４４】
通信パス１０８は、例えば、衛星リンク、ケーブルリンク、光ファイバリンク、マイクロ波リンク、電話網リンク、インターネットリンク、又はこれらリンクの組み合わせ、などのあらゆる適切な通信パスでよい。データ信号に加えて映像信号（例えばテレビ番組）を通信パス１０８上で送信することが望まれる場合、衛星リンクなどの比較的高い帯域幅リンクの方が、電話線などの比較的低い帯域幅リンクより好ましい。図を過度に複雑にしないために、図１には分配設備１１０を１つしか図示していない。双方向サービスの実行に複数の分配設備が関与することも可能である。
【００４５】
主設備１０２によって分配設備１１０へ送信される番組ガイド情報又はコンテンツは、テレビ番組一覧表データ（例えば、番組時間、チャンネル、タイトル、概要、番組種類、ジャンル、俳優、など）などのあらゆる適切なデータを含む。
【００４６】
主設備１０２から分配設備１１０へ送信されるプロモーション情報は、様々なプロモーション・バナー、プロモーション広告、プロモーション・スローガン、又は、プロモーション広告、などのあらゆる適切なプロモーション・マテリアルを含む。
【００４７】
分配設備１１０は、テレビ放送用テレビ分配設備、ケーブルシステム・ヘッドエンド、又は、衛星分配設備、などの視聴者に信号を分配するあらゆる適切な分配設備でよい。分配設備１１０は、通信パス１１４を通じて、ユーザ装置１２２へ番組ガイド情報（又はコンテンツ）を分配する。分配設備１１０は、番組ガイド情報を分配するサーバ１１２を備える。また、サーバ１１２は、テレビ番組や音楽などのあらゆる適切な種類の媒体を分配する通信も処理できる。サーバ１１２は、様々な番組ガイド情報を記憶するローカルデータベース１１６を備える。サーバ１１２は、録画された番組をリモートに記憶するためにストレージ１１７を備える。番組及び／又は関連情報は、リモートに、又は、ユーザ装置１２２ローカルに、録画及び／又は記憶することができる。また、ローカル及びリモートでのストレージ及び／又は録画を組み合わせて用いることもできる。遠隔録画機能を備えたクライアント／サーバ・ベースの双方向テレビ番組ガイド・システムは、例えば、１９９９年６月１１日に出願されたＥｌｌｉｓらによる米国特許出願第０９／３３２，２４４号に記載されている。この文献は、その全体が参考文献としてここに組み込まれる。番組及び番組情報を記憶する追加的技術は、例えば、１９９８年９月１７日に出願されたＨａｓｓｅｌｌらによる米国特許出願第０９／１５７，２５６号に記載されている。この文献は、その全体が参考文献としてここに組み込まれる。加えて、サーバ１１２は、準ビデオ・オン・デマンドやビデオ・オン・デマンドなどの他の双方向サービスを提供する能力を持つことも可能である。サーバ１１２は、１以上のコンピュータを備えてもよい。
【００４８】
必要に応じて、分配設備１１０に分配される情報の一部又は全部を主設備１０２以外の情報源を用いて提供できるようにしてもよい。例えば、分配設備１１０は、通信パス１２０を通じてワイド・エリア・ネットワーク１１８（例えばインターネット）から情報を受信することができる。通信パス１２０は、例えば、Ｔ１リンク、ディジタル加入者回線（ＤＳＬ）リンク、ケーブルモデムリンク、又は、アナログモデムリンク、などのあらゆる適切なリンクでよい。
【００４９】
必要に応じて、主設備１０２及び分配設備１１０以外の設備を用いて、データをユーザ装置１２２に提供できるようにしてもよい。例えば、ユーザ装置１２２は、通信パス６２を通じて、ワイド・エリア・ネットワーク１１８から直接データを受信してもよい。通信パス６２は、例えば、Ｔ１リンク、ディジタル加入者回線（ＤＳＬ）リンク、ケーブルモデムリンク、アナログモデムリンク、又は、ページングシステムにおける無線周波数などの無線周波数リンク、などのあらゆる適切なリンクでよい。別の例として、衛星放送システム（図示せず）などの別個の設備がユーザ装置１２２にデータを送信し、ユーザ装置１２２が衛星受信システム（図示せず）を通じてデータを受信してもよい。
【００５０】
通信パス１１４は、分配設備１１０がそれにより番組ガイド情報、テレビ番組、及び、他のあらゆる適切な情報、データ、又は、媒体をユーザ装置１２２へ分配できるものであれば、あらゆる適切な種類のリンクでよい。各ユーザ装置１２２を分配設備１１０へつなげる通信パス１１４は２以上存在してもよい。例えば、分配設備１１０がケーブルヘッドエンドの場合、ユーザ装置１２２は、ケーブルリンクを通じて情報を受信し、ディジタルシリアルリンクやダイヤルアップモデム接続などの適切なリンクを通じて、情報を分配設備１１０に送信することができる。通信パス１１４の各々は、単方向でもよく、或いは、双方向でもよい。
【００５１】
ユーザ装置１２２は、通信パス６２、通信パス１１４、又は、通信パス１２０を通じて、電子メールを送信又は受信するように設定することができる。ユーザ装置１２２は、分配設備１１０又は他の設備によって送信された電子メールを受信することができる。
【００５２】
ここに開示された実施形態に係る双方向テレビ・アプリケーションをユーザ装置１２２上で実行し、ユーザに双方向サービスを提供することができる。双方向サービスにより、ユーザは、例えば、特定のチャンネルをお気に入りに設定することによって、或いは、チャンネルを変えることによって、或いは、ＰＰＶ映画を注文することによって、或いは、録画する番組を選択することによって、或いは、録画された番組を再生することによって、テレビ・アプリケーションとやりとりすることができる。
【００５３】
双方向テレビ・アプリケーションは、双方向テレビ番組ガイド・アプリケーションでもよく、或いは、双方向サービスのユーザへの提供を可能にする双方向パーソナルビデオレコーダ・アプリケーションでもよい。
【００５４】
映像取扱可能装置１２４は、例えば、ビデオカメラやポータブル・コンピュータなどの映像を生成又は記憶する能力を持った映像装置である。映像取扱可能装置１２４は、通信接続１２６（例えば、ファイヤライン接続やＲＳ−２３２接続など）を通じてユーザ装置１２２へ接続されてもよく、或いは、ユーザ装置１２２内に一体化されてもよい。双方向テレビ・アプリケーションにより、ユーザは、映像取扱可能装置１２４から映像を転送し、ユーザ装置１２２に記憶することができる。転送された映像は、例えば、ユーザ装置１２２の一部であるＰＶＲに記憶される。映像取扱可能装置１２４からの映像は、例えば、ユーザ装置１２２に記憶され、後でユーザに提示される。
【００５５】
ユーザ装置１２２は、テレビ・プラットフォームをベースにしてもよく、及び／又は、コンピュータ・プラットフォームをベースにしてもよい。例えば、ユーザ装置１２２は、ユーザテレビ装置（例えば、テレビ、ＰＶＲ、及び、セットトップ・ボックス）を含んでもよく、或いは、ユーザコンピュータ装置（例えば、デスクトップ・コンピュータ、ラップトップ・コンピュータ、パーソナル・ディジタル・アシスタントや他の小型パーソナル・コンピュータ装置などの手持ち式コンピュータ装置など）を含んでもよく、或いは、双方向テレビ番組ガイドを実行する他の適切なユーザ設備を含んでもよい。ユーザコンピュータ装置は、一体化されたセットトップ・ボックス回路又はパーソナル・コンピュータ・テレビ（ＰＣ／ＴＶ）を有するコンピュータベースの受信器を含んでもよい。必要に応じて、ユーザテレビ装置は、電子メールを受信するコンピュータ装置を備えてもよい。
【００５６】
図２Ａは、セットトップ・ボックス配置をベースとしたユーザテレビ装置の一例２００を示す。ユーザテレビ装置２００は、セットトップ・ボックス２０２、録画装置２０４、ディスプレイ装置２０６、及び、リモコン２１２を含む。図２Ａは、セットトップ・ボックス２０２が録画装置２０４に接続されていること、及び、録画装置２０４がディスプレイ装置２０６に接続されていること、を示している。これら接続は、有線接続でもよく、無線接続でもよい。また、図２Ａは、リモコン２１２が、無線リンク２１４を通じて、セットトップ・ボックス２０２、録画装置２０４、及び、ディスプレイ装置２０６と通信できることも示している。当業者には明らかなように、セットトップ・ボックス２０２、録画装置２０４、リモコン２１２、及び、ディスプレイ装置２０６は、図２Ａに示されたのとは異なる形で相互接続されてもよく、また、構成要素が追加又は削除されてもよい。例えば、録画装置２０４は、１つの装置としてセットトップ・ボックス２０２と一体化されてもよい（例えば図２Ｂ参照）。
【００５７】
セットトップ・ボックス２０２は、分配設備１１０（図１）によって送信された信号（例えば、音声、映像、又は、双方向テレビ・アプリケーション・データ、など）を受信する。セットトップ・ボックス２０２は、ユーザの個人プリファレンス設定、ユーザが選択したリマインダ、又は、他の情報を記憶するストレージ装置（例えば、ハード・ドライブ）又はメモリを備える。便宜上、セットトップ・ボックス２０２を受信器又はチューナとして用いるユーザテレビ装置２００との関連で、本発明を説明する。必要に応じて、ユーザテレビ装置２００は、１つの番組を見ながら同時に別の番組を録画することを可能にする複数のチューナを備えてもよい。視聴と録画を同時に行う能力を備えた双方向テレビ番組ガイドの一例は、例えば、１９９９年６月１１日に出願されたＬｅｍｍｏｎｓらによる米国特許出願第０９／３２９，８５０号に記載されている。この文献は、その全体が参考文献としてここに組み込まれる。
【００５８】
セットトップ・ボックス２０２は、録画装置２０４と接続される。録画装置２０４は、ＰＶＲ２０８やＶＣＲ２１０などの適切な録画装置を有する。録画装置２０４は、ＰＶＲ２０８及びＶＣＲ２１０の一方を備えてもよく、双方を備えてもよい。ユーザが番組を録画したい場合には、セットトップ・ボックス２０２が手動で又は自動的に特定のチャンネルに合わせられ、その番組を録画するための制御信号が録画装置２０４へ送信される。
【００５９】
データリンク２０９は、ＰＶＲ２０８とＶＣＲ２１０とを接続するものであり、例えばケーブルリンクなどの適切なデータリンクである。データリンク２０９を用いれば、番組用音声／映像信号をＰＶＲ２０８とＶＣＲ２１０との間で転送させることができる。
【００６０】
セットトップ・ボックス２０２は、音声／映像信号及びグラフィックスを表す信号をユーザに提示するためにディスプレイ装置２０６に送信する。必要に応じて、セットトップ・ボックス２０２は、録画装置２０４を通じてディスプレイ装置２０６へ信号をルーティングしてもよい。必要に応じて、セットトップ・ボックス２０２によって生成されたグラフィックス及び録画装置２０４の録画中に行われた音量変更が録画の一部として保存されないように、セットトップ・ボックス２０２、録画装置２０４、及び、ディスプレイ装置２０６を設定することも可能である。ディスプレイ装置２０６は、例えば、テレビ、コンピュータ・モニタ、モニタ及びスピーカを備えたコンピュータ・システム、又は、フラットパネル・ディスプレイ、などの適切なディスプレイ装置でよい。
【００６１】
セットトップ・ボックス２０２は、ＰＶＲ２０８とクライアント／サーバの関係を持つように配置される。本発明の一実施形態において、セットトップ・ボックス２０２はサーバとして機能し、ＰＶＲ２０８はクライアントとして機能する。リモコン２１２又は他の入力装置から受信されたすべての情報リクエストは、最初にセットトップ・ボックス２０２を通じてルーティングされる。例えば、ユーザがＰＶＲ情報又はＰＶＲ録画をリクエストした場合、そのリクエストは、まず、ＰＶＲ２０８と通信して情報又は録画を取得することが可能なセットトップ・ボックス２０２によって処理される。セットトップ・ボックス２０２は、ＰＶＲ２０８との通信に基づいて、音声／映像信号及びグラフィックスを表す信号をディスプレイ装置２０６へ送信する。ＰＶＲ２０８とセットトップ・ボックス２０２との間で通信及びオペレーションを確立するのには他の配置を用いることもできる。ディスプレイ装置２０６との通信及びオペレーションを確立するのにも他の配置を用いることができる。
【００６２】
セットトップ・ボックス２０２、パーソナルビデオレコーダ２０８、図１のサーバ１１２、又は、これらの組み合わせ、などの適切な装置に、１人以上のユーザ向けの個人情報を記憶することができる。個人情報は、例えば、ユーザ・プロファイル、プリファレンス、視聴履歴、録画履歴、などを含む。個人情報を用いると、個人情報に一致する番組を自動的に録画することができる。もうすぐ始まる番組に関する情報がユーザ・プリファレンスなどのそのユーザの個人情報に一致したとき、或いは、もうすぐ始まる番組に関する情報が記憶された個人情報に匹敵するとき、番組が録画される。個人化機能を有する双方向テレビ番組ガイドの一例は、２００１年１０月９日に出願されたＴｈｏｍａｓらによる米国特許出願第０９／９７４，６４６号に記載されている。この文献は、その全体が参考文献としてここに組み込まれる。
【００６３】
ユーザは、ユーザテレビ装置２００の構成要素のいずれともやりとりすることができ、リモコン２１２などの１以上の入力装置を用いて、双方向テレビ・アプリケーションとやりとりすることができる。リモコン２１２は、様々なボタンを有する。ユーザは、これらボタンを押して、双方向テレビ番組ガイドなどの双方向テレビ・アプリケーションの一部とやりとりする。便宜上、本発明の多くの態様は、主としてリモコンである入力装置との関連で説明される。従来のキーボード、ワイヤレス・キーボード、タッチスクリーン・ディスプレイ・リモート、手持ち式コンピュータ、マウス、トラックボール、又は、タッチパッドなどの他の適切な入力装置を用いることもできる。
【００６４】
双方向テレビ番組ガイド・アプリケーションなどの双方向テレビ・アプリケーションは、ユーザ装置２００上でローカルに実行されてもよく、或いは、番組ガイド・アプリケーションの一部がユーザ装置２００上でローカルに実行されるクライアント／サーバ・アーキテクチャ又は分配アーキテクチャを用いて実行されてもよい。クライアント／サーバ番組ガイドの一例は、例えば、１９９９年８月１３日に出願されたＥｌｌｉｓらによる米国特許出願第０９／３７４，０４３号に記載されている。この文献は、その全体が参考文献としてここに組み込まれる。必要に応じて、ここで説明した特徴及び機能性を提供する双方向テレビ・アプリケーションは、ＰＶＲ２０８及び／又はセットトップ・ボックス２０２上で部分的に実行されてもよい。
【００６５】
図２Ｂは、パーソナルビデオレコーダがセットトップ・ボックスと一体化されたユーザテレビ装置９９００の別の実施形態を示す。ここで図２Ｂを参照する。ユーザ装置９９００は、ＰＶＲ一体化セットトップ・ボックス９９０２、ディスプレイ装置９９０４、及び、リモコン９９０６を含む。ＰＶＲ一体化セットトップ・ボックス９９０２は、ディスプレイ装置９９０４に接続される。必要に応じて、ユーザテレビ装置９９００は、セットトップ・ボックス９９０２とディスプレイ装置９９０４との間に配置されたＶＣＲなどの録画装置を含んでもよい。セットトップ・ボックス９９０２、ディスプレイ装置９９０４、及び、録画装置を接続するのには他の配置を用いることもできる。
【００６６】
ＰＶＲ一体化セットトップ・ボックス９９０２は、分配設備１１０（図１）によって送信された信号を受信する。ＰＶＲ一体化セットトップ・ボックス９９０２は、ユーザの個人プリファレンス設定、ユーザに選択されたリマインダ、録画、又は、番組情報、などの情報を記憶するストレージ装置又はメモリを有する。必要に応じて、セットトップ・ボックス９９０２の一部であるＰＶＲを、これら情報を記憶するのに用いてもよい。ＰＶＲハードウェア及び／又はソフトウェアをセットトップ・ボックス・ハードウェア及び／又はソフトウェアと一体化して、セットトップ・ボックス９９０２とすることができる。ユーザが番組を録画したい場合、この一体化されたＰＶＲを用いて、セットトップ・ボックス９９０２を特定のチャンネルに合わせ、その番組を録画させることができる。必要に応じて、ユーザが、双方向テレビ・アプリケーションを利用して、ＰＶＲが記録した音声／視覚信号をセットトップ・ボックス９９０２とセットトップ・ボックス９９０２の外部装置である録画装置との間で転送できるようにしてもよい。
【００６７】
ユーザは、ユーザテレビ装置９９００の構成要素とやりとりすることができ、リモコン９９０６などの１以上の入力装置を用いて、ワイヤレスリンク９９１０を通じて、双方向テレビ・アプリケーションとやりとりすることができる。
【００６８】
図２Ｃは、パーソナルビデオレコーダ・サービスを提供する別の配置を示す。この配置では、遠隔サーバによりパーソナルビデオレコーダ・サービスが提供される。ここで、図２Ｃを参照する。ユーザ装置９９２０は、セットトップ・ボックス９９２２、ディスプレイ装置９９２６、及び、リモコン９９３６を含む。ユーザ装置９９２０は、セットトップ・ボックス９９２２などのサーバ９９０８と通信する装置を含む。サーバ９９０８は、パーソナルビデオレコーダ・サービスをユーザ装置９９２０に提供するように構成される。サーバ９９０８は、例えば、ユーザ装置９９２０のために自動的に番組を録画してもよく、或いは、ユーザの選択に基づいて番組を録画してもよい。サーバ９９０８は、録画を再生し、ディスプレイ装置９９２６上に表示する。他のＰＶＲに関連した機能を提供することも可能である。サーバ９９０８は、図１の分配設備１１０などの分配設備に配置されたサーバでもよく、或いは、他の適切な場所に配置されてもよい。
【００６９】
必要に応じて、ユーザ装置は、パーソナルビデオレコーダ９９２８やビデオカセット・レコーダ９９３０などの１以上の録画装置を含む録画装置９９２４を含んでもよい。録画装置９９２４は、必要に応じて、追加的録画機能及び／又は能力をユーザに提供してもよい。例えば、録画装置９９２４は、サーバ９９０８から再生されている又はサーバ９９０８上に記憶されている番組を録画又は転送するのに用いられてもよい。セットトップ・ボックス９９２２は、分配設備１１０（図１）によって送信された信号を受信する。セットトップ・ボックス９９２２は、ユーザの個人プリファレンス設定やユーザに選択されたリマインダなどの情報を記憶するストレージ装置又はメモリを含む。必要に応じて、サーバ９９０８又は記録デバイス９９２４がこれら情報を記憶するのに用いられてもよい。
【００７０】
セットトップ・ボックス９９２２は、音声／映像信号及びグラフィックスを表す信号をユーザに提示するために録画装置９９２４を通じてディスプレイ装置９９２６に送信する。
【００７１】
ユーザは、ユーザ装置９９２０の構成要素のいずれともやりとりすることができ、リモコン９９３６などの１以上の入力装置を用いて、ワイヤレスリンク９９３４を通じて、双方向テレビ・アプリケーションとやりとりすることができる。リモコン９９３６を用いれば、セットトップ・ボックス９９２２を通じてサーバ９９０８とやりとりすることができる。これら及び他のオプションの一例は、１９９８年６月１６日に出願されたＲｕｄｎｉｃｋらによる米国特許出願第０９／３３０，８６０号に記載されている。この文献は、その全体が参考文献としてここに組み込まれる。
【００７２】
図３は、様々なファンクション・ボタンを含むリモコンの一例３０８を示す。リモコン３０８は、双方向テレビ・アプリケーションにおいて頻繁に使用されるアクションへのアクセスをユーザに提供する主要オプション・ボタン３０２を有する。主要オプション・ボタン３０２は、電源ボタン３２０、メニュ・ボタン３３２、情報ボタン３１０、ロック・ボタン３２２、終了ボタン３２４、音楽ボタン３１４、及び、編集ボタン３１６、を有する。ユーザは、メニュ・ボタン３３２を用いて、メニュ・ディスプレイ画面を表示させることができる。ユーザは、情報ボタン３１０を用いて、情報ディスプレイ画面を表示させることができる。ユーザは、ロック・ボタン３２２を用いて、特定の番組、チャンネル、又は、他のテレビ・コンテンツへのアクセス権を修正することができる。ユーザは、終了ボタン３２４を用いて、番組ガイド又は他のアプリケーションを終了させることができる。ユーザは、音楽ボタン３１４を用いて、音声を搬送する音楽チャンネルを傾聴することができる。ユーザは、編集ボタン３１６を用いて、コマーシャルの除去、番組の部分消去、又は、他の編集機能の実行、などの記憶された番組コンテンツの編集を行うことができる。
【００７３】
リモコン３０８は、英数字入力に用いられる英数字ボタン３０４を有する。英数字ボタン３０４は、更に、ラスト・ボタン３３４を有する。ユーザは、ラスト・ボタン３３４を用いて、最後に見たチャンネル又は最後の画面に戻ることができる。
【００７４】
リモコン３０８は、ユーザ装置（例えば、図２Ａのユーザ装置２００）によって実行されるタスクを指示する手段を提供するタスク・ボタン３０６を有する。タスク・ボタン３０６は、例えば、再生ボタン３３８、一時停止ボタン３４０、停止ボタン３４２、巻き戻しボタン３４４、早送りボタン３４６、録画ボタン３３６、又は、「ＯＫ」ボタン３１２、などのあらゆる適切な制御ボタンを含む。
【００７５】
リモコン３０８は、音量（ＶＯＬ）制御ボタン３２６、ナビゲーション・ボタン３３０、及び、チャンネル（ＣＨ）制御ボタン３２８、を含む制御ボタン３８８を有する。ユーザは、ナビゲーション・ボタン３３０を用いて、所望のエレメント（例えば、カーソルやハイライト・ウィンドウ、など）をディスプレイ画面内で垂直方向又は水平方向に調整又は移動させることができる。例えば、所望のエレメントが双方向テレビ・アプリケーションのディスプレイ画面におけるカーソルである場合、ナビゲーション・ボタン３３０を用いて、該カーソルをディスプレイ画面内で動かすことができる。ユーザは、タスク・ボタン３０６内のＯＫボタン３１２をナビゲーション・ボタン３３０と共に用いて、画面上での選択を行うことができる。ここでは、リモコンのボタンをリモコン・キーと呼ぶ場合もある。
【００７６】
パーソナルビデオレコーダ機能には、例えば、双方向テレビ番組ガイドのメインメニュ・ディスプレイ画面からアクセスすることができる。図４は、メインメニュ・ディスプレイ画面からＰＶＲ関連機能へアクセスするプロセスの一例４００を示す。ここで、図４を参照する。ステップ４０２において、双方向テレビ・アプリケーションは、（図５に一例を示す）メインメニュ・ディスプレイ画面を表示する。ステップ４０２は、例えば、ユーザがリモコンのメニュ・ボタンを押したとき、或いは、ユーザが他の適切な行動をとったとき、に実行される。ステップ４０２において、ユーザは、ＩＰＧアプリケーションを用いて、番組一覧表ディスプレイ画面、録画ディスプレイ画面、又は、録画予約ディスプレイ画面、などの適切な画面又はオプションにメインメニュ・ディスプレイ画面からアクセスすることができる。
【００７７】
ステップ４０４において、双方向テレビ・アプリケーションは、例えばユーザがメインメニュ・ディスプレイ画面に表示された番組一覧表オプションを選択したとき、番組一覧表ディスプレイ画面を表示する。
【００７８】
様々な種類の番組一覧表ディスプレイ画面を表示することができる。ステップ４１４において、双方向テレビ・アプリケーションは、例えばユーザが時間別番組一覧表オプションを選択したときに、時間別の番組一覧表ディスプレイ画面を表示する。ステップ４１６において、双方向テレビ・アプリケーションは、例えばユーザがチャンネル別番組一覧表オプションを選択したときに、チャンネル別番組一覧表ディスプレイ画面を表示する。ステップ４１８において、双方向テレビ・アプリケーションは、例えばユーザが種類別番組一覧表オプションを選択したときに、種類別番組一覧表ディスプレイ画面を表示する。ステップ４２０で、双方向テレビ・アプリケーションは、例えばユーザによって選択された検索からの検索結果が表示されたとき、検索番組一覧表ディスプレイ画面を表示する。ステップ４１４、４１６、４１８、及び、４２０に基づいて提供されるディスプレイ画面の一例は、図７及び１３〜１５に示す。
【００７９】
ステップ４０５において、双方向テレビ・アプリケーションは、例えばユーザがメインメニュ・ディスプレイ画面に表示されたＰＶＲセットアップ・オプションを選択したとき、ＰＶＲセットアップ・ディスプレイ画面を表示する。ステップ４０５を提供するのに関連する複数のステップの一例は、図１７に示す。ステップ４０６において、双方向テレビ・アプリケーションは、例えばユーザがメインメニュ・ディスプレイ画面に表示された録画オプションを選択したとき、録画ディスプレイ画面を表示する。ステップ４０６を提供するのに関連する複数のステップの一例は、図３５に示す。ステップ４０８において、双方向テレビ・アプリケーションは、例えばユーザがメインメニュ・ディスプレイ画面に表示された録画予約オプションを選択したとき、録画予約ディスプレイ画面を表示する。ステップ４０８を提供するのに関連する複数のステップの一例は、図４２に示す。ステップ４１０において、双方向テレビ・アプリケーションは、例えばユーザがメインメニュ・ディスプレイ画面に表示された消去優先度オプションを選択するとき、消去優先度ディスプレイ画面を表示する。ステップ４１２で、双方向テレビ・アプリケーションは、例えばユーザがメインメニュ・ディスプレイ画面に表示された優先レベル情報オプションを選択したとき、優先レベル情報ディスプレイ画面を表示する。
【００８０】
図５は、双方向テレビ・アプリケーションによって提供されるメインメニュ・ディスプレイ画面の一例５００を示す。ディスプレイ画面５００は、選択可能な広告５０２、選択可能なＰＰＶ広告５０４、及び、選択可能な水平バー広告５２０を含む。また、ディスプレイ画面５００は、番組一覧表見出し５０８、ケーブルテレビ・ショーケース５１０、及び、視聴者サービス見出し５１２、などの様々なメニュ見出しを含む。
【００８１】
番組一覧表見出し５０８は、例えば、時間別オプション５０９、チャンネル別オプション５１１、スポーツ・オプション５１３、及び、検索オプション５１４、などの番組一覧表を表示するオプション用の見出しである。ケーブルテレビ・ショーケース見出し５１０は、例えば、ＰＰＶオプション５１６やＶＯＤオプション５１７などのケーブルテレビ事業者によって展示されたオプション用の見出しである。視聴者サービス５１２は、ユーザへのＰＶＲサービスなどの様々な双方向サービスを提供するオプション用の見出しである。これらオプションは、例えば、録画オプション５１８、録画予約オプション５２４、消去優先度オプション５２６、ＰＶＲセットアップ・オプション５２８、及び、優先度情報オプション５３０などを含む。
【００８２】
ディスプレイ画面５００は、ハイライト・ウィンドウ５２２を含む。双方向テレビ・アプリケーションにより、ユーザは、リモコンのナビゲーション・ボタンを用いて、ハイライト・ウィンドウ５２２をディスプレイ画面５００内で移動させることができる。ユーザは、ハイライト・ウィンドウ５２２が選択する項目上に位置するときに、リモコンの「ＯＫ」ボタンなどのデータ入力ボタンを押すことによって、ディスプレイ画面５００上でその項目を選択することができる。
【００８３】
必要に応じて、ディスプレイ画面５００において提供される双方向機能は、他の手段を通じてアクセス可能であってもよい。
【００８４】
本双方向テレビ・アプリケーションにより、ユーザは、一覧表画面、ブラウズ・オーバーレイ、フリップ・オーバーレイ、番組映像、又は、広告、などの適切な場所からのＰＰＶ及び非ＰＰＶ番組についての録画を予約及び設定できる。図６は、録画される非ＰＰＶ及び非ＶＯＤ番組を選択・設定するプロセスの一例６００を示す。ステップ６１２において、本双方向テレビ・アプリケーションにより、ユーザは、ある番組について録画ボタンを選択することによって、録画する番組を選択することができる。この録画ボタンは、実際には、ディスプレイ画面、オーバーレイ、又は、ユーザが見ている映像などのあらゆる適切なものの中から選択することができる。この録画ボタンは、例えば、番組一覧表ディスプレイ画面、ブラウズ・オーバーレイ、フリップ・オーバーレイ、グリッド、又は、広告、などのあらゆる適切な映像又はグラフィックにおいてリストアップされた番組について押される。ユーザは、番組視聴中に録画ボタンを押すことによって、その番組を録画する番組として選択できる。ユーザは、オーバーレイ又はディスプレイ画面においてある番組をハイライトし、録画ボタンを押して、その番組を録画する番組として選択する。ハイライト・ウィンドウをサポートしていないディスプレイ画面では、ユーザは、単に、録画又は「ＯＫ」ボタンを押して、録画機能を選択すればよい。例えば、番組一覧表上でハイライト・ウィンドウを動かし、リモコンの情報ボタンを押すことによって、情報オプションを選択することができる。ステップ６１８では、ユーザが特定の番組に対してリモコンの録画ボタンを押したことに応答して、双方向テレビ・アプリケーションがその番組についてデフォルト設定での単発録画を予約する。
【００８５】
ステップ６３２において、ユーザが特定の番組に対して情報オプションを選択すると、番組情報ディスプレイ画面が表示される。この番組情報ディスプレイ画面は、その番組について述べた情報を含む。ステップ６３４において、ユーザは、双方向テレビ・アプリケーションにより、関連番組ガイド・オプションを利用できる。関連番組ガイド・オプションは、最後、視聴／リマインド、ロック、及び、他の放送時間、などの適切な番組ガイド・オプションを含む。これら及び他のオプションの例は、１９９９年７月１６日に出願されたＲｕｄｎｉｃｋらによる米国特許出願第０９／３５６，２６８号に記載されている。この文献は、その全体が参考文献としてここに組み込まれる。ステップ６３８において、情報ディスプレイ画面に描写された番組に対してユーザが録画オプションを選択できるように、録画オプションが番組情報ディスプレイ画面に表示される。
【００８６】
ユーザが録画オプションを選択した場合、双方向テレビ・アプリケーションは、ステップ６０６へ進む。ステップ６０６において、本双方向テレビ・アプリケーションにより、ユーザは、録画をセットアップできる。ステップ６０６は、ステップ６４６、６４８、６５０、６５１、６５２、６５３、６５４、６５５、６５６、及び、６５７を含む。ステップ６４８において、本双方向テレビ・アプリケーションにより、ユーザは、その録画に用いられる録画品質を選択できる。例えば、ユーザは、低品質、中品質、又は、高品質、などの適切な録画品質を選択できる。ステップ６５２及び６５４において、本双方向テレビ・アプリケーションにより、ユーザは、録画する番組の放送予定時間前後のバッファ録画の長さをそれぞれセットできる。バッファ録画の長さは、例えば、１分、又は、２分、などのあらゆる適切な時間の長さに設定できる。バッファ録画設定機能を備えた双方向テレビ番組ガイドの例は、２００１年３月２９日に出願されたＥｌｌｉｓらによる米国特許出願第０９／８２１，００５号に記載されている。この文献は、その全体が参考文献としてここに組み込まれる。バッファ録画設定機能を備えた双方向テレビ番組ガイドの他の例は、１９９７年９月５日に出願されたＥｌｌｉｓらによる米国特許出願第０８／９２４，２３９号に記載されている。この文献は、その全体が参考文献としてここに組み込まれる。
【００８７】
ステップ６５１において、本双方向テレビ・アプリケーションにより、ユーザは、番組に対して録画優先度を設定することができる。録画優先度オプションは、例えば、「見逃せない（ｃａｎ’ｔ  ｍｉｓｓ）」優先度、「できれば見逃したくない（ｉｆ  ｐｏｓｓｉｂｌｅ）」優先度、「望ましくは見逃したくない（ｄｅｓｉｒｅｄ）」優先度、又は、「スペースが空いていれば録画したい（ｉｆ  ｓｐａｃｅ  ａｖａｉｌａｂｌｅ）」優先度、などのあらゆる適切な録画優先度を含む。「見逃せない」優先度は、例えば、同時に放送されている他のすべての番組に優先して録画されなければならず、その番組のためのスペースを空けるためであれば録画が消去されてもよい、ことを示す。「できれば見逃したくない」優先度は、例えば、その番組は、同時に放送されている「見逃せない」番組と重ならない限り、或いは、録画されている「見逃せない」番組を消去しなくて済む限り、可能であれば録画されるべきである、ことを示す。「望ましくは見逃したくない」優先度は、例えば、「見逃せない」優先度の番組又は「できれば見逃したくない」優先度の番組と重ならない限り、或いは、録画されている「見逃せない」優先度の番組又は「できれば見逃したくない」優先度の番組を消去しなくて済む限り、ユーザはその番組を録画したい、ことを示す。「スペースが空いていれば録画したい」優先度は、例えば、録画するスペースがあり、且つ、より高い優先度の番組のいずれとも重ならない場合に、録画されるべきである、ことを示す。
【００８８】
ステップ６５０において、本双方向テレビ・アプリケーションにより、ユーザは、連続セットアップ・オプションを選択することができる。シリーズ・セットアップ・オプションは、選択された番組がシリーズの一部である場合のみ利用できる。ステップ６４６において、本双方向テレビ・アプリケーションにより、ユーザは、現在選択されている番組を録画予約し、録画設定をその録画に用いるために保存する保存オプションを選択することができる。ステップ６４６における保存オプションの選択に応答して、双方向テレビ・アプリケーションは、その録画予約に対するリマインダをセットする。
【００８９】
ステップ６５６において、本双方向テレビ・アプリケーションにより、ユーザは、キャンセルして前のディスプレイ画面に戻ることができる。ステップ６５３において、本双方向テレビ・アプリケーションにより、ユーザは、その番組が実際にはシリーズ録画のために選択されたシリーズの一話（一放送回）でない場合には該番組を録画しないようにするオプションを選択することができる。ステップ６５５において、本双方向テレビ・アプリケーションにより、ユーザは、シリーズ録画のために選択されたシリーズの他の放送回（エピソード）の録画は継続しつつ、該シリーズの中の特定の放送回を録画しないようにするオプションを選択することができる。ステップ６５７において、本双方向テレビ・アプリケーションにより、ユーザは、シリーズ録画するものとして選択したシリーズの今後の放送回（エピソード）を録画しないように選択することができる。
【００９０】
ユーザがシリーズ・セットアップ・オプションを選択した場合、双方向テレビ・アプリケーションは、ステップ６０８へ進む。ステップ６０８において、本双方向テレビ・アプリケーションにより、ユーザは、現在選択されている番組に基づいてシリーズ録画をセットアップすることができる。シリーズ録画により、ユーザは、連続したエピソードを特定の番組シリーズとして録画することができる。ステップ６０８は、ステップ６６２、６６４、６６６、６６８、６７０、６７２、６７４、６７６、６７８、６８０、６８２、６８４、６８６、及び、６８８を含む。ステップ６６４において、本双方向テレビ・アプリケーションにより、ユーザは、双方向テレビ・アプリケーションにシリーズ録画を予約させると共にユーザが選択したシリーズ・セットアップ設定を保存する保存オプションを選択することができる。ステップ６６６において、双方向テレビ・アプリケーションは、ステップ６８０、６８２、及び６８４を含むエピソード種類オプションを提供する。ステップ６８０において、本双方向テレビ・アプリケーションにより、ユーザは、双方向テレビ・アプリケーションに以前に見た番組を録画させるか否か選択することができる。ステップ６８２において、本双方向テレビ・アプリケーションにより、ユーザは、双方向テレビ・アプリケーションに繰り返されるシリーズ番組を録画させるか否かを選択することができる。ステップ６８４において、本双方向テレビ・アプリケーションにより、ユーザは、シンジケート・エピソード、封切（ｆｉｒｓｔ−ｒｕｎ）エピソード、又は、シンジケートで且つ封切のエピソード、をシリーズ録画として録画することを選択することができる。
【００９１】
ステップ６６８において、本双方向テレビ・アプリケーションにより、ユーザは、ＰＶＲ上に保存するシリーズ・エピソードの最大数を選択することができる。例えば、ユーザは、１エピソード、２エピソード、３エピソード、又は、全エピソード、などの保存するエピソード数を適切に選択することができる。ユーザが保存するエピソード数として特定の数を選択すると、双方向テレビ・アプリケーションは、保存されたエピソード総数がユーザによって選択された数に維持されるように、新しいエピソードが録画されるときに以前に録画されたエピソードを自動的に消去することができる。以前に録画されたエピソードは、録画されてからの経過年数や、１人以上のユーザに関しての視聴状態などの基準に基づいて消去されてもよい。ユーザがエピソード総数を全録画済みエピソードに選択すると、録画用ストレージ空間確保のために最初にそのシリーズのエピソード以外の番組が消去されるようにすることができる。
【００９２】
ステップ６７０において、本双方向テレビ・アプリケーションにより、ユーザは、シリーズものの番組が録画されるチャンネルを制限することができる。例えば、ユーザは、シリーズ録画用の録画チャンネルとして、現在のシリーズ録画が予約されたときのチャンネル、すべての利用可能なチャンネル、又は、ユーザが選択したチャンネル、などの適切なチャンネルを選択することができる。ステップ６７２において、本双方向テレビ・アプリケーションにより、ユーザは、シリーズもののエピソード又は番組のリストの視聴を選択することができる。ユーザがシリーズものの番組のリストの視聴を選択すると、双方向テレビ・アプリケーションは、ステップ６７４に進み、番組リストを表示する。
【００９３】
ステップ６７６において、本双方向テレビ・アプリケーションにより、ユーザは、番組が録画される曜日を制限することができる。例えば、ユーザは、選択されたエピソードと同じ曜日に放送されるエピソードを録画させるようにしてもよく、或いは、何曜日に放送されるエピソードでも録画させるようにしてもよく、或いは、複数の曜日に放送されるエピソードを録画させるようにしてもよい。ステップ６７８において、本双方向テレビ・アプリケーションにより、ユーザは、番組が録画される時間を選択することができる。例えば、ユーザは、プライムタイム、深夜、早朝、日中、又は、選択されたエピソード（すなわち、録画オプションが選択されたエピソード）と同じ時間、などの任意の時間に番組を録画させることができる。ステップ６８６において、本双方向テレビ・アプリケーションにより、ユーザは、シリーズ・セットアップ・ディスプレイ画面を終了し、その番組を単発録画として予約することができる。ステップ６８８において、本双方向テレビ・アプリケーションにより、ユーザは、録画予約を一切行わずに、シリーズ録画用の設定をシリーズ・リマインダとして保存することができる。
【００９４】
ＰＶＲに関連する機能は、番組一覧表ディスプレイ画面などの１以上の番組又は１以上の番組に関する情報を示す任意の画面へ統合することが可能である。図７は、双方向テレビ・アプリケーションによって提供される番組一覧表ディスプレイ画面の一例７００を示す。ディスプレイ画面７００は、検索オプションが使用されると表示される。ディスプレイ画面７００は、リスト・バー７０２として提示された番組タイトルのリストを表示する。リスト・バー７０２には、その番組の録画が現在再生可能であることを示す録画済コンテンツ・アイコン７０４を表示することができる。録画済コンテンツ・アイコン７０４により、ユーザは、ＰＶＲから再生可能な番組と、これから放送される番組とを区別することができる。将来の番組には、ＶＯＤ番組、ＰＰＶ番組、テレビ放送番組、又は、ＰＶＲ以外のソースを通じて利用可能な他の番組、などが含まれる。
【００９５】
リスト・バー７０２には、そこに示された番組が録画予約済であることを示す録画予約アイコン７０６を表示することができる。録画予約アイコン７０６は、例えば、ユーザが特定の番組に対して録画オプションを選択したときに、或いは、双方向テレビ・アプリケーションがユーザ・プロファイル情報に基づいてその番組を録画予約したときに、その番組に対して表示される。リスト・バー７０２には、双方向テレビ・アプリケーションによって録画予約の重なりを解決するために録画優先度に基づいて録画予約がキャンセルされた番組であることを示すキャンセル録画優先度アイコン７０３を表示することができる。優先度については、図９と共に詳述する。ディスプレイ画面７００には、番組コンテンツのレーティングを示すコンテンツ・レーティング・アイコン７０８を表示することができる。
【００９６】
ディスプレイ画面７００には、番組がペアレンタル・ロックされていることを示すペアレンタル・コントロール・アイコン７１０を表示することができる。ディスプレイ画面７００において、番組「Ｃｏｓｂｙ」は、ペアレンタル・ロックされており、また、録画予約されている。「Ｃｏｓｂｙ」のリスト・バーには、ペアレンタル・ロック・アイコン７１０と、録画予約アイコン７０６とが双方表示されている。番組がロックされた状態であっても、双方向テレビ・アプリケーションは依然としてその番組を録画することができる。ユーザが、ロックされた番組の録画中にそれを視聴したい場合、ユーザはペアレンタル・コントロール・コードを入力する必要がある。ペアレンタル・ロックは、再生について常に強要される。なぜなら、ペアレンタル・コントロール・コードは、ロックされたタイトル、レーティング、又は、チャンネルを持つあらゆる番組の再生について必要とされるからである。ペアレンタル・コントロール・ロック及び他の関連するオプションの一例は、２０００年８月９日に出願されたＨｅｒｒｉｎｇｔｏｎらによる米国特許出願第０９／６３５、５９６号に記載されている。この文献は、その全体が参考文献としてここに組み込まれる。
【００９７】
リスト・バー７０２には、その番組についてシリーズ録画が設定されていることを示すシリーズ録画アイコン７１４を表示することができる。録画予約及びシリーズ記録は、ディスプレイ画面７００の他のリスト・バーと混ぜられてもよい。ディスプレイ画面７００にリストアップされた特定の番組又はシリーズについて複数の録画済エピソード又は今後のエピソードが存在する場合、その番組又はシリーズについてはリスト・バーが１つだけディスプレイ画面７００に表示される。ディスプレイ画面７００においてその番組を選択すると、その番組の最も古い録画済エピソードに対する情報ディスプレイ画面が表示され、情報ディスプレイ画面に時間オプションが表示される。この時間オプションにより、ユーザは、その番組の他の録画済エピソード及び今後のエピソードに関する情報へアクセスできる。
【００９８】
本双方向テレビ・アプリケーションにより、ユーザは、特定の番組についてのリスト・バー７０２などのリスト・バー上にハイライト・ウィンドウ７１２を動かし、リモコンの録画ボタンを押すことによって、特定の番組について録画オプションを選択することができる。録画オプションが選択されると、双方向テレビ・アプリケーションは、特定の番組が録画されるように設定する。例えば、双方向テレビ・アプリケーションは、デフォルトの録画設定を用いて、その番組について単発録画を予約する。ユーザが録画ボタンを２度押した場合、双方向テレビ・アプリケーションは、現在ハイライトされている番組がシリーズものの一部であるとき、現在ハイライトされている番組に基づいたシリーズ録画を予約する。ユーザがリモコンの録画ボタンを３回押した場合、双方向テレビ・アプリケーションは、シリーズ録画をキャンセルする。現在ハイライトされている番組がシリーズものの一部ではない場合にリモコンの録画ボタンが押されると、その番組に対する録画設定をトグルできる。
【００９９】
本双方向テレビ・アプリケーションにより、ユーザは、リスト・バー７０２などのリスト・バー上にハイライト・ウィンドウ７１２を移動させ、リモコンの情報ボタンを押すことによって、特定のリスト・バーに対する情報オプションを選択することができる。図８の番組情報ディスプレイ画面８００は、特定のリスト・バーに対して情報オプションが選択されたときに表示される。
【０１００】
本双方向テレビ・アプリケーションは、番組がＰＰＶ番組であるか否か、番組がＰＶＲから再生可能であるか否か、番組が録画予約されている番組であるか否か、番組が現在放送中であるか否か、番組がＶＯＤ番組であるか否か、などに基づいて、番組ごとに様々に構成された番組情報ディスプレイ画面を表示することができる。図８は、双方向テレビ・アプリケーションによって提供される非ＰＰＶ番組用の番組情報ディスプレイ画面の一例８００を示す。ここで図８を参照する。ディスプレイ画面８００には、タイトル表示バー８０６と、合わせられているチャンネルで現在放送中の番組についての番組映像８４０とを表示することができる。ディスプレイ画面８００は、録画オプション８３０を含む。録画オプション８３０が選択されると、又は、ユーザがリモコンの録画ボタンを押すと、双方向テレビ・アプリケーションは、図９に示す番組録画セットアップ・ディスプレイ画面９００を表示する。
【０１０１】
図９は、双方向テレビ・アプリケーションによって提供される番組録画セットアップ・ディスプレイ画面の一例９００を示す。ディスプレイ画面９００により、ユーザは、単発録画の予約やシリーズ録画の予約などの様々な録画設定を設定又は修正することができる。保存オプション９０２、品質オプション９０４、シリーズ・セットアップ・オプション９１０、前バッファ時間オプション９１２、後バッファ時間オプション９１４、録画優先度オプション９１６、非エピソード・オプション９２２、シリーズ録画一時一時停止オプション９２４、及び、シリーズ録画中止オプション９２６が図６に一例を示したステップ６４６、６４８、６５０、６５１、６５２、６５３、６５４、６５５、及び６５７に基づいて提供される。必要に応じて、他のオプションが表示されてもよい。シリーズ・セットアップ・オプション９１０、非エピソード・オプション９２２、シリーズ録画一時一時停止オプション９２４、及び、シリーズ録画中止オプション９２６は、ディスプレイ画面９００がシリーズものの一部又はシリーズ録画の一部である番組のために表示されるときに、表示される。図８の録画オプション８３０が選択された番組に対して録画予約するために、ユーザが保存オプション９０２を選択すると、デフォルトの録画設定で、又は、ディスプレイ画面９００においてユーザが選択した録画設定で、その録画が予約される。必要に応じて、ユーザが、本アプリケーションを利用して、既に録画予約されている番組に対して録画オプションを選択することができるようにしてもよい。この場合、本アプリケーションは、ユーザがその録画を修正又はキャンセルできるようにするディスプレイ画面９００などの画面を表示することができる。
【０１０２】
必要に応じて、ユーザが、双方向テレビ・アプリケーションを利用して、チャンネル、日時、及び、録画時間を指定することによって手動で録画予約できるようにしてもよい。録画は、例えば、チャンネル、日時、及び、録画時間に入力することによって、少なくとも２週間の間、前もって予約することができる。双方向テレビ・アプリケーションが手動録画と一致するデータを特定すると、この手動録画は番組ベースの録画（単発録画）に変換される。
【０１０３】
また、双方向テレビ・アプリケーションは、録画中の番組に関連するコンテンツも保存する。関連するコンテンツとは、例えば、番組情報、Ａｄｖａｎｃｅｄ  Ｔｅｌｅｖｉｓｉｏｎ  Ｆｏｒｕｍ（「ＡＴＶＥＦ」）コンテンツ、Ｗｉｎｋコンテンツ、Ａｄｖａｎｃｅｄ  Ｃｏｍｐａｔｉｂｌｅ  Ｔｅｌｅｖｉｓｉｏｎ（「ＡＣＴＶ」）ストリーム、又は、他の映像、グラフィックス、ソフトウェア、若しくは、テキスト・コンテンツ、などである。ユーザは、双方向テレビ・アプリケーションにより、傾聴中のディジタル音楽チャンネルを録音すること、或いは、日時、チャンネル、及び録音時間を手動で選択することによってディジタル音楽チャンネルを録音すること、ができる。双方向テレビ・アプリケーションは、タイトル、トラック、及び、アーティストなどのディジタル音楽録音に関連する音楽情報を記録することができる。
【０１０４】
シリーズ・セットアップ・オプション９１０は、選択された番組がシリーズものの１エピソードである場合だけ利用可能である。双方向テレビ・アプリケーションは、ＰＰＶ番組に対してはシリーズ・セットアップ・オプションを提示しないため、ユーザはＰＰＶ番組に対してシリーズ録画を設定できない。しかしながら、ＰＰＶ番組がパッケージ（例えば、繰り返されているＰＰＶ番組）の一部である場合、ユーザは、双方向テレビ・アプリケーションにより、パッケージ内の全番組に対してシリーズ録画を設定することができる。ＰＰＶパッケージに対してシリーズ録画を設定するために、双方向テレビ・アプリケーションは、ユーザに、シリーズ録画の設定前にパッケージを購入することを要求する。必要に応じて、パッケージ購入オプションは、録画セットアップ画面の一部としてユーザに提供されてもよい。
【０１０５】
本双方向テレビ・アプリケーションにより、ユーザは、ハイライト・ウィンドウ９１８を品質オプション９０４上に動かし、品質設定をスクロールして、録画に用いられる録画品質を設定することができる。品質レベルは、例えば、低品質、中品質、又は、高品質、などの適切な品質にセットすることができる。双方向テレビ・アプリケーションにより、ユーザは、ハイライト・ウィンドウ９１８を前バッファ時間オプション９１２上又は後バッファ時間オプション９１４上に動かし、リモコンのナビゲーション・ボタンを用いて録画される番組の放送予定時間前後のバッファ録画時間を設定することができる。バッファ録画時間は、バッファ時間なし、１分、又は、２分、などの任意の適切な時間に設定することができる。
【０１０６】
本双方向テレビ・アプリケーションにより、ユーザは、ハイライト・ウィンドウ９１８を非エピソード・オプション９２２上に動かし、リモコンの「ＯＫ」ボタンを押すことによって、非エピソード・オプション９２２を選択することができる。非エピソード・オプション９２２が選択されると、双方向テレビ・アプリケーションは、シリーズもののエピソードである番組は録画するが、実際にはそのシリーズのエピソードでない番組は録画しない。例えばあるシリーズものと一致したタイトルを持つ番組が存在した場合、その番組は、実際にはそのシリーズの一部ではないため、録画されない。双方向テレビ・アプリケーションにより、ユーザは、ハイライト・ウィンドウ９１８をシリーズ録画一時停止オプション９２４上に動かし、リモコンの「ＯＫ」ボタンを押すことによって、シリーズ録画一時一時停止オプション９２４を選択することができる。シリーズ録画一時停止オプション９２４が選択されると、双方向テレビ・アプリケーションにより、ユーザは、シリーズのうち今回のエピソードは録画しないが、他のエピソードの録画は継続することを選択することができる。双方向テレビ・アプリケーションにより、ユーザは、ハイライト・ウィンドウ９１８をシリーズ録画中止オプション９２６上に動かし、リモコンの「ＯＫ」ボタンを押すことによって、シリーズ録画中止オプション９２６を選択することができる。シリーズ録画中止オプション９２６が選択されると、双方向テレビ・アプリケーションは、シリーズもののエピソードの今後の録画をキャンセルし、シリーズ録画をキャンセルする。保存オプション９０２は、録画を予約し、そのユーザによって選択された録画設定を保存するのに用いられる。
【０１０７】
本双方向テレビ・アプリケーションにより、ユーザは、ハイライト・ウィンドウ９１８をシリーズ・セットアップ・オプション９１０上に動かし、リモコンの「ＯＫ」ボタンを押すことによって、シリーズ・セットアップ・オプション９１０を選択することができる。双方向テレビ・アプリケーションは、シリーズ・セットアップ・オプション９１０が選択されると、シリーズ録画セットアップ・ディスプレイ画面を表示する。この画面上でオプションが変更されるたびに更新される使用可能スペース・インジケータ９２０が表示される。インジケータ９２０は、今後の番組に利用可能な録画時間はどのくらいかを表示又は推定する。これは、必要に応じて、選択された番組の優先度に基づいてもよい。例えば、それは、録画優先度オプション９１６において現在指定されている優先度（例えば、「見逃せない」優先度、「できれば見逃したくない」優先度、「望ましくは見逃したくない」優先度、「スペースが空いていれば録画したい」優先度、など）を友ウィンドウＳルーティング番組を録画するのに使用可能なスペースはどのくらいあるかを示す。
【０１０８】
本双方向テレビ・アプリケーションにより、ユーザは、ハイライト・ウィンドウ９１８を録画優先度オプション９１６上に動かし、録画優先度設定をスクロールして、録画に対する録画優先度を設定することができる。録画優先度は、例えば、「見逃せない」優先度、「できれば見逃したくない」優先度、「望ましくは見逃したくない」優先度、「スペースが空いていれば録画したい」優先度、などの任意の適切な優先度に設定することができる。録画優先度オプション９１６は、指定した録画又はシリーズ録画に対して録画優先度を設定することができる。
【０１０９】
本双方向テレビ・アプリケーションにより、ユーザは、ハイライト・ウィンドウ９１８をシリーズ・セットアップ・オプション９１０上に動かし、リモコンの「ＯＫ」ボタンを押すことによって、シリーズ・セットアップ・オプション９１０を選択することができる。双方向テレビ・アプリケーションは、シリーズ・セットアップ・オプション９１０が選択されると、シリーズ録画セットアップ・ディスプレイ画面を表示する。シリーズ・セットアップ・オプションは、選択された番組がシリーズものの一部であるときだけ、ディスプレイ画面９００に含まれる。図１０は、双方向テレビ・アプリケーションによって提供されるシリーズ録画セットアップ・ディスプレイ画面の一例１０００を示す。ディスプレイ画面１０００により、ユーザは、シリーズ録画についての設定をセット又は修正することができる。図６に一例として示したステップ６６４、６６８、６７０、６７２、６７６、６７８、６８０、６８２、６８４、６８６、及び、６８８に基づいて、保存セットアップ・オプション１００２、エピソード数オプション１００４、録画チャンネル・オプション１００６、全エピソード視聴オプション１００８、録画日オプション１０１２、録画時間オプション１０１４、以前に見た番組の録画オプション１０１６、再放送番組録画オプション１０１８、エピソード種類オプション１０２０、単発としての保存オプション１０２２、及び、リマインダとしての保存オプション１０２４、が提供される。必要に応じて、他のオプションが表示されてもよい。
【０１１０】
ユーザは、ディスプレイ画面１０００を用いて、シリーズ録画を設定することができる。双方向テレビ・アプリケーションにより、ユーザは、ハイライト・ウィンドウ１０１０をエピソード数オプション１００４上に動かし、数をスクロールさせて、一度にＰＶＲ上にシリーズ録画として保存されるエピソード数を設定することができる。双方向テレビ・アプリケーションにより、ユーザは、ハイライト・ウィンドウ１０１０を録画チャンネル・オプション１００６上に動かし、リモコンのナビゲーション・ボタンを用いてチャンネルをスクロールさせ、シリーズ録画するチャンネルを選択することができる。シリーズ録画するチャンネルとして選ばれるチャンネルには、例えば、シリーズ録画が設定された番組の本来のチャンネルが含まれてもよく、すべての考えられるチャンネルが含まれてもよく、ユーザが選択したチャンネルが含まれてもよく、放送チャンネルやプレミアム・チャンネルなどの特定の種類のチャンネルが含まれてもよく、或いは、他の適切な任意のチャンネルが含まれてもよい。例えばハイライト・ウィンドウをオプション１００８上に動かし、リモコンの「ＯＫ」キーを押すことによって、全エピソード視聴オプション１００８が選択されると、双方向テレビ・アプリケーションは、シリーズ録画一覧表ディスプレイ画面を表示する。双方向テレビ・アプリケーションにより、ユーザは、ハイライト・ウィンドウ１０１０を録画日オプション１０１２上に動かし、リモコンのナビゲーション・ボタンを用いてスクロールさせ、シリーズものの番組を録画する日を選択することができる。ユーザは、具体的な日にちを選択してもよく、すべての日を選択してもよく、或いは、他の適切な任意の日の組み合わせを選択してもよい。双方向テレビ・アプリケーションにより、ユーザは、ハイライト・ウィンドウ１０１０を録画時間オプション１０１４上に動かし、リモコンのナビゲーション・ボタンを用いてスクロールさせ、シリーズ録画において番組が録画される時間を選択することができる。ユーザは、その番組を録画する時間を、プライムタイム、深夜、早朝、日中、選択されたエピソードと同じ時刻、又は、他の任意の時刻若しくは時刻の組み合わせ、などとして選択することができる。ユーザが時間を選択しなかった場合、初期設定として、双方向テレビ・アプリケーションは、選択された番組と同じ時間の間に放送中のエピソードのみを録画する。
【０１１１】
本双方向テレビ・アプリケーションにより、ユーザは、以前に見た番組の録画オプション１０１６上にハイライト・ウィンドウ１０１０を動かし、「する」／「しない」の間でスクロールさせ、双方向テレビ・アプリケーションにユーザが以前に見た番組を録画させるか否かを選択することができる。双方向テレビ・アプリケーションは、この判断を行うために、特定のユーザが視聴したすべての番組のログを保持する。双方向テレビ・アプリケーションにより、ユーザは、再放送番組の録画オプション１０１８上にハイライト・ウィンドウ１０１０を動かし、「する」／「しない」の間でスクロールさせ、双方向テレビ・アプリケーションに再放送である番組を録画させるか否かを選択することができる。双方向テレビ・アプリケーションにより、ユーザは、ハイライト・ウィンドウ１０１０をエピソード種類オプション１０２０上に動かし、エピソード種類設定をスクロールさせて、録画されるエピソードの種類を選択することができる。シリーズ録画におけるエピソードの種類とは、例えば、シンジケート・エピソード、封切エピソード、又は、シンジケート・エピソード及び封切エピソードの双方、などの任意の適切な種類のエピソードである。また、エピソード種類は、所望のエピソードが当初放送されたのがいずれのシーズン中であったかを示す指定であってもよい。
【０１１２】
本双方向テレビ・アプリケーションにより、ユーザは、単発として保存するオプション１０２２上にハイライト・ウィンドウ１０１０を動かし、ディスプレイ画面１０００を出て、その番組を単なる単発録画として予約することができる。このシリーズ録画から単発録画への切替により、この番組に対するシリーズ録画機能は解除される。双方向テレビ・アプリケーションにより、ユーザは、リマインダとして保存するオプション１０２４上にハイライト・ウィンドウ１０１０を動かし、ディスプレイ画面１０００を出て、録画予約せずにその設定された設定をシリーズ・リマインダとして保存することができる。ユーザは、セットアップ保存オプション１００２を選択し、ディスプレイ画面１０００においてユーザが選択した設定を保存することができる。
【０１１３】
本双方向テレビ・アプリケーションは、あるシリーズものののエピソードであるすべての予定された番組のリストを表示する。図１１は、双方向テレビ・アプリケーションによって提供されるシリーズ一覧表ディスプレイ画面の一例１１００を示す。ディスプレイ画面１１００は、図１０のディスプレイ画面１０００において全エピソードを見るオプション１００８が選択されると表示される。ここで図１１を参照する。ディスプレイ画面１１００には、このシリーズに属するすべての番組がリストアップされており、今後の番組、録画済みの番組、又は、録画予約された番組、などが含まれる。録画予約リストの番組は、図９及び１０においてユーザによって選択された録画オプション及びシリーズ・オプションに基づいて録画が予約されているものである。シリーズ録画機能を備えた双方向テレビ番組ガイドの一例は、１９９９年６月１１日に出願されたＫｎｕｄｓｏｎらによる米国特許出願第０９／３３０、７９２号に記載されている。この文献はその全体が参考文献としてここに組み込まれる。ディスプレイ画面１１００には、番組シリーズのエピソードに対する録画予約についての日付、時刻、及び、チャンネルを含むバー１１０２などのリスト・バーが表示される。リスト・バー１１０２に含まれるアイコン１１０４は、その番組がシリーズ録画として録画予約されていることを示している。ディスプレイ画面１１００には、「このエピソードを消去」オプション１１０８が表示される。双方向テレビ・アプリケーションにより、ユーザは、「このエピソードを消去」オプション１１０８上にハイライト・ウィンドウ１１０６を動かし、「このエピソードを消去」オプション１１０８に関連付けられた特定のリストアップされたエピソードの消去を選択することができる。この選択が行われると、そのエピソードに対する録画予約は消去される。
【０１１４】
また、ユーザは、個々のエピソードを選択して、そのエピソードについての番組情報画面を見ることができる。これら個々のエピソードは、この画面において、シリーズ録画から削除することができる。また、ユーザは、録画予約されていないエピソードを選択し、双方向テレビ・アプリケーションにそれらを同様に録画予約させることもできる。また、双方向テレビ・アプリケーションは、この画面上で、ハイライトされたエピソード又は画面上のすべてのエピソードに関する追加的な情報を表示する。この情報とは、例えば、シリーズ・エピソード・タイトル、エピソード概要、又は、ゲスト俳優、などのあらゆる興味ある情報である。
【０１１５】
図１２は、双方向テレビ・アプリケーションによって提供されるキーワードベース録画ディスプレイ画面の一例１１５０を示す。ディスプレイ画面１１５０により、ユーザは、キーワードによる録画を追加及び削除することができる。ディスプレイ画面１１５０には、検索パラメータ１１５２、キーワード・オプション１１５４、キーワード・リスト１１５６、及び、削除オプション１１６０、が表示される。双方向テレビ・アプリケーションにより、ユーザは、リモコンの英数字ボタンを用いて、検索パラメータ１１５２にキーワードを入力することができる。
【０１１６】
ディスプレイ画面１１５０により、ユーザは、キーワード追加オプション１１５４を選択して、検索パラメータ１１５２に基づくキーワードによる録画をセットアップすることができる。キーワードが追加されると、双方向テレビ・アプリケーションは、そのキーワードに基づいた録画を自動的に予約する。双方向テレビ・アプリケーションにより、ユーザは、キーワードがハイライト・ウィンドウ１１５８に位置するように、リスト１１５６においてキーワードをスクロールさせることができる。リスト１１５６においてキーワードがスクロールされ、ハイライト・ウィンドウ１１５８は静止したまま保たれる。ハイライト・ウィンドウ１１５８の現在のキーワードを削除するためには、ユーザは、リモコンの右のナビゲーション・ボタンを押してハイライト・ウィンドウ１１５８を削除オプション１１６０上に位置させてから、リモコンの「ＯＫ」ボタンを押せばよい。また、双方向テレビ・アプリケーションにより、ユーザは、キーワード・リストの中からキーワードを選択し、今後の番組のデータベース又は録画済み番組のデータベースから一致する番組のリストを見ることができる。
【０１１７】
図１３は、双方向テレビ・アプリケーションによって提供されるスポーツ一覧表ディスプレイ画面の一例２３０を示す。ディスプレイ画面２３０は、図５のスポーツ・オプション５１３が選択されると表示される。ディスプレイ画面２３０は、スポーツ番組タイプのためのディスプレイ画面であるが、ディスプレイ画面２３０について以下に説明される特性は、映画、子供、コメディ、ＰＰＶ、などのあらゆる種類の他の番組タイプに対して表示される一覧表ディスプレイ画面にも当てはまる。必要に応じて、コメディ映画などの番組のサブカテゴリ用に同様のスクリーンが表示されてもよい。ディスプレイ画面２３０には、リスト・バー２３２などのリスト・バーが表示される。ハイライト・ウィンドウ２３６は、ディスプレイ画面２３０において選択を行うのに用いられる。リスト・バー２３２には、そのリスト・バー２３２に示された番組がＰＶＲから利用可能であることを示す録画済みコンテンツ・アイコン２３４が表示される。種類別一覧表ディスプレイ画面２３０において、録画済み番組は、リスト上で他の番組（例えば、これから放送される番組）より前に載せられる。必要に応じて、リスト上の録画済み番組は、最初に優先度によって、次に録画された日付によって、並べられてもよい。
【０１１８】
図１４は、双方向テレビ・アプリケーションによって提供されるチャンネル別一覧表ディスプレイ画面の一例２４０を示す。ディスプレイ画面２４０は、図５のチャンネル・オプション５１１が選択されると表示される。ディスプレイ画面２４０は、特定のチャンネルでの番組のリストを表示する。ディスプレイ画面２４０には、チャンネル変更オプション２４２が含まれる。このチャンネル変更オプション２４２により、ユーザは、ユーザのテレビ・サービス・プロバイダから提供される様々なチャンネルをスクロールして、それらチャンネルについての一覧表を見ることができる。録画済番組のリストは、チャンネル変更オプション２４２を用いて利用可能なチャンネル・リストに含まれるチャンネルのいずれかについてのものである。この録画済番組のリストは、最も高い番号のチャンネルと最も低い番号のチャンネルの間のいずれかのチャンネルとして位置付けられる。ディスプレイ画面２４０は、リスト・バー２４４などのリスト・バー内に録画済番組をリストアップする。録画済番組は、優先度によって、次に日時によって、並べられる。
【０１１９】
別の実施形態として、録画済番組は、その番組が録画されたチャンネルについての一覧表と共にリストアップされてもよい。録画済番組は、最初にリストアップされ、次いで、現在の及び今後の番組が続く。ハイライト・ウィンドウ２４６は、ディスプレイ画面２４０において選択を行うのに用いられる。
【０１２０】
図１５は、双方向テレビ・アプリケーションによって提供される時間一覧表ディスプレイ画面の一例２５０を示す。ディスプレイ画面２５０は、図５の時間別オプション５０９が選択されると表示される。ディスプレイ画面２５０は、特定の時間にユーザが見ることができる番組のリストを表示する。また、録画済番組は、このリストにおいて、最も高い番号のチャンネルと最も低い番号のチャンネルの間に含まれる。
【０１２１】
ディスプレイ画面２５０には、時間変更オプション２５２が含まれる。この時間変更オプション２５２により、ユーザは、時間別一覧表をスクロールすることができる。ディスプレイ画面２５０は、リスト・バー２５４などの録画済番組用のリスト・バーを含む。ハイライト・ウィンドウ２５９は、ディスプレイ画面２５０において選択を行うのに用いられる。必要に応じて、ユーザが時間変更オプション２５２を用いて様々な時間をスクロールするとき、リストアップされた１又は複数の録画済番組が変更されてもよい。また、ディスプレイ画面２５０は、番組リスト・バー２５８などの現在の又は今後の番組用のリスト・バーも含む。ディスプレイ画面２５０に示すように、録画済番組は、最も高い番号のチャンネルと最も低い番号のチャンネルの間に載せられる。必要に応じて、チャンネル０（ゼロ）が録画済番組一覧表へのアクセス用に指定されてもよい。例えば、チャンネル０を選択すると、双方向テレビ・アプリケーションは、ディスプレイ画面２５０に録画済番組についての一覧表を素早く示す。必要に応じて、全録画済番組についての完全なリストへのアクセスを提供するクイック・アクセス・オプションが存在してもよい。必要に応じて、時間別ディスプレイ画面は、例えばグリッド形式で、番組を３０分の倍数で示してもよい。
【０１２２】
図１６は、双方向テレビ・アプリケーションによって提供されるブラウズ又はフリップ・オーバーレイの一例２６０を示す。ブラウズ及びフリップ機能を備えた双方向テレビ番組ガイドの一例は、例えば、１９９９年６月１１日に出願されたＢｏｙｅｒらによる米国特許出願第０９／３３０、７９３号に記載されている。この文献は、その全体が参考文献としてここに組み込まれる。オーバーレイ２６０は、チャンネル変更オプション２６２を含む。双方向テレビ・アプリケーションがブラウズ・モードのとき、双方向テレビ・アプリケーションにより、ユーザは、チャンネル変更オプション２６２を用いてチャンネルをスクロールすることができる。チャンネルが変更されると、タイトル２６４は、新しいチャンネル上の現在の番組のタイトルに変わる。録画済番組についてのタイトルは、ユーザがチャンネルを録画済番組に対して指定されたチャンネルに変えたときに、表示される。録画済番組は、最も高い番号のチャンネルと最も低い番号のチャンネルの間に指定される。
【０１２３】
リモコンの右又は左矢印キーが押されると、双方向テレビ・アプリケーションは、現在選択されているチャンネルが正規のテレビ・チャンネルであるとき、現在選択されているチャンネル上の後の又は前の番組のタイトルをタイトル２６４に表示する。録画済番組のタイトルが表示されているときに、リモコンの右又は左矢印キーが押されると、双方向テレビ・アプリケーションは他の録画済番組のタイトルを表示する。録画済番組のタイトルは、優先度、又は、日付、などの任意の適切な基準によって並べられる。様々なチャンネル上の現在の番組のタイトルが表示されたときに、リモコンの「ＯＫ」ボタンが押されると、双方向テレビ・アプリケーションはそのチャンネルに変わる。録画済番組のタイトルがタイトル２６４に表示されているとき、リモコンの「ＯＫ」ボタンが押されると、双方向テレビ・アプリケーションはその録画済番組を再生する。リモコンの情報キーが押されると、双方向テレビ・アプリケーションは、タイトル２６４に示された番組についての情報ディスプレイ画面を表示する。情報ディスプレイ画面は、現在放送中の番組、今後の番組、又は、録画済番組について表示される。
【０１２４】
本双方向テレビ・アプリケーションがフリップ・モードのとき、ユーザは、チャンネルを変えることによって、表示されている現在のチャンネルを変えると共に、オーバーレイ２６０におけるそのチャンネル上の現在の番組のタイトル２６４を変えることができる。録画済番組についてのチャンネルは、フリップ・モードでは利用できない。代替的に、チャンネルがフリップ・モード中でも録画済番組を見るためには利用可能であってもよい。双方向テレビ・アプリケーションは、ユーザが録画済番組にフリップしたときにその録画済番組の再生を開始する。その番組は以前に部分的に見たものであった場合、録画済番組へフリップすると、双方向テレビ・アプリケーションは、一番最近見終えたところから番組の再生を開始する。フリップ・モードは、ライブのテレビ番組をその番組用のバッファから再生して見ているときに利用可能となる。ここで、ライブのテレビ番組とは、放送されているのと同時に視聴されている番組を指す。
【０１２５】
本双方向テレビ・アプリケーションにより、ユーザは、ＰＶＲセットアップ・オプションをセットすることができる。図１７は、ＰＶＲセットアップ・オプションを設定するのに用いられるプロセスの一例４３０を示す。ステップ４３２において、双方向テレビ・アプリケーションは、ＰＶＲセットアップ・ディスプレイ画面を表示する。ステップ４３２において、ステップ４３４、４３６、４３８、４４０、４４２、４４４、４４６、４４８、４５０、４５２、４５４、４５６、４５８、４６６、４６８、及び、４７０を含むＰＶＲセットアップ・オプションがユーザに提供される。
【０１２６】
ステップ４３４において、本双方向テレビ・アプリケーションにより、ユーザは、特定のチャンネルで録画予約された又は特定の番組種類を持つ番組の前後で用いられるバッファ録画時間を編集することができる。ユーザが録画前後のバッファ時間の編集を選択した場合、双方向テレビ・アプリケーションは、ステップ４６０において、チャンネル／種類別時間前／後バッファ録画時間編集ディスプレイ画面を表示する。ステップ４３６において、本双方向テレビ・アプリケーションにより、ユーザは、デフォルトの録画品質をセットすることができる。ステップ４３８において、本双方向テレビ・アプリケーションにより、ユーザは、番組チャンネル又は番組種類に基づいて録画品質を編集することができる。ユーザが録画品質のチャンネル別又は種類別編集を選択した場合、双方向テレビ・アプリケーションは、ステップ４６２において、チャンネル／種類別録画品質編集ディスプレイ画面を表示する。ステップ４４０において、本双方向テレビ・アプリケーションにより、ユーザは、シリーズ録画の品質をセットすることができる。ステップ４４２及び４４４において、本双方向テレビ・アプリケーションにより、ユーザは、予約された録画に用いられる時間前バッファ録画時間及び時間後バッファ録画時間のデフォルト値をそれぞれセットすることができる。
【０１２７】
ステップ４４６において、本双方向テレビ・アプリケーションにより、ユーザは、番組に対するデフォルトの録画優先度をセットすることができる。録画優先度オプションは、例えば、「見逃せない」優先度、「できれば見逃したくない」優先度、「望ましくは見逃したくない」優先度、「スペースが空いていれば録画したい」優先度、などの任意の適切な優先度である。ステップ４４８において、本双方向テレビ・アプリケーションにより、ユーザは、バッファ・オプションをセットすることができる。これは、ステップ４６６、４６８、及び、４７０を含む。明らかなように、本開示において、バッファという語は、放送予定の変更による切断を防ぐために録画予約の前／後にテレビ・コンテンツを録画するのに用いられるバッファ録画を指す場合もあれば、生放送のテレビの一時停止などの機能を可能にするライブ・テレビのバッファリングを指す場合もある。
【０１２８】
ステップ４６６において、本双方向テレビ・アプリケーションにより、ユーザは、ライブのテレビをバッファするのに用いられる最大サイズ（又は、最大時間）をセットすることができる。ステップ４６８において、本双方向テレビ・アプリケーションにより、ユーザは、ライブのテレビ用のバッファ品質をセットすることができる。必要に応じて、ユーザが、チャンネル、チャンネル種類、又は、番組種類ごとに異なるバッファ品質を選択できるようにしてもよい。ステップ４７０において、本双方向テレビ・アプリケーションにより、ユーザは、バッファ録画時間の重複を解決するためのオプションを選択することができる。ユーザがバッファ録画時間の重複の解決を選択した場合、双方向テレビ・アプリケーションは、ステップ４６４において、バッファ時間重複ディスプレイ画面を表示する。
【０１２９】
ステップ４５０において、双方向テレビ・アプリケーションは、ステップ４５２、４５４、４５６、及び、４５８を含むデフォルト・シリーズ録画オプションを提供する。ステップ４５２において、本双方向テレビ・アプリケーションにより、ユーザは、デフォルトとして双方向テレビ・アプリケーションにユーザが以前に見た番組を録画させるか否かを選択することができる。ステップ４５４において、本双方向テレビ・アプリケーションにより、ユーザは、デフォルトとして双方向テレビ・アプリケーションに再放送である番組を録画させるか否かを選択することができる。ステップ４５６において、本双方向テレビ・アプリケーションにより、ユーザは、デフォルトとして双方向テレビ・アプリケーションにシリーズ・エピソードを録画させるチャンネルを選択することができる。ステップ４５８において、本双方向テレビ・アプリケーションにより、ユーザは、デフォルトとしてシリーズ録画としてシンジケート・エピソード、封切エピソード、又は、シンジケート・エピソード及び封切エピソードの双方、を選択することができる。このプロセスにおいてセットされたすべてのオプションは、メモリに記憶され、新しい録画が予約されたときにデフォルトとして用いられる。録画が予約されたときに、これらの設定のうちのいずれかが無効にされてもよい。必要に応じて、ＰＶＲデフォルトの個々の設定は、ユーザごとに入力できるようにしてもよい。
【０１３０】
図１８は、双方向テレビ・アプリケーションによって提供されるＰＶＲセットアップ・ディスプレイ画面の一例５４０を示す。ＰＶＲセットアップ・ディスプレイ画面５４０は、ユーザが具体的な録画設定を選択したとき、又は、ユーザがデフォルト録画設定の設定を選択したときに表示される。ディスプレイ画面５４０により、ユーザは、ＰＶＲに対する様々な設定をセットすることができる。必要に応じて、ＰＶＲセットアップ・ディスプレイ画面５４０は、システム・デフォルトを設定するオプションを含まずに、具体的な録画を設定するオプションを含むように表示されてもよい。逆に、ＰＶＲセットアップ・ディスプレイ画面５４０は、具体的な録画を設定するオプションを含まずに、システム・デフォルトを設定するオプションを含むように表示されてもよい。
【０１３１】
ディスプレイ画面５４０は、図１７に一例として示したステップ４３４、４３６、４３８、４４０、４４２、４４４、４４６、４５２、４５４、４５６、４５８、４６６、４６８、及び、４７０に基づいて供給される、チャンネル／種類別前／後バッファ時間オプション５４２、デフォルト品質オプション５４４、チャンネル／種類別品質オプション５４６、シリーズ録画品質オプション５４８、デフォルト前バッファ時間オプション５５０、デフォルト後バッファ時間オプション５５２、録画優先度オプション５５４、以前に見た番組の録画オプション５５６、再放送番組の録画オプション５５８、シリーズ録画チャンネル選択オプション５６０、シリーズ録画種類オプション５６２、バッファ時間重複オプション５６３、ライブ・テレビのバッファ・サイズ・オプション５７０、及び、ライブ・テレビのバッファ品質オプション５７２、を含む。必要に応じて、他のセットアップ・オプションが提供されてもよい。
【０１３２】
本双方向テレビ・アプリケーションにより、ユーザは、チャンネル／種類別前／後バッファ時間オプション５４２上にハイライト・ウィンドウ５６８を動かし、リモコンの「ＯＫ」ボタンを押すことによって、チャンネル／種類別前／後バッファ時間オプション５４２を選択することができる。双方向テレビ・アプリケーションは、チャンネル／種類別前／後バッファ時間オプション５４２が選択されると、チャンネル／種類別前／後バッファ時間ディスプレイ画面を表示する。本双方向テレビ・アプリケーションにより、ユーザは、ハイライト・ウィンドウ５６８をデフォルト品質オプション５４４上に動かし、品質設定をスクロールして、デフォルト録画品質を選択することができる。このデフォルト録画品質は、ユーザによって具体的に設定された録画を除き、或いは、オプション５４６及び５４８などのオプションによって無効とされない限り、すべての録画について用いられる。図２５のディスプレイ画面１４００は、例えば、具体的な録画に対して録画品質をセットするのに用いられる。必要に応じて、ディスプレイ画面５４０は、具体的な録画に対して録画品質をセットするオプションを含んでもよい。
【０１３３】
本双方向テレビ・アプリケーションにより、ユーザは、チャンネル／種類別品質オプション５４６上にハイライト・ウィンドウ５６８を動かし、リモコンの「ＯＫ」ボタンを押すことによって、チャンネル／種類別品質オプション５４６を選択することができる。双方向テレビ・アプリケーションは、チャンネル／種類別品質オプション５４６が選択されると、チャンネル／種類別品質編集ディスプレイ画面を表示する。
【０１３４】
本双方向テレビ・アプリケーションにより、ユーザは、シリーズ録画品質オプション５４８上にハイライト・ウィンドウ５６８を動かし、シリーズ録画に用いられるデフォルト品質設定をスクロールすることができる。本双方向テレビ・アプリケーションにより、ユーザは、ハイライト・ウィンドウ５６８をデフォルト前バッファ時間オプション５５０又はデフォルト後バッファ時間オプション５５２上に動かし、利用可能なバッファ時間設定をスクロールして、予約された録画の前のデフォルト・バッファ録画時間及び予約された録画の後のデフォルト・バッファ録画時間をそれぞれセットすることができる。本双方向テレビ・アプリケーションにより、ユーザは、ハイライト・ウィンドウ５６８を録画優先度オプション５５４上に動かし、優先度設定をスクロールして、録画に用いられるデフォルト録画優先度をセットすることができる。録画優先度オプションは、例えば、「見逃せない」優先度、「できれば見逃したくない」優先度、「望ましくは見逃したくない」優先度、「スペースが空いていれば録画したい」優先度、などの任意の適切な優先度である。
【０１３５】
必要に応じて、ある番組に対してセットされた録画優先度が、その番組の録画に対する消去優先度に変換可能であってもよい。この変換の一例として、例えば、録画優先度が「見逃せない」優先度にセットされた番組は、その番組が録画されたときに「絶対に消去してはならない（ｎｅｖｅｒ  ｄｅｌｅｔｅ）」消去優先度に変換される。残りの録画優先度オプションも、対応する消去優先度オプションを有する。
【０１３６】
本双方向テレビ・アプリケーションにより、ユーザは、以前に見た番組の録画オプション５５６上にハイライト・ウィンドウ５６８を動かし、する／しないの間でスクロールして、双方向テレビ・アプリケーションにユーザが以前に見た番組を録画させるか否かについてのデフォルト値を設定することができる。本双方向テレビ・アプリケーションにより、ユーザは、再放送番組録画オプション５５８上にハイライト・ウィンドウ５６８を動かし、する／しないの間でスクロールして、双方向テレビ・アプリケーションに再放送である番組を録画させるか否かについてのデフォルト値を設定することができる。本双方向テレビ・アプリケーションにより、ユーザは、シリーズ録画チャンネル選択オプション５６０上にハイライト・ウィンドウ５６８を動かし、シリーズ録画配給経路選択設定をスクロールして、シリーズ録画を実行するのにデフォルトとして用いられるチャンネルを選択することができる。このチャンネル選択は、例えば、オリジナル・チャンネルのみ、すべての考えられるチャンネル、又は、ユーザが選択したチャンネル、などの任意の適切なチャンネルである。
【０１３７】
本双方向テレビ・アプリケーションにより、ユーザは、シリーズ録画種類オプション５６２上にハイライト・ウィンドウ５６８を動かし、シリーズ・エピソード種類をスクロールして、デフォルトとして番組のどの種類のエピソードが録画されるかを設定することができる。シリーズ録画のエピソード種類とは、例えば、シンジケート・エピソード、封切エピソード、シンジケート・エピソード及び封切エピソードの双方、或いは、すべてのシーズンを録画するか、又は、現シーズンのみを録画するか、などの他のエピソード種類、などの任意の適切なエピソード種類である。双方向テレビ・アプリケーションにより、ユーザは、バッファ時間重複オプション５６３上にハイライト・ウィンドウ５６８を動かし、リモコンの「ＯＫ」ボタンを押すことによって、バッファ時間重複オプション５６３を選択することができる。双方向テレビ・アプリケーションは、バッファ時間重複オプション５６３が選択されると、バッファ時間重複ディスプレイ画面を表示する。バッファ時間重複オプション５６３は、バッファ録画時間の重なりを解決するのに用いられる。保存オプション５６４は、ユーザがディスプレイ画面５４０において選択したあらゆるＰＶＲ設定を保存するのに用いられる。キャンセル・オプション５６６が選択されると、双方向テレビ・アプリケーションは、ユーザによる選択を何ら保存せずにディスプレイ画面５４０を終了し、前のディスプレイ画面に戻る。
【０１３８】
本双方向テレビ・アプリケーションにより、ユーザは、ライブ・テレビ・バッファ・サイズ・オプション５７０上にハイライト・ウィンドウ５６８を動かし、サイズ・オプションをスクロールして、ＰＶＲ上の何時間分のストレージ・スペースをライブ・テレビの録画に用いるかをセットすることができる。ライブ・テレビ・バッファ・オプション５７０のサイズは、時間要素と、ＰＶＲ上のどのくらいのストレージ・スペースがライブ・テレビをバッファするのに指定されるかを示すパーセント要素と、を含む。本双方向テレビ・アプリケーションにより、ユーザは、ライブ・テレビ・バッファ品質オプション５７２上にハイライト・ウィンドウ５６８を動かし、品質オプションをスクロールして、ライブ・テレビをバッファするのにＰＶＲによって用いられるライブ・テレビ・バッファ品質を設定することができる。
【０１３９】
本双方向テレビ・アプリケーションにより、ユーザは、ハイライト・ウィンドウ５６８を再圧縮作動オプション５７４上に動かし、する／しないの間をスクロールして、録画済番組に対する再圧縮を作動させるか否かを設定することができる。ユーザがオプション５７４を選択すると、双方向テレビ・アプリケーションは、ＭＰＥＧ−４などのより効率的なディジタル・ビデオ圧縮技術を用いて、バックグラウンド処理によって、録画済番組を再度圧縮する。録画の再圧縮は、その特定の録画に対して消費されるストレージ・スペースを減少させる。
【０１４０】
必要に応じて、ユーザが、本アプリケーションを利用して、チャンネル、チャンネル種類、又は、番組種類、などの要因ごとに異なるバッファ・サイズを選択できるようにしてもよい。例えば、チャンネルごとに異なるライブ・テレビ・バッファ・サイズを割り当てるオプション、番組種類（例えば、映画、スポーツ、ドキュメンタリ、トークショー、又は、ニュース、などの番組カテゴリ又はジャンル）ごとに異なるライブ・テレビ・バッファ・サイズを割り当てるオプション、チャンネル種類（例えば、ケーブルテレビ・チャンネル、ネットワーク・チャンネル、又は、放送チャンネル、などのチャンネル種類）ごとに異なるライブ・テレビ・バッファ・サイズを割り当てるオプション、などの要因ごとに異なるライブ・テレビ・バッファ・サイズを割り当てるオプションを含む１以上のディスプレイ画面又はオーバーレイが表示されてもよい。本双方向テレビ・アプリケーションにより、ユーザは、ハイライト・ウィンドウをこれらディスプレイ画面又はオーバーレイ内で動かし、ライブ・テレビ・バッファに対するデフォルト設定（例えば、バッファ・サイズ）を選択することができる。図１９に示したデフォルト時間前／後バッファ録画時間を設定するディスプレイ画面などのディスプレイ画面は、これらライブ・テレビ・バッファ設定を実行するのに用いることができる。ユーザは、ＰＶＲセットアップ・ディスプレイ画面又は他の適切な手段を通じて、これらオプションにアクセスすることができる。
【０１４１】
必要に応じて、ユーザが、本アプリケーションを利用して、チャンネル、チャンネル種類、又は、番組種類、などの要因ごとに異なるバッファ品質を選択できるようにしてもよい。例えば、チャンネルごとに異なるライブ・テレビ・バッファ品質を割り当てるオプション、番組種類（例えば、映画、スポーツ、ドキュメンタリ、トークショー、又は、ニュース、などの番組カテゴリ又はジャンル）ごとに異なるライブ・テレビ・バッファ品質を割り当てるオプション、チャンネル種類（例えば、ケーブルテレビ・チャンネル、ネットワーク・チャンネル、又は、放送チャンネル、などのチャンネル種類）ごとに異なるライブ・テレビ・バッファ品質を割り当てるオプション、などの要因ごとに異なるライブ・テレビ・バッファ品質を割り当てるオプションを含む１以上のディスプレイ画面又はオーバーレイが表示されてもよい。本双方向テレビ・アプリケーションにより、ユーザは、ハイライト・ウィンドウをこれらディスプレイ画面又はオーバーレイ内で動かし、ライブ・テレビ・バッファに対するデフォルト設定（例えば、バッファ品質）を選択することができる。図２０に示したコンテンツ種類ごとにデフォルト録画品質を設定するディスプレイ画面などのディスプレイ画面は、これらライブ・テレビ・バッファ設定を実行するのに用いることができる。ユーザは、ＰＶＲセットアップ・ディスプレイ画面又は他の適切な手段を通じて、これらオプションにアクセスすることができる。
【０１４２】
図１９は、双方向テレビ・アプリケーションによって提供されるチャンネル／種類別前／後バッファ時間ディスプレイ画面の一例７２０を示す。ディスプレイ画面７２０により、ユーザは、特定のチャンネルの番組又は特定の種類の番組の予約された録画の前後のデフォルト・バッファ録画時間を設定することができる。録画切断を低減する機能を備えた双方向テレビ番組ガイドの一例は、例えば、２００１年３月２９日に出願されたＥｌｌｉｓらによる米国特許出願第０９／８８１、００５号に記載されている。この文献は、その全体が参考文献としてここに組み込まれる。
【０１４３】
ユーザがチャンネルごと又は番組種類ごとの予約された録画前後のデフォルト・バッファ録画を手動でセットするまで、双方向テレビ・アプリケーションは、録画される番組の前後のデフォルト・バッファ録画時間を設定するのに用いられる図１８のオプション５５０及び５５２に基づいて、番組に対するバッファ録画時間をセットする。ディスプレイ画面７２０において、ユーザは、例えば、スポーツ番組が予定より長く放送されるという傾向を考慮して、スポーツ番組後のバッファ録画時間を１５分と設定することができる。
【０１４４】
本双方向テレビ・アプリケーションにより、ユーザは、チャンネルごとの時間前バッファ録画時間オプション７２２上にハイライト・ウィンドウ７４２を動かし、チャンネルをスクロールして、関心のある特定のチャンネルを選択することができる。ハイライト・ウィンドウ７４２を前バッファ時間オプション７２４上に動かし、時間をスクロールして、そのチャンネルの番組前のバッファ録画時間を設定することができる。本双方向テレビ・アプリケーションにより、ユーザは、チャンネル別時間後バッファ録画時間オプション７２６上にハイライト・ウィンドウ７４２を動かし、チャンネルをスクロールして、関心のあるチャンネルを選択することができる。ハイライト・ウィンドウ７４２を後バッファ時間オプション７２８上に動かし、時間をスクロールして、そのチャンネルの番組後のバッファ録画時間を設定することができる。
【０１４５】
本双方向テレビ・アプリケーションにより、ユーザは、番組種類別時間前バッファ録画時間オプション７３０上にハイライト・ウィンドウ７４２を動かし、番組種類をスクロールして、関心ある特定の番組種類を選択することができる。ハイライト・ウィンドウ７４２を前バッファ時間オプション７３２上に動かし、時間をスクロールして、その前バッファ時間を特定の番組種類の番組に対して用いられるようにセットすることができる。本双方向テレビ・アプリケーションにより、ユーザは、番組種類別後バッファ時間オプション７３４上にハイライト・ウィンドウ７４２を動かし、番組種類をスクロールして、関心ある特定の番組種類を選択することができる。ハイライト・ウィンドウ７４２を後バッファ時間オプション７３６上に動かし、時間をスクロールして、特定の番組種類のすべての番組に対して用いられる後バッファ時間を設定することができる。必要であれば、オプション７２４、７２８、７３２、及び、７３６のそれぞれが「デフォルト」設定を有してもよい。デフォルト設定により、その機能が図１８のオプション５５０及び５５２において選ばれた関連するデフォルト設定を用いるように設定される。
【０１４６】
ユーザは、双方向テレビ・アプリケーションにより、チャンネル種類に基づて、デフォルト前バッファ時間及び後バッファ時間を定義することができる。本双方向テレビ・アプリケーションにより、ユーザは、チャンネル種類別前バッファ時間オプション６９１２上にハイライト・ウィンドウ７４２を動かし、チャンネル種類をスクロールして、関心ある特定のチャンネル種類を選択することができる。ハイライト・ウィンドウ７４２を前バッファ時間オプション６９１４上に動かし、時間をスクロールして、特定のチャンネル種類上の番組に対して用いられるデフォルト前バッファ時間を設定することができる。
【０１４７】
本双方向テレビ・アプリケーションにより、ユーザは、チャンネル種類別後バッファ時間オプション６９１８上にハイライト・ウィンドウ７４２を動かし、チャンネル種類をスクロールして、関心ある特定のチャンネル種類を選択することができる。ハイライト・ウィンドウ７４２を、後バッファ時間オプション６９２０上に動かし、時間をスクロールして、特定のチャンネル種類上の番組に対して用いられるデフォルト後バッファ時間を設定することができる。
【０１４８】
保存オプション７３８を用いると、ディスプレイ画面７２０においてユーザによって選択された前バッファ時間及び後バッファ時間に対する設定を保存することができる。キャンセル・オプション７４０が選択されると、双方向テレビ・アプリケーションは、ユーザの選択を何ら保存せずにディスプレイ画面７２０から出て、前のディスプレイ画面に戻る。
【０１４９】
図２０は、双方向テレビ・アプリケーションによって提供されるチャンネル／種類別録画品質ディスプレイ画面の一例７５０を示す。ディスプレイ画面７５０により、ユーザは、特定のチャンネル上の番組又は番組種類に対するデフォルト録画品質を設定することができる。ユーザが手動で特定のチャンネル上の番組又は特定の番組種類に対するデフォルト録画品質を設定するまで、双方向テレビ・アプリケーションは、一般的なデフォルト録画品質オプションである図１８のオプション５４４に基づいた各録画品質を設定することができる。
【０１５０】
本双方向テレビ・アプリケーションにより、ユーザは、チャンネル・オプション７５２上にハイライト・ウィンドウ７６４を動かし、チャンネルをスクロールして、関心のある特定のチャンネルを選択することができる。ハイライト・ウィンドウ７６４をチャンネル品質オプション７５４の上に動かし、録画品質オプションをスクロールして、そのチャンネルに対する録画品質を選択することができる。本双方向テレビ・アプリケーションにより、ユーザは、番組種類オプション７５６上にハイライト・ウィンドウ７６４を動かし、番組種類をスクロールして、関心ある特定の番組種類を選択することができる。ハイライト・ウィンドウ７６４を番組種類品質オプション７５８上に動かし、録画品質オプションをスクロールして、その番組種類に対する録画品質を設定することができる。必要に応じて、あらゆるチャンネル又は番組種類に対するデフォルト品質をその種類の番組又はそのチャンネル上の番組に対して、デフォルトとして、図１８のオプション５４４において選ばれた設定が用いられる「デフォルト」に設定してもよい。また、必要に応じて、シリーズ録画（図１８のオプション５４８）に対するデフォルト録画品質も、画面７５０上で、番組種類オプション７５６を「シリーズ」に設定し、番組種類品質オプション７５８を用いて所望の録画品質を選択することによって設定されてもよい。
【０１５１】
必要に応じて、ユーザは、双方向テレビ・アプリケーションにより、チャンネル種類に基づいてデフォルト録画品質を定義できてもよい。本双方向テレビ・アプリケーションにより、ユーザは、チャンネル種類オプション６８２４上にハイライト・ウィンドウ７６４を動かし、チャンネル種類（例えば、スポーツ、映画、４大ネットワーク、視聴者制作、プレミアム、ニュース等）をスクロールて、関心ある特定のチャンネル種類を選択することができる。ハイライト・ウィンドウ７６４をチャンネル種類品質オプション６８２６上に動かし、録画品質オプションをスクロールして、チャンネル種類に基づいて使われるデフォルト録画品質を設定することができる。
【０１５２】
保存オプション７６０を用いると、ユーザによって選択された録画品質を保存することができる。キャンセル・オプション７６２が選択されると、双方向テレビ・アプリケーションは、ユーザによる選択を何ら保存せずにディスプレイ画面７５０から出て、前のディスプレイ画面に戻る。
【０１５３】
図２１は、双方向テレビ・アプリケーションによって提供されるバッファ時間重複ディスプレイ画面の一例７７０を示す。ユーザは、ディスプレイ画面７７０により、バッファ録画と番組との間及び異なるバッファ録画間の録画の重なりを解決するための設定を選択することができる。ユーザは、双方向テレビ・アプリケーションにより、バッファ録画優先度オプション７７４上にハイライト・ウィンドウ７７２を動かし、「する」／「しない」の間でスクロールして、前後バッファ録画に録画される番組より低い優先度を持たせるか否かを選択することができる。ユーザがオプション７７４に対して「する」を選択した場合、番組とバッファ録画との間の重複は番組を優先することによって解決される。
【０１５４】
また、本双方向テレビ・アプリケーションにより、ユーザは、オプション７７８及びオプション７８０を選択し、バッファ間での録画の重なりを解決することができる。ユーザがオプション７７８に対して「する」を選択すると、双方向テレビ・アプリケーションは、バッファ間の重複を各バッファに関連する予約された録画の録画優先度に基づいて解決する。
【０１５５】
ユーザがオプション７７８に対して「しない」を選択すると、オプション７８０を用いて、時間前バッファと時間後バッファに異なる優先度を割り当てることができる。例えば、オプション７８０を用いて、時間後バッファに時間前バッファよりも高い優先度を割り当てることができる。保存オプション７８４及びキャンセル・オプション７８６を用いると、それぞれ、ユーザによって選択された設定を保存する、又は、設定を保存せずに出る、ことができる。
【０１５６】
図２２は、双方向テレビ・アプリケーションによって提供される優先度レベル情報ディスプレイ画面の一例８７０を示す。ディスプレイ画面８７０は、ＰＶＲに残る空きメモリ（トータル時間）の量を表示する。また、ディスプレイ画面８７０は、各優先度レベルに対して使用できるメモリはどのくらい残っているかのリストを表示すると共に、録画用空きメモリがいつ尽きるかを現在予約されている録画に基づいて示す。
【０１５７】
ディスプレイ画面８７０は、メモリ使用情報セクション８７２を含む。メモリ使用情報セクション８７２は、ＰＶＲの全メモリスペースと、使用済の全メモリと、メモリがどのくらい残っているかとを示す。有効時間及び残り時間の時間数は、現在の録画の平均録画品質、デフォルト録画品質、又は、今後の録画の録画品質、などの録画品質に関する任意の適切な推定又は他の任意の適切な方法に基づく。ディスプレイ画面８７０は、優先度レベル情報リスト８７４を含む。優先度レベル情報リスト８７４は、各優先度レベルのリスト、各優先度レベルのために現在どのくらいのメモリが使われるかのインジケータ、及び、特定の優先度を持つ新しい録画予約のための空きを作るために番組の消去を開始するガイドがいつスタートするかの情報、を含む。
【０１５８】
本双方向テレビ・アプリケーションにＰＰＶ番組に対するＰＶＲ機能を備えることも可能である。図２３は、ＰＰＶ番組を選択・設定するのに用いられるプロセスの一例１２００を示す。ステップ１２１６では、例えば、ユーザが、一覧表画面から、或いは、ユーザが特定のＰＰＶ番組に対して関心を示すことができる他の任意の場所から、特定のＰＰＶ番組についての情報オプションを選択したとき、双方向テレビ・アプリケーションはＰＰＶ情報ディスプレイ画面を表示する。双方向テレビ・アプリケーションは、ステップ１２１８において、関連する番組ガイド・オプションを提供する。関連番組ガイド・オプションは、最後、注文／視聴、リマインド、ロック、時間、及び、他の適切な番組ガイド・オプションを有する。ステップ１２２４において、本双方向テレビ・アプリケーションにより、ユーザは、ＰＰＶ録画をセット及び／又は設定する録画オプションを選択することができる。また、リモコン上の録画キーを用いても、ＰＰＶ番組を録画することをセットできる。
【０１５９】
ＰＰＶ番組が前に注文されたものでなければ、ユーザは、双方向テレビ・アプリケーションによって、録画予約の前に注文プロセスを通ることになる。ユーザは、そのＰＰＶ番組に録画優先度を設定することができる。図６のステップ６５１などの録画優先度設定工程がプロセス１２００にも含まれる。また、ステップ６０８、６５３、６５５、及び、６５７などのシリーズ録画に関連するオプション又はステップも、例えば録画予約されたＰＰＶ番組がパッケージの一部であるときには、プロセス１２００に含まれる。必要に応じて、封切／シンジケートなどのシリーズ・セットアップ・オプションの一部がＰＰＶパッケージに対しては提供されないようにしてもよい。
【０１６０】
ユーザがＰＰＶ番組を録画しようとすると、双方向テレビ・アプリケーションは、その番組を録画予約する前にそのＰＰＶ番組を注文することをユーザに要求する。必要に応じて、双方向テレビ・アプリケーションは、ユーザがＰＰＶ番組の録画を選択したときには、自動的にそのＰＰＶ番組を注文するようにしてもよい。別の実施形態として、双方向テレビ・アプリケーションは、録画セットアップ・プロセスの一部として、ＰＰＶ注文画面を自動的に表示してもよい。ユーザが所望のＰＰＶ番組に対する注文を完了しなければ、録画は予約されない。ＰＰＶ番組が衝動注文（ｉｍｐｕｌｓｅ  ｏｒｄｅｒ）ＰＰＶ番組（例えば、自動番号識別ＰＰＶ番組）でなければ、本双方向テレビ・アプリケーションにより、ユーザは、番組を注文する前に録画を予約できる。
【０１６１】
ユーザがＰＰＶ番組に対する録画オプションを選択すると、双方向テレビ・アプリケーションはステップ１２０６に進む。ステップ１２０６において、ＰＰＶ録画に関連するオプションがユーザに提供される。ステップ１２０６は、ステップ１２３２、１２３４、１２３６、１２３８、１２４０、及び、１２４２を含む。ステップ１２３４において、本双方向テレビ・アプリケーションにより、ユーザは、ＰＰＶ番組録画時間を選択できる。例えば、ユーザは、ＰＰＶ放送時間リストの中から特定の放送を選択することができる。ステップ１２３６において、本双方向テレビ・アプリケーションにより、ユーザは、そのＰＰＶ番組に対する録画品質を選択することができる。ステップ１２３８及び１２４０において、本双方向テレビ・アプリケーションにより、ユーザは、所望のＰＰＶ番組の予定された放送の前及び後のバッファ録画時間をそれぞれセットすることができる。ステップ１２３２において、本双方向テレビ・アプリケーションにより、ユーザは、ＰＰＶ番組の録画を予約し、ユーザによって選択された設定を保存する保存オプションを選択することができる。ステップ１２４２において、本双方向テレビ・アプリケーションにより、ユーザは、録画を予約せずにキャンセルして前のディスプレイ画面に戻ることができる。
【０１６２】
図２４は、いまだ録画予約されていないＰＰＶ番組についての番組情報ディスプレイ画面の一例１３００を示す。ディスプレイ画面１３００は、例えば、図７のディスプレイ画面７００のリスト・バー７０２がＰＰＶ番組の上に位置するときに、リモコンの情報ボタンが選択されることによって表示される。ここで図２４を参照する。ディスプレイ画面１３００は、タイトル表示バー１３０６を含む。ディスプレイ画面１３００は、合わせられているチャンネル上で現在放送中の番組についての番組映像１３４０を含む。ディスプレイ画面１３００は、表示バー１３０６にリストアップされたＰＰＶ番組に関する情報を含むと共に、ＰＰＶ番組に関連する番組ガイド・オプションも含む。
【０１６３】
ディスプレイ画面１３００は、録画オプション１３３０を含む。ユーザが録画オプション１３３０を選択すると、双方向テレビ・アプリケーションは、図２５に示すＰＰＶ録画セットアップ・ディスプレイ画面１４００を表示する。
【０１６４】
ここで図２５を参照する。ＰＰＶ録画セットアップ・ディスプレイ画面１４００は、保存オプション１４０２、時間選択オプション１４１０、品質オプション１４０４、前バッファ時間オプション１４１２、後バッファ時間オプション１４１４、録画キャンセル・オプション１４１６、及び、録画優先度オプション１４２０を含む。これらのオプションは、図２３に一例として示されたステップ１２３２、１２３４、１２３６、１２３８、１２４０、及び、１２４２に基づいて提供される。本双方向テレビ・アプリケーションにより、ユーザは、ハイライト・ウィンドウ１４１８を時間選択オプション１４１０上に動かし、特定のＰＰＶ番組の予定された時間をスクロールして、録画時間を選択することができる。本双方向テレビ・アプリケーションにより、ユーザは、品質オプション１４０４上にハイライト・ウィンドウ１４１８を動かし、リモコンのナビゲーション・ボタンを用いて録画品質設定をスクロールして、録画に対する品質を選択することができる。本双方向テレビ・アプリケーションにより、ユーザは、前バッファ時間オプション１４１２上に又は後バッファ時間オプション１４１４上にハイライト・ウィンドウ１４１８を動かし、リモコンのナビゲーション・ボタンを用いて、録画に用いられる前後のバッファ時間を設定することができる。本双方向テレビ・アプリケーションにより、ユーザは、ハイライト・ウィンドウ１４１８を録画優先度オプション１４２０上に動かし、リモコンのナビゲーション・ボタンを用いて、録画に対する録画優先度を設定することができる。保存オプション１４０２を選択すると、所望の録画及び関連する録画設定を予約することができる。キャンセル・オプション１４１６が選択されると、双方向テレビ・アプリケーションは、ＰＰＶ番組の録画を予約せずに、現在のディスプレイ画面から出て、前のディスプレイ画面に戻る。他の適切なオプションが設けられてもよい。必要に応じて、ユーザが、本アプリケーションを利用して、既に録画予約されたＰＰＶ番組に対して録画オプションを選択できてもよい。この場合、本アプリケーションは、ディスプレイ画面１４００などの画面を表示する。この画面により、ユーザは、その録画設定を修正したり、その録画予約をキャンセルしたりすることができる。このように、ＰＶＲの機能性はＰＰＶ番組に対しても提供することができる。
【０１６５】
本双方向テレビ・アプリケーションにＶＯＤ番組に対するＰＶＲ機能を備えることも可能である。図２６は、ＶＯＤ番組の録画を選択・設定する際に用いられるプロセスの一例１２５０を示す。ステップ１２５２において、例えば、ユーザが、一覧表画面から、或いは、ユーザが特定のＶＯＤ番組に対して関心を示すことができる他の任意の場所から、特定のＶＯＤ番組についての情報オプションを選択したとき、双方向テレビ・アプリケーションはＶＯＤ情報ディスプレイ画面を表示する。双方向テレビ・アプリケーションは、ステップ１２５４において、関連する番組ガイド・オプションを提供する。関連番組ガイド・オプションは、最後、注文、リマインド、ロック、及び、他の適切な番組ガイド・オプションを有する。ステップ１２５６において、双方向テレビ・アプリケーションにより、ユーザは、録画オプション、リモコンの録画ボタン、又は、ライブ制御オーバーレイの録画オプションを選択して、ＶＯＤ録画をセット及び／又は設定することができる。
【０１６６】
ユーザがＶＯＤ番組を録画しようとすると、双方向テレビ・アプリケーションは、その番組を録画予約する前にそのＶＯＤ番組を注文することをユーザに要求する。必要に応じて、双方向テレビ・アプリケーションは、ユーザがＶＯＤ番組の録画を選択したときには、自動的にそのＶＯＤ番組を注文するようにしてもよい。別の実施形態として、双方向テレビ・アプリケーションは、録画セットアップ・プロセスの一部として、ＶＯＤ注文画面を自動的に表示してもよい。ユーザがＶＯＤ番組に対する注文を完了しなければ、録画はセットアップされない。
【０１６７】
ユーザがＶＯＤ番組に対する録画オプションを選択すると、双方向テレビ・アプリケーションはステップ１２５８に進む。ステップ１２５８において、ＶＯＤ録画に関連するオプションがユーザに提供される。ステップ１２５８は、ステップ１２６０、１２６２、１２６４、１２６６、１２６８、及び、１２７０を含む。ステップ１２６２において、双方向テレビ・アプリケーションは、ＶＯＤ番組の録画時間を提案する。双方向テレビ・アプリケーションは、現在予約されている録画及び録画の重複を回避するためのリマインダに基づいた時間を提案する。双方向テレビ・アプリケーションは、録画時間を提案し、ユーザが他の可能な録画時間をスクロールできるようにする。ステップ１２６４において、本双方向テレビ・アプリケーションにより、ユーザは、ＶＯＤ番組に対する録画品質を選択することができる。ステップ１２６６及び１２６８において、本双方向テレビ・アプリケーションにより、ユーザは、ＶＯＤ番組の録画予約の前及び後のバッファ録画時間をそれぞれセットすることができる。ＶＯＤ番組の録画に対する前バッファ時間又は後バッファ時間を選択することは、例えばＶＯＤ番組の再生がその番組について規定された時間を越えて延びた場合などに、有益的である。ＶＯＤ番組の再生は、例えばＶＯＤ番組の伝送中に中断が生じた場合などに、規定された時間を越えて延びる可能性がある。しかしながら、ＶＯＤ番組前／後のバッファ録画時間は、通常、必要でない。ステップ１２６０において、本双方向テレビ・アプリケーションにより、ユーザは、ＶＯＤ番組の録画を予約し、ユーザによって選択された設定を保存する保存オプションを選択することができる。ユーザは、ＶＯＤ番組に対して録画優先度を設定することができる。ユーザがＶＯＤ番組に対して録画優先度を設定できるように、図６のステップ６５１などの録画優先度を設定するステップもプロセス１２５０に含まれる。また、図６のプロセス６００の中の他のオプションも、必要に応じて含まれてもよい。ステップ１２７０において、本双方向テレビ・アプリケーションにより、ユーザは、録画を予約せずにキャンセルして前のディスプレイ画面に戻ることができる。
【０１６８】
ＶＯＤ又はＰＰＶ番組にコピープロテクトされたものとしてマークされている場合、双方向テレビ・アプリケーションは、その著作権で保護された番組に対する録画予約をユーザに許す場合を制限する。必要に応じて、双方向テレビ・アプリケーションは、コピープロテクトされたＰＰＶ又はＶＯＤ番組のライブ映像を自動的にバッファするのを禁止する。
【０１６９】
ＶＯＤ及びＰＰＶ番組は、使用態様に応じて異なる料金を持つように値付けすることができる。例えば、一番組を視聴する際の料金と一番組を録画する際の料金とが異なってもよい。番組録画料金は、ユーザが番組の録画を選択したときに表示される。必要に応じて、ＶＯＤ及びＰＰＶ番組には３つの異なる料金（最初の２つの料金は上述の２つの料金と同じ種類の料金であり、第三の料金は録画されたものを再生する度に掛かる料金）が付けられてもよい。また、双方向テレビ・アプリケーションは、普通のコンテンツのペイ・パー・レコーディング（有料録画）及びペイ・パー・プレイ（有料再生）をサポートすることもできる。また、双方向テレビ・アプリケーションは、ユーザがリモート・サーバ上で利用しているストレージ・スペースの量に応じて録画スペースに対する料金を支払う（例えば、リモート・サーバにおいてユーザの個人的な映像を記憶しているストレージ量に対して料金を支払う）システムをサポートすることもできる。
【０１７０】
図２７は、いまだ録画予約されていないＶＯＤ番組についての番組情報ディスプレイ画面の一例１２８０を示す。ディスプレイ画面１２８０は、例えば、図７のディスプレイ画面７００のリスト・バー７０２がＶＯＤ番組の上に位置するときに、リモコンの情報ボタンが選択されることによって表示される。ここで図２７を参照する。ディスプレイ画面１２８０は、タイトル表示バー１２８２を含む。ディスプレイ画面１２８０は、表示バー１２８２にリストアップされたＶＯＤ番組に関する情報を含むと共に、ＶＯＤ番組に関連する番組ガイド・オプションも含む。
【０１７１】
ディスプレイ画面１２８０は、録画オプション１２８４を含む。ユーザが録画オプション１２８４を選択すると、双方向テレビ・アプリケーションは、図２８に示すＶＯＤ録画セットアップ・ディスプレイ画面１３５０を表示する。
【０１７２】
ここで図２８を参照する。ＶＯＤ録画セットアップ・ディスプレイ画面１３５０は、保存オプション１３５２、録画時間案オプション１３６２、品質オプション１３５４、前バッファ時間オプション１３５６、後バッファ時間オプション１３５８、録画キャンセル・オプション１３６０、及び、録画優先度オプション１３６６を含む。これらのオプションは、図２６に一例として示されたステップ１２６０、１２６２、１２６４、１２６６、１２６８、及び、１２７０に基づいて提供される。
【０１７３】
上述のように、ＶＯＤ番組の録画に際し、前バッファ時間オプション１３５６及び後バッファ時間オプション１３５８は必ずしも必要ではなく、ユーザが選択できないものとしてもよい。
【０１７４】
本双方向テレビ・アプリケーションは、現在予約されている録画及びリマインダに基づいて、ＶＯＤ番組を録画する時間を提案する。また、双方向テレビ・アプリケーションは、そのＶＯＤ番組を録画するのに利用可能な録画時間がいつかを判断すると共に、録画時間案のリストを作成する。
【０１７５】
本双方向テレビ・アプリケーションにより、ユーザは、ハイライト・ウィンドウ１３６４を録画時間案オプション１３６２上に動かし、リモコンのナビゲーション・ボタンを用いて時間案をスクロールして、録画時間を選択することができる。時間案には、即時のＶＯＤ番組録画を可能にするために、現在時刻が含まれる。本双方向テレビ・アプリケーションにより、ユーザは、品質オプション１３５４上にハイライト・ウィンドウ１３６４を動かし、リモコンのナビゲーション・ボタンを用いて録画品質設定をスクロールして、録画に対する品質を選択することができる。本双方向テレビ・アプリケーションにより、ユーザは、ハイライト・ウィンドウ１３６４を録画優先度オプション１３６６上に動かし、リモコンのナビゲーション・ボタンを用いて、録画に対する録画優先度を設定することができる。保存オプション１３５２が選択されると、ユーザによってセットされた関連する録画設定に基づいて、所望の録画が予約される。キャンセル・オプション１３６０が選択されると、双方向テレビ・アプリケーションは、ＶＯＤ番組の録画を予約せずに、現在のディスプレイ画面を出て、前のディスプレイ画面に戻る。あるいは、必要に応じて、キャンセル・オプション１３６０を用いて、ＶＯＤ番組の録画予約のキャンセルができるようにしてもよい。ユーザが本アプリケーションを利用して録画設定の修正又は録画予約のキャンセルができる場合、必要に応じて、ユーザが既に録画予約されたＶＯＤ番組に対して録画オプションを選択した場合に、ディスプレイ画面１３５０が示されてもよい。
【０１７６】
ＶＯＤ番組の録画中、本双方向テレビ・アプリケーションにより、ユーザは、通常のＰＶＲフロー制御オプションを用いたローカルでのＶＯＤ番組の再生しか制御できない。例えば、ユーザは、ＶＯＤ番組の録画中に、ＶＯＤサーバからの再生を制御することはできない。しかしながら、ユーザは、ユーザのローカルのＰＶＲを通じて、ＶＯＤ番組の再生は制御することができる。ＶＯＤ番組に対するユーザの再生制御は、ＰＶＲによって録画されたＶＯＤ番組に至るまで利用可能である。
【０１７７】
ＰＶＲを用いて、テレビ・コンテンツを録画、再生、又は、バッファすることができる。図２９は、ＰＶＲを用いる際に必要なプロセスの一例１５００を示す。ステップ１５２０において、双方向テレビ・アプリケーションは、予約された録画の前に短い時間表示される録画予約に関するリマインダ・オーバーレイを表示する。この録画は、ユーザによって予約されたものであってもよく、或いは、双方向テレビ・アプリケーションによって予約されたものであってもよい。リマインダ・オーバーレイは、１以上のオプションを含む。ユーザは、このオーバーレイを利用して、その録画をキャンセルすることができる（シリーズ録画が設定されていれば、これは１エピソードの録画キャンセルに過ぎない）。また、ユーザは、このオーバーレイを利用して、現在の番組を見終わってから予約された時刻に録画を開始できるように、このオーバーレイを隠すこともできる。また、ユーザは、このオーバーレイを利用して、現在の番組を見るのをやめて、直ちにその番組の録画を開始することもできる。さらに、ユーザは、このオーバーレイを利用して、複製を保存せずにその番組を視聴するために、その番組にチャンネルを合わせると共に録画をキャンセルすることもできる。ユーザが何も行為を行わない場合、そのオーバーレイは所定時間後に除去され、双方向テレビ・アプリケーションは、チャンネルを予約された番組を放送しているチャンネルに合わせると共に録画を開始する。ステップ１５１０において、双方向テレビ・アプリケーションは、番組の録画を開始し、録画開始オーバーレイを表示する。
【０１７８】
ステップ１５１０に続くステップ１５１２において、双方向テレビ・アプリケーションは、録画中の番組のライブ映像を表示すると共に、ユーザの行為を監視し、ユーザがその録画のキャンセルを選択したか否かを判断する。例えば、ユーザは、リモコンの録画ボタンを押して又は別のリモコン・ボタンを押して録画のキャンセルを選択し、録画中に現在のチャンネル（録画しているチャンネル）を変えることもできる。ユーザが録画のキャンセルを選択しない場合、双方向テレビ・アプリケーションはステップ１５１４に進む。そうでない場合、ユーザが録画のキャンセルを選択したときにステップ１５１６が実行される。ステップ１５１６において、双方向テレビ・アプリケーションは、録画キャンセル・オーバーレイを表示する。必要に応じて、ユーザが、録画キャンセル・オーバーレイを利用して、その録画がキャンセルされたことを確認することを選択できてもよい。ユーザが録画をキャンセルしないことを選ぶと、双方向テレビ・アプリケーションはステップ１５１２に戻る。ユーザが録画をキャンセルすることを選ぶと、双方向テレビ・アプリケーションはステップ１５１８に進む。録画中、ユーザは、番組の録画に影響を与えずに、一時停止、巻き戻し、早送り、又は、他の再生制御動作を行うことができる。ユーザは、新しいコンテンツが現在録画されている番組の「ライブ（放送中）の」時点まで早送りすることができる。必要に応じて、ユーザが、本アプリケーションを利用して、現在の番組の録画中に、以前に録画された番組を見ることができてもよい。
【０１７９】
本双方向テレビ・アプリケーションは、ステップ１５１４の後、ステップ１５１８に進む。ステップ１５１４において、双方向テレビ・アプリケーションは、録画が完了したことを伝えるメッセージを示す録画完了オーバーレイを表示する。ユーザは、録画が完了したか或いは（例えばユーザが録画をキャンセルしたために）部分的に完了したかを問わず、例えば録画一覧表ディスプレイ画面（図３６参照）から、録画したものを再生させることができる。
【０１８０】
録画がキャンセルされると、或いは、録画が完了すると、ライブのテレビ番組がバッファされる。例えば、録画に使われていたチューナが、その録画がキャンセルされたとき又は完了したときに、ＰＶＲ上にライブのテレビ番組をバッファするために用いられる。必要に応じて、本システムは、複数の番組を同時に録画できるように、或いは、ユーザが１以上の番組の録画中に一番組を視聴できるように、複数のチューナを用いてもよい。ステップ１５１８において、双方向テレビ・アプリケーションは、ライブのフルスクリーン映像を表示・バッファする。また、ステップ１５１８において、ユーザがライブ制御オーバーレイを呼び出すと、双方向テレビ・アプリケーションは該オーバーレイを表示する。このライブ制御オーバーレイは、例えば、再生ボタン、巻き戻しボタン、一時停止ボタン、早送りボタン、又は、停止ボタンなどの特定のリモコンのボタンを押すことによって呼び出される。また、このオーバーレイを呼び出すための専用ボタンが用いられてもよい。ライブ制御オーバーレイは、再生、一時停止、巻き戻し、早送り、及び、録画、などのＰＶＲに関連する適切なタスク・オプションを含む。このライブ制御オーバーレイは、所定時間使用されなければ、自動的に消える。双方向テレビ・アプリケーションは、録画オプションがライブのテレビ番組に対して選択されるまで、又は、ステップ１５２０まで、ステップ１５１８に留まる。
【０１８１】
本双方向テレビ・アプリケーションが別の録画予約に対するリマインダ／録画オーバーレイを表示すると、プロセス１５００を開始させるためにステップ１５２０が繰り返される。ステップ１５１０は、例えばユーザがライブのテレビ番組を見ているときに録画オプションが選択されたときに、プロセス１５００を開始するために繰り返される。必要に応じて、何らオーバーレイが表示されずに録画が行われてもよい。例えば、録画の開始が予約されたときに、セットトップ・ボックスの電源が切られてもよい。本アプリケーションは、ユーザ装置に電源を入れずに、選択された番組にチャンネルを合わせ、ローカル・ストレージへの録画を開始することができる。別の方法として、ユーザへの何らの通知もなしに、リモート・サーバ上に番組が録画されてもよい。
【０１８２】
ＰＶＲが番組の録画を開始するとき、録画開始オーバーレイが表示される。図３０は、双方向テレビ・アプリケーションによって提供される録画開始オーバーレイの一例１６０２を示す。オーバーレイ１６０２は、双方向テレビ・アプリケーションが（例えば、図２９のステップ１５１０において）番組の録画を開始するときに、双方向テレビ・アプリケーションによって表示される。オーバーレイ１６０２は、現在の番組が現在録画されていることを示す。オーバーレイ１６０２は、バックグラウンドにおいて再生中の現在の番組についての映像１６０４上に表示される。オーバーレイ１６０２は、所定時間後に、或いは、ユーザがリモコンの戻るボタンを選択したときに、視界から消える。双方向テレビ・アプリケーションは、オーバーレイ１６０２を録画の一部として含ませずに、現在の番組を録画する。必要に応じて、テレビ番組は、ディスプレイ画面及びオーバーレイを録画の一部として含ませずに、録画されてもよい。
【０１８３】
また、ユーザは、番組の視聴・録画中に、その録画に反映されるやり取り無しで、他の行動もとることができる。例えば、ユーザは、録画している番組の音量を、その変化が録画された番組の音声の一部として含まれないように、消す又は変えることができる。ユーザは、ある番組を録画しているとき、その番組の録画に影響を与えずに、一時停止、巻き戻し、又は、他の番組フロー制御オプションを行うことができる。ユーザは、新しい番組の録画中に、その新しい番組の録画に影響を与えずに、以前に録画した番組を見ることができる。
【０１８４】
図３１は、双方向テレビ・アプリケーションによって提供される録画中止オーバーレイの一例１７０２を示す。オーバーレイ１７０２は、ある番組について現在の映像１７０４の録画中にユーザが現在のチャンネルを変えようとしたときに、その映像１７０４上に表示される。オーバーレイ１７０２は、図２９のプロセス１５００のステップ１５１６の一例である。必要に応じて、例えば、本システムが複数のチューナを有する場合、又は、番組がリモート・サーバに録画されている場合、ユーザが、本アプリケーションを利用して、進行中である録画に影響を与えずにチャンネルを変えることができてもよい。
【０１８５】
オーバーレイ１７０２は、「いいえ」オプション１７０６と「はい」オプション１７０８とを含む。双方向テレビ・アプリケーションにより、ユーザは、ハイライト・ウィンドウ１７１０を用いて、「いいえ」オプション１７０６又は「はい」オプション１７０８を選択することができる。「いいえ」オプション１７０６が選択されると、双方向テレビ・アプリケーションは、現在の番組についての現在の映像１７０４の録画・表示を続ける。「はい」オプション１７０８が選択されると、双方向テレビ・アプリケーションは録画を中止し、ユーザはチャンネルを変えることができるようになる。オーバーレイ１７０２に対する応答がない場合、双方向テレビ・アプリケーションは、オーバーレイ１７０２を消し、録画を続ける。必要に応じて、ユーザが現在の録画のキャンセルを選択したときに、受動的録画中止オーバーレイ又は録画キャンセル・オーバーレイが表示されてもよい。
【０１８６】
図３２は、双方向テレビ・アプリケーションによって提供される録画完了オーバーレイの一例１８０４を示す。オーバーレイ１８０４は、予定されていた録画が完了したときに、表示される。オーバーレイ１８０４は、録画保持オプション１８０６と録画消去オプション１８０８とを含む。本双方向テレビ・アプリケーションにより、ユーザは、録画保持オプション１８０６上にハイライト・ウィンドウ１８１０を動かし、該オプションを選択することができる。ユーザは、オプション１８０６を選択して、オーバーレイ１８０４を消し、その番組の録画をＰＶＲ上に保持させることができる。本双方向テレビ・アプリケーションにより、ユーザは、録画消去オプション１８０８上にハイライト・ウィンドウ１８１０を動かし、（例えばリモコンの「ＯＫ」ボタンを押すことによって）そのオプションを選択することができる。ユーザは、オプション１８０８を選択して、オーバーレイ１８０４を消し、その番組の録画をＰＶＲ上から消去させることができる。所定時間が経過してもユーザからのアクションが無い場合、双方向テレビ・アプリケーションは、録画保持を自動的に選択し、オーバーレイ１８０４を消す。オーバーレイ１８０４は、特定の番組に対して、現在の映像１８０２上で表示される。例えば録画又はリマインダが完了したばかりの録画の直後に予定されている場合、必要に応じて、オーバーレイ１８０４は表示されなくてもよい。
【０１８７】
ＰＶＲを用いて、ライブのテレビ番組をバッファし、ライブのテレビ番組の流れを制御する（例えば、ライブの番組を一時停止する）ことができる。図３３は、双方向テレビ・アプリケーションによって提供されるライブ制御オーバーレイの一例１９０４を示す。オーバーレイ１９０４は、例えば、一時停止ボタン、巻き戻しボタン、又は、このオーバーレイを呼び出す専用ボタン、などの特定のリモコンのボタン、或いは、他の適切なリモコンのボタンを押すことによって、ユーザが番組フロー制御オプションを呼び出したときに、表示される。オーバーレイ１９０４は、ライブのテレビ番組の流れを制御するオプションを含む。オーバーレイ１９０４は、図２９のプロセス１５００のステップ１５１８に基づいて提供される。オーバーレイ１９０４は、特定の番組に対して、現在の映像１９０２上に表示される。オーバーレイ１９０４は、選択可能な広告１９０６、巻き戻しオプション１９０８、再生オプション１９１０、録画オプション１９１２、一時停止オプション１９１４、番組タイトル１９１６、及び、早送りオプション１９１８、を含む。
【０１８８】
ユーザが巻き戻しオプション１９０８を選択すると、双方向テレビ・アプリケーションは、巻き戻しているバッファされた映像１９０２を表示する。一時停止オプション１９１４が選択されると、双方向テレビ・アプリケーションは、一時停止されている現在の番組のバッファされた映像１９０２を表示する。再生オプション１９１０が選択されると、バッファされた映像１９０２は、通常の速度での再生を再開する。また、オーバーレイ１９０４は、（例えば、一時停止オプション１９１４を繰り返し選択することによって）映像１９０２をフレームごとに進めるオプションも提供する。早送りオプション１９１８が選択されると、双方向テレビ・アプリケーションは、早送りされている現在の番組のバッファされた映像１９０２を表示する。録画オプション１９１２が選択されると、双方向テレビ・アプリケーションは、現在の番組を録画する。巻き戻しオプション１９０８及び早送りオプション１９１８を用いて、様々な速度での番組の早送り及び巻き戻しが可能でもよい。この様々な速度の範囲は、例えば、様々なスローモーション速度から様々な早送り速度までの範囲である。異なる速度間での切替は、同じオプションの連続的な選択（例えば、早送りオプション１９０８の連続的な選択、又は、巻き戻しオプション１９０８の連続的な選択）によって行われる。双方向テレビ・アプリケーションに現在の番組の録画又は録画されたものの再生を停止させるには、ユーザは、リモコンの停止ボタンを、１回、又は、所望の動作であることを確認するために２回以上、押さなければならない。ＰＶＲに録画をやめさせると、その予定された録画はキャンセルされる。必要に応じて、停止オプションを適切な場合にオーバーレイ１９０４に表示してもよい。
【０１８９】
リモコンの停止ボタンは、更に、ユーザがライブのテレビを見ているときに一時停止オプションと同じように機能してもよい（すなわち、録画中でないライブのテレビ番組がバッファされている）。
【０１９０】
番組をバッファ・録画する技術については以下で更に説明する。オーバーレイ１９０が表示されると、ユーザは、ＰＶＲから再生している録画の流れを制御することもできる。オーバーレイ１９０４は、録画されたものを制御するために用いられているとき、録画オプション１９１２を含まずに表示されてもよい。例えば図３９参照。
【０１９１】
図３４は、双方向テレビ・アプリケーションによって提供される録画リマインダ・オーバーレイの一例２００４を示す。オーバーレイ２００４は、図２９のプロセス１５００のステップ１５２０に基づいて提供される。オーバーレイ２００４は、特定の番組に対しては、現在の映像２００２上に表示される。オーバーレイ２００４は、リマインダ・タブ２００８、リマインダ情報２０１０、録画オプション２０１２、ハイド・オプション２０１４、キャンセル・オプション２０１６、及び、「キャンセルして視聴」オプション２０１８を含む。
【０１９２】
オーバーレイ２００４は、予定された録画の前に所定時間表示される。この所定時間は、本アプリケーションによって固定されてもよく、或いは、セットアップ画面においてユーザによって定義されてもよく、或いは、個々の録画に対してその録画が予約されるときにユーザによって設定されてもよい。リマインダ・タブ２００８は、予約された録画についての他のリマインダのリストを含んでもよい。録画オプション２０１２が選択されると、双方向テレビ・アプリケーションは、現在の番組の視聴を終え、予定された録画を直ちに開始する。双方向テレビ・アプリケーションは、ハイド・オプション２０１４が選択されると、リマインダ・オーバーレイ２００４を消し、録画時間を予定通りに維持する。必要に応じて、ハイド・オプション２０１４を用いてリマインダ・オーバーレイ２００４を隠した後に、ユーザがリモコンのボタンを押して本アプリケーションにリマインダ・オーバーレイ２００４を再表示させることができるようにしてもよい。双方向テレビ・アプリケーションは、キャンセル・オプション２０１６が選択されると、録画をキャンセルする。「キャンセルして視聴」オプション２０１８が選択されると、双方向テレビ・アプリケーションは、その番組にチャンネルを合わせるが、録画はキャンセルするため、ユーザは、その番組を見ることはできるが、複製は保存されない。ユーザからの行為が無い場合、オーバーレイ２００４は自動的に消え、双方向テレビ・アプリケーションは、その録画が予定されたチャンネルにチャンネルを合わせて、録画を開始する。予定された録画が一旦開始されると、図３０の録画開始オーバーレイ１６０２が表示され、その番組が録画中であることが示される。
【０１９３】
本双方向テレビ・アプリケーションは、ＰＶＲから再生可能な番組に対して、特定の番組情報ディスプレイ画面を表示する。図３５は、ＰＶＲ録画情報ディスプレイ画面を表示するのに用いられるプロセスの一例２１００を示す。ステップ２１１０において、双方向テレビ・アプリケーションにより、ＰＶＲ録画一覧表ディスプレイ画面が表示され、ユーザは、この一覧表ディスプレイ画面にリストアップされた録画の再生、又は、特定の録画についての情報オプションの選択、を選択することができる。必要に応じて、ユーザは、あらゆる場所からの録画済番組（例えば、番組種類一覧表ディスプレイ画面、検索一覧表ディスプレイ画面、時間別一覧表ディスプレイ画面、チャンネル別一覧表ディスプレイ画面、ブラウズ・オーバーレイ、又は、フリップ・オーバーレイ、などの適切な画面にリストアップされた番組）の再生及びそれに関する情報の閲覧を選択することができる。ユーザが、例えばリモコンの「ＯＫ」ボタン又は再生ボタンを押すことによって録画されたものの再生を選択した場合、双方向テレビ・アプリケーションはステップ２１３６に進む。ユーザが録画されたものについての情報オプションを選択した場合、双方向テレビ・アプリケーションはステップ２１２０に進む。
【０１９４】
ステップ２１２０において、本双方向テレビ・アプリケーションにより、ユーザは、特定の録画についての情報を閲覧することができる。ステップ２１２２において、本双方向テレビ・アプリケーションにより、ユーザは、最後に表示された画面に戻ることができる。ステップ２１２４において、本双方向テレビ・アプリケーションにより、ユーザは、録画（例えば、録画された番組）を再生することができる。ユーザが録画の再生を選択すると、双方向テレビ・アプリケーションは、ステップ２１３６において、その録画を再生する。必要に応じて、例えば、最後に再生を終えたところから再生を再開する、或いは、録画された番組の冒頭から再生を再スタートさせる、などの複数の再生オプションが存在してもよい。ステップ２１２５において、本双方向テレビ・アプリケーションにより、ユーザは、ＰＶＲ録画を消去する。ステップ２１２６において、本双方向テレビ・アプリケーションにより、ユーザは、録画に対する消去優先度設定を編集することができる。ユーザが消去優先度設定の編集を選択すると、双方向テレビ・アプリケーションはステップ２１３２に進む。ステップ２１３２において、双方向テレビ・アプリケーションは、ＰＶＲ録画に対する消去優先度設定を設定する消去優先度ディスプレイ画面を表示する。
【０１９５】
ステップ２１２８において、本双方向テレビ・アプリケーションにより、ユーザは、録画に対するアクセス権を修正する（例えば、録画をロックする）ことができる。ステップ２１３０において、ユーザは、選択により、録画されたものをＶＣＲ又は他の外部録画装置にコピーすることができる。双方向テレビ・アプリケーションは、ユーザがＰＶＲ録画をＶＣＲにコピーすることを選択したとき、ステップ２１３４において、ＶＣＲセットアップ・ディスプレイ画面を表示する。必要に応じて、ステップ２１３４において、双方向テレビ・アプリケーションが、ＶＣＲセットアップ・ディスプレイ画面におけるユーザ選択に基づいてＰＶＲ録画をＶＣＲにコピーしてもよい。ＰＶＲ録画が継続中のシリーズ録画の一部である場合、ステップ２１３５において、本双方向テレビ・アプリケーションにより、ユーザは、シリーズ録画設定を修正することができる。ＰＶＲ録画がシリーズ録画の一部として録画されなかった場合、又は、現在継続中のシリーズ録画の一部ではない場合、本双方向テレビ・アプリケーションにより、ユーザは、そのＰＶＲ録画に基づいて新しい録画又は新しいシリーズ録画を予約することができる。また、録画済番組情報ディスプレイ画面は、プレビュー・オプションも含む。このオプションを選択すると、番組情報ディスプレイ画面に埋め込まれた、その番組の部分画面スケール・バージョンの映像が表示される。
【０１９６】
ステップ２１３６において、双方向テレビ・アプリケーションは、ユーザが再生を選択した録画のフルスクリーン映像を表示する。また、ＰＶＲの再生に関連するタスク・オプションを含んだＰＶＲ制御オーバーレイも表示される。
【０１９７】
図３６は、双方向テレビ・アプリケーションによって提供されるＰＶＲ録画一覧表ディスプレイ画面の一例２２００を示す。ディスプレイ画面２２００は、図５のディスプレイ画面５００において録画オプション５１８が選択されると表示される。ディスプレイ画面２２００は、リスト・バー２２０２などのリスト・バー内に番組タイトルを含む。ディスプレイ画面２２００は、リスト・バー内に消去アイコン２２０６を含む。この消去アイコン２２０６は、このアイコン２２０６が関連付けられた番組はアイコン２２０６内に指定された時間経過後に消去されることを示す。消去アイコン２２０６は、ディスプレイ画面２２００に表示されてもよく、或いは、他の適切なディスプレイ画面又はオーバーレイに表示されてもよい。必要に応じて、リスト・バー２２０２は、ＰＶＲ録画がリスト・バー２２０２に示された番組と関連付けられていることを明白に示す録画済コンテンツ・アイコン（例えば、図７の録画済コンテンツ・アイコン７０４）を明白に含んでもよい。
【０１９８】
ユーザは、ハイライト・ウィンドウ２２１２をリスト・バー２２０２上に動かし、リモコンの「ＯＫ」ボタン又はリモコンの再生ボタンを押すことによって、録画の再生を選択することができる。必要に応じて、双方向テレビ・アプリケーションは、録画された番組を、初めから又は現在の再生場所から再生する。リモコンの「ＯＫ」ボタン又はリモコンの再生ボタンが選択されると、双方向テレビ・アプリケーションはＰＶＲ再生映像オーバーレイを表示する。例えば図３９参照。
【０１９９】
ユーザがハイライト・ウィンドウ２２１２を特定の録画リスト上に動かし、リモコンの情報ボタンを押すと、双方向テレビ・アプリケーションは録画情報ディスプレイ画面を表示する。
【０２００】
リスト・バー２２０２に示された録画などの録画は、シリーズ録画の一部として又はキーワード録画として、自動的に録画されてもよい。特定の録画がシリーズ録画及びキーワード録画の双方によって録画予約された場合、双方向テレビ・アプリケーションはその録画のコピーを１つだけ保存する。この画面上の録画は、あらゆる適切な基準に基づいて並べられる。例えば、アルファベット順、録画日順、録画優先度順、消去優先度順、視聴状態順、自動的に録画されたかユーザによって指定されたか、などのあらゆる基準又は基準の組み合わせが考えられる。
【０２０１】
図３７は、双方向テレビ・アプリケーションによって提供される録画済番組情報ディスプレイ画面の一例２３００を示す。ディスプレイ画面２３００は、録画済コンテンツ・アイコン２３１２を含むタイトル表示バー２３０６を含む。録画済コンテンツ・アイコン２３１２は、タイトル表示バー２３０６に示された番組がＰＶＲ録画可能であることを示す。再生カウンタ２３１４は、ユーザがその番組をどの位置まで見たかを示す。
【０２０２】
ディスプレイ画面２３００は、再生オプション２３２６、消去オプション２３２８、消去優先度オプション２３３０、ＶＣＲ行きオプション２３３４、シリーズ・セットアップ・オプション２３３６、及び、時間オプション２３３８、を含む。これらオプションは、図３５に一例として示したステップ２１２４、２１２５、２１２６、２１３０、及び、２１３５に基づいて提供される。再生オプション２３２６が選択されると、双方向テレビ・アプリケーションは、タイトル表示バー２３０６に示された番組の録画を再生する。必要に応じて、録画済番組をその初めから再生させる、或いは、再生カウンタ２３１４の位置から録画を再生させる、などの２以上の再生オプションが存在してもよい。消去オプション２３２８が選択されると、双方向テレビ・アプリケーションは、その番組の録画を消去する、及び／又は、その特定の録画に関する情報を消去する。消去優先度オプション２３３０が選択されると、双方向テレビ・アプリケーションにより消去優先度ディスプレイ画面が表示され、ユーザは消去優先度設定を設定することができる。
【０２０３】
ＶＣＲ行きオプション２３３４が選択されると、双方向テレビ・アプリケーションによりＶＣＲ行きセットアップ・ディスプレイ画面が表示され、ユーザはＰＶＲからＶＣＲ又は他の装置へ録画された番組を転送することができる。ＶＣＲ行きセットアップ・ディスプレイ画面により、ユーザは、ＰＶＲからＶＣＲへの録画済番組の転送を設定することができる。シリーズ・セットアップ・オプション２３３６が選択されると、双方向テレビ・アプリケーションは、図１０に示すようなシリーズ・セットアップ・ディスプレイ画面を表示する。ユーザは、シリーズ・セットアップ・ディスプレイ画面を利用して、選択された番組に対応する継続中のシリーズ録画についての録画設定を修正すること、選択された番組に対応するシリーズ録画がなければ新しいシリーズ録画を作成すること、ができる。時間オプション２３３８が選択されると、双方向テレビ・アプリケーションは、その番組の他の録画リスト、及び、その番組の今後のエピソード・リスト、を表示する。双方向情報ディスプレイ画面を備えた双方向テレビ番組ガイドの一例は、上述の１９９９年７月１６日に出願されたＲｕｄｎｉｃｋらによる米国特許出願番号０９／３５６，２６８号に記載されている。
【０２０４】
ディスプレイ画面２３００は、プレビュー・オプション２３４０を含む。プレビュー・ボタン２３４０が選択されると、双方向テレビ・アプリケーションは、映像ウィンドウ２３４２に録画済番組の縮小版映像を再生する。必要に応じて、本アプリケーションは、停止、早送り、一時停止、巻き戻し、などの制御キーを備えた制御パネルを表示してもよく、或いは、ユーザはリモコン上のキーを用いてその映像を制御してもよい。この制御パネルは、ディスプレイ画面２３００内に又はディスプレイ画面２３００上に表示される。必要に応じて、映像ウィンドウ２３４２において再生中の現在の番組が、録画済番組がプレビューされているときは自動的に一時停止されるようにしてもよい。
【０２０５】
本双方向テレビ・アプリケーションは、ストレージ・スペースを管理するために番組を自動的に消去する場合もある。消去優先度設定は、いずれの録画が双方向テレビ・アプリケーションによって消去されるかを管理するのに用いられる。図３８は、双方向テレビ・アプリケーションによって提供される消去優先度セットアップ・ディスプレイ画面９３０を示す。ディスプレイ画面９３０により、ユーザは、１つの番組に対して消去優先度設定をセットすることができる。ディスプレイ画面９３０は、図３７の消去優先度オプション２３３０がユーザによって選択されると表示される。ディスプレイ画面９３０は、消去プリファレンス・オプション９３２と、消去順序編集オプション９４２とを含む。
【０２０６】
本双方向テレビ・アプリケーションにより、ユーザは、消去プリファレンス・オプション９３２を用いて、録画に対する消去プリファレンスを選択することができる。ユーザは、オプション９３２を用いて、様々な消去プリファレンス設定をスクロールすることができる。録画に対してセットできる消去プリファレンス設定は、決して消去しない設定、好ましい録画として録画された録画用の設定、スペースが必要であれば消去する設定、見たら消去する設定、などの設定が考えられる。決して消去しない設定が選択されると、双方向テレビ・アプリケーションは、ユーザが具体的にその録画の消去を要求しない限り、その録画を消去しない。好ましい録画設定が選択されると、双方向テレビ・アプリケーションは、好ましい録画設定を有する録画を消去する前に好ましい録画設定を持たない録画を消去する。スペースが必要であれば消去する設定が選択されると、双方向テレビ・アプリケーションは、番組を録画するスペースが必要なとき、その番組を消去できる。必要に応じて、双方向テレビ・アプリケーションが、いずれの番組を消去するか判断する際に、最初に録画に対する優先度をチェックし、次いで、録画されてからの経過年数をチェックしてもよい。必要に応じて、番組は２つの消去優先度を持ってもよい。一方は番組を見る前に用いられるもの、他方は番組を見た後に用いられるものである。
【０２０７】
日付による番組消去オプション９３４は、現在の番組に対して「決して消去しない」設定以外の消去プリファレンスが選択されているときに、利用可能となる。日付による番組消去オプション９３４は、消去月オプション９３６、消去日オプション９３８、及び、消去年オプション９４０を含む。双方向テレビ・アプリケーションにより、ユーザは、消去月オプション９３６、消去日オプション９３８、及び、消去年オプション９４０上にハイライト・ウィンドウ９４２を動かし、それぞれ月、日、及び、年をスクロールして、番組を消去する日付を選択することができる。ユーザが消去順序編集オプション９４４を選択すると、双方向テレビ・アプリケーションは、現在記憶されている録画が消去される順序を示すリストを表示する。例えば図５３のディスプレイ画面３６００参照。
【０２０８】
図３９は、双方向テレビ・アプリケーションがＰＶＲ上の録画から再生している番組の映像２４０２上に表示されたＰＶＲ再生映像オーバーレイの一例２４０４を示す。オーバーレイ２４０４は、図３５のプロセス２１００のステップ２１３６の一例である。
【０２０９】
オーバーレイ２４０４を用いて、映像２４０２の流れを制御することができる。オーバーレイ２４０４は、巻き戻しオプション２４０８、再生オプション２４１０、早送りオプション２４１２、一時停止オプション２４１４、停止オプション２４１６、番組タイトル２４１８、及び、再生時間２４２０、を含む。再生時間２４２０は、ユーザに、録画の長さと映像２４０２がどの程度視聴済みかとをユーザに通知する。再生映像オーバーレイ２４０４及びそこに含まれるフロー制御オプションは、図３３のライブ制御オーバーレイ１９０４及びそこに含まれるオプションと同様である。停止オプション２４１６は、録画されていないライブのテレビを見ている間は、一時停止オプションと同じように機能する。予約された録画の録画中、停止オプション２４１６は、その録画予約をキャンセルする機能を有する。
【０２１０】
必要に応じて、双方向テレビ・アプリケーションにより、ユーザが、通常リモコンに含まれるページアップ・ボタン又はページダウン・ボタンなどの特定のリモコン・ボタンを押すことによって、録画されたもの又はバッファされたテレビ番組の映像２４０２を前方又は後方に所定期間スキップさせることができてもよい。
【０２１１】
映像２４０２の再生中にユーザがチャンネルを変えようとすると、メッセージを含んだオーバーレイが現れる。図４０は、双方向テレビ・アプリケーションがＰＶＲ上の録画から再生している番組の映像９５０上に表示されたメッセージ・オーバーレイの一例９５２を示す。オーバーレイ９５２は、オーバーレイ９５２を消すための「ＯＫ」オプション９５４を含む。また、オーバーレイ９５２は、所定時間経過後、双方向テレビ・アプリケーションによって自動的に消される。オーバーレイ９５２内のメッセージは、チャンネルを変えるには、リモコンの停止ボタンを押して、この映像の再生をキャンセルしなければならない、ことを示す。必要に応じて、ユーザが別の録画された番組を見ること又はライブのテレビにチャンネルを変えることを決定したときに、映像９５０が自動的に一時停止されてもよい。映像９５０は、後でオーバーレイ無しで再開させるために、一時停止されてもよい。
【０２１２】
図４１は、録画されたものを見ている間に双方向テレビ・アプリケーションのオプションにアクセスする際に必要なステップを含むプロセスの一例９６０を示す。ステップ９６２において、双方向テレビ・アプリケーションは、録画された番組を再生する。ステップ９６４において、ユーザが録画されたものを見ている間、双方向テレビ・アプリケーションは、ブラウズ、メニュ、ガイド、又は、他のオプション、などの番組ガイド機能を提供する。例えば、双方向テレビ・アプリケーションにより、ユーザは、録画された番組の映像再生中にリモコンのメニュ・ボタンを押して、メインメニュ・ディスプレイ画面を表示させることができる。必要に応じて、双方向テレビ・アプリケーションが、ユーザがメインメニュ・ディスプレイ画面にアクセスしたとき、或いは、他のディスプレイ画面又はオーバーレイが表示されたときに、録画の再生を自動的に一時停止してもよい。
【０２１３】
ユーザは、録画予約された番組を録画する際の設定にアクセスすること又は該設定を修正することができる。図４２は、録画予約された番組についての情報ディスプレイ画面を表示させる際に必要なステップの一例を示すプロセスの一例２５００を示す。ステップ２５０２は、録画予約ディスプレイ画面における一覧表に関してユーザがタスクを実行できるようにする際に必要なステップの一例を示す。
【０２１４】
ステップ２５１４において、双方向テレビ・アプリケーションは、録画予約ディスプレイ画面、或いは、ブラウズ・オーバーレイ、時間別一覧表ディスプレイ画面、チャンネル別一覧表ディスプレイ画面、種類別一覧表ディスプレイ画面、又は、検索一覧表ディスプレイ画面、などの一覧表を含む他のグラフィック、を表示する。双方向テレビ・アプリケーションにより、ユーザは、一覧表についての情報オプションを選択することによって一覧表に関する情報を見ることができる。また、ステップ２５１４において、双方向テレビ・アプリケーションにより、ユーザは、リストアップされたある番組に対してリモコンの録画ボタンを押すことによって、その番組の録画予約をキャンセルすることができる。そうすると、ステップ２５２２において、録画キャンセル・オーバーレイが表示される。その番組がシリーズものの１エピソードである場合、必要に応じて、録画ボタンを１回押すことによって、単発録画がデフォルト設定によるシリーズ録画に変換されてもよい。この変換をユーザに通知するオーバーレイが表示されてもよい。
【０２１５】
ユーザが、例えばリモコンの「ＯＫ」ボタン又はリモコンの情報ボタンを用いて、情報オプションを選択すると、双方向テレビ・アプリケーションは、録画予約された番組についての情報ディスプレイ画面を表示する。
【０２１６】
ＰＰＶ又はＶＯＤ番組である番組に対して情報オプションが選択されると、双方向テレビ・アプリケーションは、ステップ２５２８において、その番組が現在録画中であるか否かについて判断する。その番組が現在録画中のＰＰＶ又はＶＯＤ番組である場合、双方向テレビ・アプリケーションはステップ２５１０に進む。ユーザはＶＯＤ番組についての録画を現在時刻に予約することもできるため、録画予約されたＶＯＤ番組は現在録画中である可能性もある。その番組が現在録画中でないＰＰＶ又はＶＯＤ番組である場合、双方向テレビ・アプリケーションはステップ２５０８に進む。その番組がＰＰＶ番組でもＶＯＤ番組でもない場合、双方向テレビ・アプリケーションはステップ２５０６に進む。
【０２１７】
ＰＰＶ又はＶＯＤ番組が録画中のとき、ステップ２５１０がそのＰＰＶ又はＶＯＤ番組に対して実行される。ステップ２５１０は、現在録画中のＰＰＶ又はＶＯＤ番組について予約番組情報ディスプレイ画面を提供するステップ２５３０、２５３２、２５３６、及び、２５４０を含む。ステップ２５３０において、双方向テレビ・アプリケーションは、予約番組情報ディスプレイ画面を表示する。双方向テレビ・アプリケーションは、ステップ２５３２において、関連する番組ガイド・オプションを提供する。関連する番組ガイド・オプションは、最後、視聴、ロック、及び、他の適切な番組ガイド・オプションを含む。ステップ２５３６において、双方向テレビ・アプリケーションにより、ユーザは、録画中止オプションを選択することができる。録画中止ボタンが選択されると、双方向テレビ・アプリケーションは、そのＰＰＶ又はＶＯＤ番組の録画を中止し、ステップ２５４０において録画中止オーバーレイを表示する。
【０２１８】
ステップ２５０８は、現在録画中でないＰＰＶ又はＶＯＤ番組についての予約番組情報ディスプレイ画面を提供するステップ２５４２、２５４４、２５４６、２５５０、及び、２５５４を含む。ステップ２５４２において、現在録画中でないＰＰＶ又はＶＯＤ番組についての予約番組情報ディスプレイ画面が表示される。本双方向テレビ・アプリケーションは、ステップ２５４４において、関連する番組ガイド・オプションを提供する。関連する番組ガイド・オプションは、最後、及び、ロック、などの適切な番組ガイド・オプションを含む。ステップ２５４６において、ユーザは、本双方向テレビ・アプリケーションにより、注文キャンセル・オプションを選択することができる。注文キャンセル・オプションが選択されると、本双方向テレビ・アプリケーションは、現在の予約番組ディスプレイ画面から出て、ステップ２５５４において録画キャンセル・オーバーレイを表示する。必要に応じて、ＰＰＶ又はＶＯＤ番組の注文は、ユーザがステップ２５４６において予約されたＰＰＶ又はＶＯＤの録画のキャンセルを選択したときに、自動的にキャンセルされてもよい。ステップ２５５０において、ユーザは、本双方向テレビ・アプリケーションにより、録画設定の編集を選択することができる。
【０２１９】
ステップ２５０６は、録画予約された非ＰＰＶ及び非ＶＯＤ番組についての番組情報ディスプレイ画面を提供するステップ２５７２、２５７４、２５７８、２５８０、２５８２、２５８６、２５８８、及び、２５９０を含む。
【０２２０】
ステップ２５７２において、非ＰＰＶ及び非ＶＯＤ番組についての予約番組情報ディスプレイ画面が表示される。本双方向テレビ・アプリケーションは、ステップ２５７４において、関連する番組ガイド・オプションを提供する。関連する番組ガイド・オプションは、最後、視聴（その番組が現在放送中であれば）、及び、ロック、などの適切な番組ガイド・オプションを含む。ステップ２５７８において、ユーザは、本双方向テレビ・アプリケーションにより、録画中止オプションを選択することができる。録画中止オプションが選択されると、本双方向テレビ・アプリケーションは、ステップ２５８６において、その予定された録画が現在録画中であるか否かを判断する。その番組が録画中であれば、本双方向テレビ・アプリケーションは、ステップ２５８８において、ユーザがその番組の録画を中止することを望むか否かを問うオーバーレイを表示する。その番組が現在録画中でなければ、本双方向テレビ・アプリケーションは、その録画予約をキャンセルし、ステップ２５９０において、録画キャンセル・オーバーレイを表示する。ステップ２５８０において、ユーザは、シリーズ録画を選択・設定できる。ステップ２５８２において、ユーザは、その録画予約に用いられる録画設定を編集することができる。ステップ２５８２は、プロセス６００のステップ６０６と同じである。
【０２２１】
本双方向テレビ・アプリケーションは、予約された録画のリストを録画予約一覧表ディスプレイ画面として表示することができる。図４３は、本双方向テレビ・アプリケーションによって提供される録画予約一覧表ディスプレイ画面の一例２６００を示す。ディスプレイ画面２６００は、図５のディスプレイ画面５００において録画予約オプション５２４を選択すると表示される。ディスプレイ画面２６００は、図４２のプロセス２５００のステップ２５１４の一例である。
【０２２２】
ディスプレイ画面２６００は、リスト・バー２６０２などのリスト・バーと日付バー２６０４などの日付バーとを含む。ディスプレイ画面２６００は、録画が予約された番組のタイトルのリストを表示する。ディスプレイ画面２６００は、日付バー２６０４を用いて、予約された番組をそれらの予定された開始時刻に基づいて並べ、予定された日に応じて番組を分類することができる。ディスプレイ画面２６００を用いると、現在録画予約されている各番組をリストアップすることができる。このリストには、シリーズ録画の一部である録画だけでなく、単発録画も含まれる。シリーズ録画には複数のリスト・バーが用いられてもよい。必要に応じて、リマインダが予約された番組のエピソードもディスプレイ画面２６００にリストアップされてもよい。
【０２２３】
ユーザは、本双方向テレビ・アプリケーションにより、リスト・バー２６０２上にハイライト・ウィンドウ２６１０を動かし、リモコンの情報ボタン、リモコンの「ＯＫ」ボタン、又は、リモコンの録画ボタン、などの適切なリモコン・ボタンを選択して、その番組に対する録画／リマインダ設定を修正することができる。ディスプレイ画面２６００は、エピソード消去オプション２６０６、全エピソード消去オプション２６０８、及び、「他の録画予約を見る」オプション２６１２、を含む。ユーザは、リモコンの上下ナビゲーション・キーを用いて、録画予約一覧表をスクロールし、リモコンの左右ナビゲーション・キーを用いて、該一覧表と、オプション２６０６、２６０８、及び、２６１２との間を移動できる。例えば、本双方向テレビ・アプリケーションにより、ユーザは、リスト・バー２６０２上にハイライト・ウィンドウ２６１０を動かして、所定のリモコン・ボタンを押すことによって、そのリストをマークすることができる。そのとき、リモコンの左右ナビゲーション・キーを用いて、ハイライト・ウィンドウ２６１０をエピソード消去オプション２６０６上に動かすことができる。このとき、リモコンの「ＯＫ」ボタンを押すことによって、マークされたリストはディスプレイ画面２６００から消去され、そのリストに対する録画予約はキャンセルされる。また、エピソード消去機能が、例えば、リモコンの録画キーを押して単発録画をシリーズ録画に変換し、それからリモコンの録画キーを再度押して録画予約を消去することによって実現されてもよい。また、エピソード消去オプション又はシリーズ録画消去オプションが、番組情報ディスプレイ画面から利用可能であってもよい。ユーザは、本双方向テレビ・アプリケーションにより、ハイライト・ウィンドウ２６１０を（例えば、左／右の矢印ボタンを用いて）全エピソード消去オプション２６０８上に動かし、リモコンの「ＯＫ」ボタンを押すことによって、予定されているすべてのエピソードを消去することができる。
【０２２４】
本双方向テレビ・アプリケーションにより、ユーザは、ハイライト・ウィンドウ２６１０を（例えば、リモコンの左／右のナビゲーション・キーを用いて）「他の録画予約を見る」オプション２６１２上に動かすことができる。ユーザがマークされたリストに関連して「他の録画予約を見る」オプション２６１２を選択すると、本双方向テレビ・アプリケーションは、マークされたリストの番組名と一致する他の録画予約のリストを表示する。この他の録画のリストは、シリーズ録画、キーワードベースの録画、又は、放送中の時間及びチャンネルを用いて定義された録画、を含む。また、シリーズもののエピソードのリストは、図１０のシリーズ録画セットアップ・ディスプレイ画面の「全エピソードを見る」オプション１００８からも表示させることができる。
【０２２５】
予約された録画がＶＯＤ番組である場合、ディスプレイ画面２６００は、録画されるＶＯＤ番組に関連した日時に定期的に予定された番組と同じように、そのＶＯＤ番組に対するリストを録画予約リストに表示する。ディスプレイ画面２６００により、ユーザは、予約されたＶＯＤ録画を選択することができる。予約されたＶＯＤ録画が選択されると、ユーザは、本双方向テレビ・アプリケーションにより、図２８に示したディスプレイ画面などのディスプレイ画面を用いて、番組情報を閲覧し、録画情報を編集することができる。
【０２２６】
図４４は、現在録画中のＰＰＶ番組についての情報ディスプレイ画面の一例２７００を示す。ディスプレイ画面２７００は、図４３において、或いは、ＰＰＶ番組にアクセス可能な他の任意の画面上で、ＰＰＶリストに対してユーザがリモコンの情報ボタン又はリモコンの「ＯＫ」ボタンを押したときに、表示される。ディスプレイ画面２７００は、図４２のプロセス２５００のステップ２５１０に基づいて提供される。
【０２２７】
ディスプレイ画面２７００は、図４２に示したステップ２５３６に基づいて提供される録画中止オプション２７３０を含む。ユーザが録画中止オプション２７３０を選択すると、本双方向テレビ・アプリケーションは、図３１の録画中止オーバーレイ１７０２を表示する。
【０２２８】
図４５は、現在録画中でないＰＰＶ番組についての情報ディスプレイ画面の一例２８００を示す。ディスプレイ画面２８００は、録画予約されているが、まだ放送されていないＰＰＶ番組のリストに対して、ユーザがリモコンの情報ボタン又はリモコンの「ＯＫ」ボタンを押すと、表示される。ディスプレイ画面２８００は、図４２のプロセス２５００のステップ２５０８に基づいて提供される。
【０２２９】
ディスプレイ画面２８００は、図４２のステップ２５４６及び２５５０に基づいて提供される録画キャンセル・オプション２８２８、注文キャンセル・オプション２８３０、及び、編集オプション２８３２を含む。録画キャンセル・オプション２８２８が選択されると、本双方向テレビ・アプリケーションは、図４８の録画キャンセル・オーバーレイ３１１０を表示する。注文キャンセル・オプション２８３０が選択されると、本双方向テレビ・アプリケーションは、このＰＰＶの注文をキャンセルする。必要に応じて、ＰＰＶの注文がキャンセルされると、録画もキャンセルされるようにしてもよい。編集オプション２８３２を用いると、ユーザが既に予約された録画を修正することができるディスプレイ画面にアクセスすることができる。
【０２３０】
編集オプション２８３２が選択されると、本双方向テレビ・アプリケーションは、図４６のＰＰＶ録画セットアップ・ディスプレイ画面２９００を表示する。図４６は、本双方向テレビ・アプリケーションによって提供されるＰＰＶ録画セットアップ修正ディスプレイ画面の一例２９００を示す。ディスプレイ画面２９００により、ユーザは、特定の録画予約について録画オプションを編集することができる。ディスプレイ画面２９００は、保存オプション２９１０、時間オプション２９１２、品質オプション２９１６、前バッファ時間オプション２９１６、後バッファ時間オプション２９１８、及び、キャンセル・オプション２９２０を含む。時間変更オプション２９１２により、ユーザは、ＰＰＶ番組の異なる放送を用いてその予約された録画を行わせることができる。これらオプションは、図２３に一例として示されたステップ１２３２、１２３４、１２３６、１２３８、１２４０、及び、１２４２に基づいて提供される。保存オプション２９１０を選択すると、ユーザによって選択された新しい設定を保存することができる。ユーザによって選択された変更がＰＰＶ番組の時間の変更を含む場合、保存オプション２９１０を選択すると、その新しい時間について録画が予約され、その新しい時間に放送されるＰＰＶが注文される。オプション２９１２、２９１４、２９１６、２９１８、及び、２９２０は、図２５のオプション１４１０、１４０４、１４１２、１４１４、及び、１４１６と同じように働く。必要に応じて、図２５のディスプレイ画面１４００がディスプレイ画面２９００の代わりに表示されてもよい。
【０２３１】
図４６のディスプレイ画面２９００などのＰＰＶ番組との関連で説明してきたディスプレイ画面及びオプションの例は、ＶＯＤ番組に対しても用いることができる。
【０２３２】
図４７は、本双方向テレビ・アプリケーションによって提供される録画予約番組情報ディスプレイ画面の一例３０００を示す。ディスプレイ画面３０００は、図４３において又はその番組にアクセス可能な他の任意の画面上において、非ＰＰＶ及び非ＶＯＤ番組の録画予約のリストに対してユーザがリモコンの情報ボタンを押すと、表示される。ディスプレイ画面３０００は、図４２のプロセス２５００のステップ２５７２に基づいて提供される。
【０２３３】
録画中止オプション３０３０、セットアップ・オプション３０３２、及び、シリーズ・オプション３０２８は、図４２に一例として示したステップ２５７８、２５８２、及び、２５８０に基づいて提供される。その番組が現在録画中の場合、録画中止オプション３０３０が選択されると、本双方向テレビ・アプリケーションは、録画中止オーバーレイを表示する。この録画中止オーバーレイは、ユーザがその番組の録画中止を望むか否かを問う。セットアップ・オプション３０３２が選択されると、本双方向テレビ・アプリケーションは、図９の番組録画ディスプレイ画面９００を表示する。
【０２３４】
図４８は、本双方向テレビ・アプリケーションによって提供される録画キャンセル・オーバーレイの一例３１１０を示す。オーバーレイ３１１０は、ユーザが録画予約のキャンセルを選択したときに表示される。録画キャンセル・オーバーレイ３１１０が、ディスプレイ画面３１００上に表示される。
【０２３５】
図４９は、本双方向テレビ・アプリケーションによって提供される番組映像上に表示されたライブ制御オーバーレイの一例３２０４を示す。オーバーレイ３２０４は、ある番組のバッファされた映像３２０２が背景において再生されている間、表示される。図１９のライブ制御オーバーレイ１９０４と同じように、オーバーレイ３２０４も、巻き戻しオプション３２０８、再生オプション３２１０、録画オプション３２１２、一時停止オプション３２１４、早送りオプション３２２２、及び、番組タイトル３２１６、を含む。オーバーレイ３２０４は、更に、ライブ・テレビ・オプション３２１８と、ライブ・テレビへの遅れ時間インジケータ３２２０と含む。
【０２３６】
ライブ・テレビへの遅れ時間インジケータ３２２０は、バッファされた映像３２０２がライブのテレビに対してどのくらい遅れているかを示す。本双方向テレビ・アプリケーションにより、ユーザは、ライブＴＶオプション３２１８を選択して現在放送中のライブ映像に戻ることができる。
【０２３７】
本双方向テレビ・アプリケーションにより、ユーザは、ライブのテレビを一時停止するためのバッファ・サイズを図１８のライブＴＶバッファ・オプション５７０のサイズにセットすることができる。必要に応じて、本アプリケーションにより、ユーザが、チャンネルごと、チャンネル種類ごと、及び、番組種類ごとに、異なるバッファ・サイズ及び録画品質をセットすることが可能であってもよい。図５０は、本双方向テレビ・アプリケーションによって提供された番組の一時停止された映像上に表示された一時停止残り時間インジケータ３３０６を含むライブ制御オーバーレイの一例３３０４を示す。オーバーレイ３３０４は、現在の番組についての一時停止された映像３３０２上に表示される。オーバーレイ３３０４は、ライブのテレビを一時停止するためのバッファがどのくらいの時間分残っているかを示す一時停止残り時間インジケータ３３０６を含む。バッファ・サイズが現在の番組の残り全部を保持できる程度に十分大きい場合、必要に応じて、一時停止残り時間インジケータ３３０６が表示されなくてもよい。
【０２３８】
ユーザは、録画に対する消去優先度設定を一般的にセットすることができる。例えば、ここで図５１を参照すると、消去優先度セットアップ・ディスプレイ画面の一例３４００が本双方向テレビ・アプリケーションによって表示され、ユーザは消去優先度設定を選択できるようになる。ディスプレイ画面３４００は、ユーザが図５のメインメニュ・ディスプレイ画面５００の消去優先度オプション５２６を選択すると表示される。あるいは、代替的に、ディスプレイ画面３４００は、図１８のＰＶＲセットアップ画面５４０からアクセス可能であってもよい。ディスプレイ画面３４００により、ユーザは、様々な消去優先度設定をセットすることができる。ディスプレイ画面３４００は、単発録画消去優先度編集オプション３４０２、シリーズ録画消去優先度編集オプション３４０４、番組種類別消去オプション３４０６、放送種類別消去オプション３４０８、チャンネル別消去オプション３４０９、録画終了オプション３４１０、及び、視聴後消去オプション３４１４、を含む。
【０２３９】
本双方向テレビ・アプリケーションにより、ユーザは、単発録画消去優先度編集オプション３４０２を選択することができる。これが選択されると、本双方向テレビ・アプリケーションは、単発録画消去優先順位ディスプレイ画面（図５３参照）を表示する。単発録画消去優先度ディスプレイ画面により、ユーザは、個々の録画が消去される順序を変えることができる。
【０２４０】
シリーズ録画の一部である個々の録画について消去優先度設定を管理することは時間の浪費である。シリーズ録画消去優先順序ディスプレイ画面（図５２参照）を用いれば、シリーズ録画に対する消去優先度の設定プロセスを速めることができる。シリーズ録画消去優先順序ディスプレイ画面は、シリーズ録画消去優先度編集オプション３４０４が選択されると、表示される。
【０２４１】
消去優先度設定をセットするのに他の種類のパラメータを用いることもできる。ユーザが番組種類別消去オプション３４０６を選択した場合、本双方向テレビ・アプリケーションは、番組種類別消去ディスプレイ画面（図５４参照）を表示する。ユーザが放送種類別消去オプション３４０８を選択した場合、本双方向テレビ・アプリケーションは、放送種類別消去ディスプレイ画面（図５５Ａ参照）を表示する。ユーザがチャンネル別消去オプション３４０９を選択した場合、本双方向テレビ・アプリケーションは、チャンネル別消去ディスプレイ画面（図５５Ｂ参照）を表示する。
【０２４２】
本双方向テレビ・アプリケーションにより、ユーザは、録画期限オプション３４１０上にハイライト・ウィンドウ３４１６を動かし、リモコンのナビゲーション・ボタンを用いて、ＰＶＲ上に録画を記憶しておく期間を選択することができる。このオプション用の設定としては、決して消去しない、１週間、又は、２週間、などの適切な時間が考えられる。
【０２４３】
本双方向テレビ・アプリケーションにより、ユーザは、視聴後消去オプション３４１４上にハイライト・ウィンドウ３４１６を動かし、リモコンのナビゲーション・ボタンを用いて、録画が視聴された後に消去されることを選択することができる。このオプションを選択すると、録画は視聴後直ちに消去される。あるいは、代替的に、このオプションを選択すると、視聴済番組の優先度が下がり、まだ視聴されていない録画よりも優先的に消去される、ようにしてもよい。
【０２４４】
図５２は、本双方向テレビ・アプリケーションによって提供されるシリーズ録画消去優先度ディスプレイ画面の一例３５００を示す。ディスプレイ画面３５００は、図５１のシリーズ録画消去優先度オプション３４０４が選択されると表示される。ディスプレイ画面３５００に到達するための他の手段が設けられてもよい。ここで図５２を参照すると、ディスプレイ画面３５００は、あるシリーズものの録画に別のシリーズものの録画より上の順位が与えられる優先順序として表示されるリスト・バー３５０２などの録画についてのリスト・バーを表示する。リスト・バーは、予約されたシリーズ録画ごとに表示される。必要に応じて、キーワードベースの録画も、この画面に含まれてもよい。ディスプレイ画面３５００は、「上に移動」オプション３５０８と、「下に移動」オプション３５１０とを含む。本双方向テレビ・アプリケーションにより、ユーザは、「上に移動」オプション３５０８又は「下に移動」オプション３５１０を用いて、シリーズに対する消去優先度を変更することができる。本双方向テレビ・アプリケーションは、ディスプレイ画面３５００の消去優先順序を用いて、すべての録画に対する個々のシリーズ録画の優先度を判断する。
【０２４５】
図５２〜５５Ｂにおいて、ユーザは、リモコンの左／右のナビゲーション・キーを用いて、リストと上方／「下に移動」オプションアップとの間を切り替えることができる。例えば、ユーザがハイライト・ウィンドウを所望のリスト上に移動させたとき、ユーザは、左／右のナビゲーション・キーを押して、上方移動又は「下に移動」オプションにアクセスすることができ、ユーザは、この上方移動又は「下に移動」オプションを例えばリモコンの「ＯＫ」キーを押すことによって選択できる。上方移動又は「下に移動」オプションにアクセスする前のリストは、ユーザが上方又は「下に移動」オプションを選択すると、消去優先度リストにおける優先度が上下に移動する。
【０２４６】
図５２〜５５Ｂに示した画面と類似した画面を用いて、シリーズ、個々の番組、番組種類、及び、チャンネル種類について相対的なデフォルト録画優先度をセットすることができる。必要に応じて、録画優先度は、番組録画後に消去優先度に変換されてもよい。
【０２４７】
図５３は、本双方向テレビ・アプリケーションによって提供される単発録画消去優先度ディスプレイ画面の一例３６００を示す。ディスプレイ画面３６００は、図５１の単発録画消去優先度編集オプション３４０２が選択されると、表示される。ここで図５３を参照すると、ディスプレイ画面３６００は、録画を消去する順序でリスト・バー３６０２などのリスト・バーを表示す。録画消去順序は、ユーザが具体的な番組に対して選択した消去優先度設定（例えば、決して消去しない、好ましい録画、など）に基づいて決定されてもよく、或いは、ユーザが録画に対して包括的に選択した消去優先度設定（例えば、シリーズ録画に対する消去優先度、番組種類別の消去優先度、放送種類別の消去優先度、など）に基づいて決定されてもよい。この画面は、予約された単発録画ごとにリスト・バーを含む。ディスプレイ画面３６００は、「上に移動」オプション３６０６と、「下に移動」オプション３６０８とを含む。本双方向テレビ・アプリケーションにより、ユーザは、「上に移動」オプション３６０６又は「下に移動」オプション３６０８を用いて、リストアップされた録画が消去される順序を変更することができる。録画の位置を上下に動かすことによって、ユーザは、残りの録画に対するその録画の消去優先度を手動で変更することができる。
【０２４８】
図５４は、本双方向テレビ・アプリケーションによって提供される番組種類別消去優先度ディスプレイ画面の一例３７００を示す。ディスプレイ画面３７００は、図５１の番組種類別消去オプション３４０６が選択されると表示される。ここで図５４を参照すると、ディスプレイ画面３７００は、リスト・バー３７０２などのリスト・バーを表示する。リスト・バーの順序は、本双方向テレビ・アプリケーションが消去する番組を選択する際に番組種類毎に与える異なる優先度を示す。番組種類としては、例えば、スポーツ、映画、子供向け、成人向け、又は、ホームコメディ、などの適切な番組種類が考えられる。リスト・バーは、本アプリケーションによってサポートされた番組種類ごとに設けられる。ディスプレイ画面３７００は、「上に移動」オプション３７０６と、「下に移動」オプション３７０８とを含む。本双方向テレビ・アプリケーションにより、ユーザは、「上に移動」オプション３７０６又は「下に移動」オプション３７０８を用いて、その番組種類の消去優先度を変更することができる。本双方向テレビ・アプリケーションは、個々の録画が消去される順序を指定する際にこの消去優先順序を用いる。
【０２４９】
図５５Ａは、本双方向テレビ・アプリケーションによって提供される放送種類別消去優先度ディスプレイ画面の一例３８００を示す。ディスプレイ画面３８００は、図５１の放送種類別消去オプション３４０８が選択されると表示される。ここで図５５Ａを参照すると、ディスプレイ画面３８００は、録画に用いられた放送種類に基づいて録画に与えられた消去優先度をリストアップしたリスト・バー３８０２などのリスト・一覧表バーを表示する。放送の種類には、ＰＰＶ、ＶＯＤ、放送、ケーブル、及び、ローカル・アクセス、などの適切な放送種類が考えられる。ディスプレイ画面３８００は、放送種類に関連付けられた消去優先度を変更するのに用いられる「上に移動」オプション３８０６及び「下に移動」オプション３８０８を含む。この消去優先順序は、個々の録画が消去される順序を選択する際にも用いられる。
【０２５０】
図５５Ｂは、本双方向テレビ・アプリケーションによって提供されるチャンネル別消去優先度ディスプレイ画面の一例３８１０を示す。ディスプレイ画面３８１０は、図５１のチャンネル別消去オプション３４０９が選択されると表示される。ここで図５５Ｂを参照すると、ディスプレイ画面３８１０は、番組が録画されたチャンネルに基づいて録画に与えられた消去優先度をリストアップしたリスト・バー３８１２などのリスト・一覧表バーを表示する。ディスプレイ画面３８００は、そのチャンネルの消去優先度を変更するのに用いられる「上に移動」オプション３８１６及び「下に移動」オプション３８１８を含む。この消去優先順序は、個々の録画が消去される順序を選択する際にも用いられる。
【０２５１】
本双方向テレビ・アプリケーションを、テレビ広告及びローカルに記憶・表示された他のコンテンツをプッシュするように実現することも可能である。図５６は、テレビ広告及び他のコンテンツをユーザ装置にプッシュする際に必要なプロセスの一例９５００を示す。本双方向テレビ・アプリケーションは、番組一覧表情報などの情報を量に限りはあるがセットトップ・ボックス上及び／又はＰＶＲ上に記憶することができる。ここで図５６を参照すると、ステップ９５０２において、本双方向テレビ・アプリケーションは、１日のうちどの時間帯にユーザが普段テレビを見ないかを判断する。これは、ユーザに普段テレビを見ない時間帯を指定するように要求することによって実行されてもよく、或いは、ユーザがいつテレビを見るかを監視することによって実行されてもよい。ステップ９５０４において、本双方向テレビ・アプリケーションは、ビデオ広告（例えば、短いビデオ広告）及び他のビデオ・コンテンツ（編集コンテンツなどの）をユーザのセットトップ・ボックスにプッシュする。広告及び他のコンテンツは、ユーザに指定された又は自動的に生成されたプロファイル情報に基づく。コンテンツの転送は、ユーザが普段テレビを見ない時間帯に行われる。ユーザ装置に複数のチューナが備えられた構成においては、ビデオ・コンテンツはその装置がすべてのチューナを使っていないときにプッシュされる。
【０２５２】
本双方向テレビ・アプリケーションがユーザ装置にコンテンツをプッシュしている間にユーザがテレビを見ようとすると、本双方向テレビ・アプリケーションはステップ９５０６へ進む。ステップ９５０６において、本双方向テレビ・アプリケーションは、ユーザのローカル装置へのコンテンツのプッシュをキャンセルする。そのとき、本双方向テレビ・アプリケーションは、別のユーザ普段テレビを見ない時間帯にコンテンツのプッシュの再開を試みてもよく、或いは、翌日の同じ時間帯に再開を試みてもよい。必要に応じて、本双方向テレビ・アプリケーションがコンテンツのプッシュをキャンセルする前に完全に又は部分的にダウンロードされたコンテンツは、次の試行まで保持されてもよい。広告及び他のコンテンツがユーザのローカル装置へ転送された後、ユーザは、ステップ９５０８において、本双方向テレビ・アプリケーションの事実上あらゆる場所から、これら双方向広告にアクセスすることができる。
【０２５３】
図５７は、本双方向テレビ・アプリケーションによって提供されるオンライン録画予約番組ガイド・ウィンドウの一例９５３０を示す。オンライン番組ガイド・システムの一例は、例えば、１９９７年９月１８日に出願されたＢｏｙｅｒらによる米国特許出願第０８／９３８、０２８号に記載されている。この文献は、その全体が参考文献としてここに組み込まれる。ウィンドウ９５３０は、予定されたイベント及びユーザのＰＶＲについての他のシステム情報に関する情報にアクセスするためのオンライン番組ガイド・ウィンドウである。必要に応じて、オンライン番組ガイドが、ここでは一例としてケーブルテレビをベースとした主に説明された番組ガイドと同じ機能性をインターネットを通じても提供されてもよい。
【０２５４】
オンライン録画予約番組ガイド・ウィンドウ９５３０により、ユーザは、自身の録画予約へオンライン・アクセスできる。ウィンドウ９５３０は、オンライン番組ガイドから利用可能な機能のメニュを含むメニュ・バー９５３２を含む。メニュ・バー９５３２は、図５のメインメニュ・ディスプレイ画面５００と同様の機能を有する。
【０２５５】
また、ウィンドウ９５３０は、図４３の録画予約ディスプレイ画面２６００と同じ機能性をすべて有する。オンライン番組ガイド・ウィンドウ９５３０は、日付領域９５３４、番組一覧表９５３６、及び、チェック・ボックス９５３８を含む。ウィンドウ９５３０にリストアップされた録画予約ごとに１つのチェック・ボックスが表示される。また、本オンライン番組ガイドは、情報ボタン９５４０、録画ボタン９５４２、シリーズボタン９５４４、エピソード消去ボタン９５４６、及び、全エピソード消去ボタンて９５４８、などのオプション・ボタン９５５０を含む。オプション・ボタン９５５０は、図４３の録画予約ディスプレイ画面２６００などの録画予約ディスプレイ画面における一覧表に対して利用可能なリモコンのボタン又はオプションと同じ機能を実行する。このオンライン番組ガイドにより、ユーザは、チェック・ボックス９５３８などの録画予約についてのチェック・ボックスを選択し、複数のオプション・ボタン９５５０の中の１つを選択して特定の機能を実行することができる。このオンライン・ガイドにより、ユーザは、一度に１つの録画予約しか選択できず、現在選択されている録画予約に対してのみオプション・ボタン９５５０を選択できる。
【０２５６】
本オンライン番組ガイドにより、番組がサーバに録画され、ユーザは、その番組を本オンライン番組ガイドを通じて録画後に見ることができる。本オンライン番組ガイドにより、ユーザは、パーソナル・コンピュータにおけるチューナ・カードを通じて、番組にチャンネルを合わせることができる。さらに、本オンライン番組ガイドにより、ユーザは、その番組をパーソナル・コンピュータに接続されたハードディスク上に記憶させることができる。本オンライン番組ガイドは、セットトップ・ボックス又はパーソナルビデオレコーダなどのユーザ装置に対して命令を送り、番組を録画させることができる。本オンライン番組ガイドは、サーバ上又はパーソナル・コンピュータ上に録画された番組を、セットトップ・ボックスやパーソナルビデオレコーダなどのユーザ装置へ送ることができる。リモート・アクセス可能な双方向番組ガイドの一例は、例えば、１９９９年７月１６日に出願されたＥｌｌｉｓらによる米国特許出願第０９／３５４、３４４号に記載されている。この文献は、その全体が参考文献としてここに組み込まれる。
【０２５７】
図５８は、ユーザが保存された番組を編集できるようにするプロセスの一例９５５２を示す。上記及び他のオプションの一例は、例えば、１９９８年９月１７日に出願されたＲｕｄｎｉｃｋらによる米国特許出願第０９／１５７、２５６号に記載されている。この文献は、その全体が参考文献としてここに組み込まれる。ステップ９５５４において、本双方向テレビ・アプリケーションは、例えば、ユーザがリモコンの編集ボタン又は画面上の編集オプションを録画に関連して選択したとき、記憶番組編集ディスプレイ画面を表示する。録画の編集は、本双方向テレビ・アプリケーションの事実上あらゆる場所から、選択できる。
【０２５８】
ステップ９５５６において、本双方向テレビ・アプリケーションにより、ユーザは、録画からコマーシャルを取り除くことができる。ステップ９５５８において、本双方向テレビ・アプリケーションにより、ユーザは、選択された録画を他の録画と結合することができる。ユーザが録画の結合を選択した場合、本双方向テレビ・アプリケーションは、ステップ９５６０において、「他の録画との結合」ディスプレイ画面を表示する。
【０２５９】
ステップ９５６８において、本双方向テレビ・アプリケーションにより、ユーザは、選択された録画の一部を消去することができる。ユーザが録画の一部消去を選択した場合、本双方向テレビ・アプリケーションは、ステップ９５７０において、映像上に、時間バー・インジケータを備えた消去オーバーレイを表示する。ステップ９５７０は、ステップ９５７２、９５７４、及び、９５７６を含む。ステップ９５７２において、本双方向テレビ・アプリケーションにより、ユーザは、時間バー・インジケータにマーカを置くことができる。ユーザが１以上のマーカを置くことを選択した場合、第一のマーカを先頭マーカとして機能させ、第二のマーカを終端マーカとして機能させてもよい。ステップ９５７４において、本双方向テレビ・アプリケーションにより、ユーザは、先頭マーカと終端マーカとの間の部分、或いは、単独のマーカより前又は後ろの部分、である録画の一部を消去することができる。ステップ９５７６において、本双方向テレビ・アプリケーションにより、ユーザは、時間バー・インジケータ上の一切のマーカをクリアできる。
【０２６０】
ステップ９５７８において、本双方向テレビ・アプリケーションにより、ユーザは、選択された録画を再生リストに加えることができる。ユーザが選択された録画をプレイリストに加えることを選択した場合、本双方向テレビ・アプリケーションは、ステップ９５８０において、再生リスト・ディスプレイ画面を表示する。ステップ９５８０は、ステップ９５８２、９５８４、９５８６、９５８８、及び、９５９０を含む。ステップ９５８２において、本双方向テレビ・アプリケーションにより、ユーザは、再生リストに加えられる録画にマークを付けたり外したりすることができる。ステップ９５８４において、本双方向テレビ・アプリケーションにより、ユーザは、より多くの録画を再生リストに加えることができる。ステップ９５８６において、本双方向テレビ・アプリケーションにより、ユーザは、新しい再生リストを作成することができる。ユーザが新しい再生リストを作成することを選択した場合、本双方向テレビ・アプリケーションは、ステップ９５８８において、「新しい再生リストの作成」オーバーレイを表示する。ステップ９５９０において、本双方向テレビ・アプリケーションにより、ユーザは、再生リストに命令し、録画を再生リストから外すことができる。
【０２６１】
ステップ９５９２において、本双方向テレビ・アプリケーションにより、ユーザは、選択された録画に対して、参照位置にマークを付けると共に、以前にマークが付けられた参照を呼び出すことができる。ユーザが参照位置にマークを付けること又は以前にマークが付けられた参照を呼び出すことを選択した場合、本双方向テレビ・アプリケーションは、ステップ９５９４において、時間バー・インジケータを備えた位置オーバーレイを表示する。ステップ９５９４は、ステップ９５９６、９５９８、及び、９６００を含む。ステップ９５９６において、本双方向テレビ・アプリケーションにより、ユーザは、マーカを時間バー・インジケータに置くことができる。ステップ９５９８において、本双方向テレビ・アプリケーションにより、ユーザは、次のマーカ又は前のマーカまでスキップすることができる。ステップ９６００において、本双方向テレビ・アプリケーションにより、ユーザは、時間バー・インジケータの全マーカをクリアすることができる。
【０２６２】
図５９は、本双方向テレビ・アプリケーションによって提供される「保存された録画の編集」ディスプレイ画面の一例９６０２を示す。ディスプレイ画面９６０２は、録画ディスプレイ画面又は他の適切なディスプレイ画面又はオーバーレイにおいて録画（ここでは「選択された録画」を指す）が選択されているときに、リモコンの編集ボタンが選択されると、表示される。あるいは、代替的に、ディスプレイ画面９６０２は、例えば、録画済番組情報画面に示された編集オプションが選択されると、表示されてもよい。ディスプレイ画面９６０２は、「録画からコマーシャルを除去する」オプション９６０４、「他の録画との結合」オプション９６０６、「録画の一部消去」オプション９６０８、「再生リストへの追加」オプション９６１０、及び、位置マーク及び呼び出しオプション９６１２、を含む。これらオプションは、図５８に一例として示したステップ９５５６、９５５８、９５６８、９５７８、及び、９５９２に基づいて提供される。
【０２６３】
ここで図５９を参照すると、本双方向テレビ・アプリケーションにより、ユーザは、「録画からコマーシャルを除去する」オプション９６０４上にハイライト・ウィンドウ９６１４を動かし、選択された録画からコマーシャルを除去することができる。本双方向テレビ・アプリケーションにより、ユーザは、「他の録画との結合」オプション９６０６上にハイライト・ウィンドウ９６１４を動かし、（例えばリモコンの「ＯＫ」ボタンを押すことによって）そのオプションを選択することができる。本双方向テレビ・アプリケーションは、「他の録画との結合」オプション９６０６が選択されると、「他の録画との結合」ディスプレイ画面を表示する。本双方向テレビ・アプリケーションにより、ユーザは、「録画の一部消去」オプション９６０８上にハイライト・ウィンドウ９６１４を動かし、（例えばリモコンの「ＯＫ」ボタンを押すことによって）そのオプションを選択することができる。本双方向テレビ・アプリケーションは、「録画の一部消去」オプション９６０８が選択されると、「録画の一部消去」ディスプレイ画面を表示する。本双方向テレビ・アプリケーションにより、ユーザは、「再生リストへの追加」オプション９６１０上にハイライト・ウィンドウ９６１４を動かし、（例えばリモコンの「ＯＫ」ボタンを押すことによって）そのオプションを選択することができる。本双方向テレビ・アプリケーションは、「再生リストへの追加」オプション９６１０が選択されると、「再生リストへの追加」ディスプレイ画面を表示する。本双方向テレビ・アプリケーションにより、ユーザは、位置マーク及び呼び出しオプション９６１２上にハイライト・ウィンドウ９６１４を動かし、（例えばリモコンの「ＯＫ」ボタンを押すことによって）そのオプションを選択することができる。本双方向テレビ・アプリケーションは、位置マーク及び呼び出しオプション９６１２が選択されると、位置マーク及び呼び出しディスプレイ画面を表示する。また、ディスプレイ画面９６０２は、タイトル及び長さなどの選択された番組に関する情報も含む。表示される長さは、録画が編集されるに従って変わる。
【０２６４】
図６０は、本双方向テレビ・アプリケーションによって提供される「他の録画との結合」ディスプレイ画面の一例９６１６を示す。ディスプレイ画面９６１６は、図５９の「他の録画との結合」オプション９６０６が選択されると表示される。ここで図６０を参照すると、ディスプレイ画面９６１６は、選択された録画を他の録画と結合することができる。また、ディスプレイ画面９６１６により、ユーザは、どのような順序で録画を結合するか（例えば、番組Ａの位置は番組Ｂの前か後ろか）を決定することができる。
【０２６５】
ディスプレイ画面９６１６は、ＰＶＲ録画リストを含む録画一覧表９６１８を含む。ディスプレイ画面９６１６は、「後ろに結合」オプション９６２０と、「前に結合」オプション９６２２とを含む。ディスプレイ画面９６１６により、ユーザは、録画一覧表９６１８のリスト・バー上にハイライト・ウィンドウ９６３２を動かし、そのリスト・バーに示された録画に対して「後ろに結合」オプション９６２０又は「前に結合」オプション９６２２を選択することができる。
【０２６６】
ユーザは、リモコンの左右のナビゲーション・キーを用いて、ハイライト・ウィンドウを一覧表９６１８とオプション９６２０及び９６２２との間で動かすことができる。ユーザは、特定のリスト（例えば、Ｓｐｏｒｔｓ  Ｃｅｎｔｅｒ）上にハイライト・ウィンドウ９６３２を動かし、その特定のリストの録画の前又は後に現在選択されている録画を加えることによって、その特定のリストの録画と現在選択されている録画とを結合することができる。リモコンの左右のナビゲーション・キー用いることによって、ユーザは、その特定のリストに対する「後ろに結合」オプション９６２０又は「前に結合」オプション９６２２にアクセスすることができる。そのとき、リモコンの「ＯＫ」キーを押すと、その特定のリストについての録画が現在選択されている録画と結合される。また、ディスプレイ画面９６１６は、現在選択されている録画に関するタイトル及び長さなどの情報も含む。結合された録画は、当初選択されていた番組の名前を持ってもよく、当初選択されていた番組と結合するように選択された番組の名前を持ってもよく、ユーザがいずれの名前を使うか選んでもよく、或いは、ユーザがその結合物に対して新しい名前を入力できてもよい。必要に応じて、結合後、結合前の元の録画は、いずれもが消去されなくてもよく、いずれかが消去されてもよく、或いは、いずれもが消去されてもよい。
【０２６７】
図６１は、ＰＶＲから再生中の映像９６３４上に表示された「録画の一部消去」オーバーレイの一例９６３６を示す。オーバーレイ９６３６は、選択された録画に対して図５９の「録画の一部消去」オプション９６０８が選択されると、表示される。ここで図６１を参照する。オーバーレイ９６３６により、ユーザは、録画の一部を消去することができる。オーバーレイ９６３６は、選択された録画の再生位置を数値で及び視覚的に表示する番組カウンタ９６３８及び時間バー・インジケータ９６４０を含む。本双方向テレビ・アプリケーションにより、ユーザは、リモコンの早送りボタン、巻き戻しボタン、再生ボタン、一時停止ボタン、前スキップボタン、後スキップボタン、又は、マーカ９６４６又は９６４８などのマーカを選択することによって上記のいずれかを実行するオンスクリーン・オプション、などの適切なリモコン・ボタン又はアクションを用いて、録画中の至るところに移動することができる。番組カウンタ９６３８及び時間バー・インジケータ９６４０は、選択された録画におけるユーザの動きを反映する。
【０２６８】
本双方向テレビ・アプリケーションにより、ユーザは、消去したい録画の一部分の先頭位置としてマークしたい録画内の位置へ辿り着くことができる。ユーザが所望の位置に達したとき、本双方向テレビ・アプリケーションにより、ユーザは、「マーカを置く」オプション９６５０を選択することができる。「マーカを置く」オプション９６５０が選択されると、本双方向テレビ・アプリケーションは、その選択された位置に先頭マーカ９６４６と、該先頭マーカ９６４６の正確な時間位置を示すタイムスタンプとを置く。
【０２６９】
本双方向テレビ・アプリケーションは、時間バー・インジケータ９６４０の先頭マーカ９６４６より前の再生セクション９６４２を十字フィル・パターンで塗りつぶす。再生セクション９６４２は、経過した再生時間を示すパターンで塗りつぶされる。先頭マーカ９６４６が所望の位置に一旦置かれると、本双方向テレビ・アプリケーションは、その番組のうちのどのくらいがユーザによって消去されるかを示す斜線のフィル・パターンを含むように、時間バー・インジケータ９６４０を修正する。そのとき、ユーザは、リモコンの早送りボタン、再生ボタン、一時停止ボタン、又は、オンスクリーン・オプション、矢印キー、などのあらゆる適切なリモコン・ボタンを用いて、ユーザが終端マーカを置く録画中の別の位置まで辿り着くことができる。「マーカを置く」オプション９６５０が選択されると、本双方向テレビ・アプリケーションは、その選択された位置に終端マーカ９６４８と、該終端マーカ９６４８の正確な時間位置を示すタイムスタンプとを置く。
【０２７０】
このようにして終端マーカ９６４８が置かれると、ユーザがその録画から消去すると選択したセクション９６４４が定義される。本双方向テレビ・アプリケーションにより、ユーザは、消去オプション９６５２を選択し、セクション９６４４を消去することができる。ユーザがセクション９６４４の消去を望まない場合、或いは、ユーザが消去するセクションを編集したい場合、本双方向テレビ・アプリケーションにより、ユーザは、「マーカをクリア」オプション９６５４を選択することができる。「マーカをクリア」オプション９６５４が選択されると、先頭マーカ９６４６及び終端マーカ９６４８はオーバーレイ９６３６から消去される。
【０２７１】
必要に応じて、ユーザが先頭マーカのみを入力して、先頭マーカより後ろのすべてのコンテンツを消去できるようにしてもよい。同様に、ユーザが終端マーカのみを入力して、終端マーカより前のすべてのコンテンツを消去できるようにしてもよい。
【０２７２】
ユーザは、再生リストなどの所望の順番に並べられた録画リストを作成することができる。図６２は、本双方向テレビ・アプリケーションによって提供される再生リスト・ディスプレイ画面の一例９６５６を示す。
【０２７３】
ディスプレイ画面９６５６により、ユーザは、再生リスト・リスト・バー９６６０上にハイライト・ウィンドウ９６５８を動かし、録画を加える再生リストを選択することができる。ディスプレイ画面９６５６は、録画一覧表９６６２を含む。ユーザは、現在の再生リストに追加したい録画のリストに隣接して配置された「再生リストに追加」オプション９６７０の１つの上にハイライト・ウィンドウ９６５８を動かし、リモコンの「ＯＫ」ボタンを押すことによって、再生リスト・バー９６６０に示された現在の再生リストにその録画を加えることができる。
【０２７４】
本双方向テレビ・アプリケーションにより、ユーザは、「再生リストの編集」オプション９６７２を選択して、再生リスト内の録画の順序を変えたり、再生リストから録画を消去したりすることができる。
【０２７５】
「再生リストの編集」オプション９６７２が選択されると、本双方向テレビ・アプリケーションは、再生リスト編集ディスプレイ画面を表示する（図６３参照）。本双方向テレビ・アプリケーションにより、ユーザは、「新しい再生リストの作成」オプション９６７４を選択して、新しい再生リストを作成することができる。「新しい再生リストの作成」オプション９６７４が選択されると、本双方向テレビ・アプリケーションは、新再生リスト作成オーバーレイを表示する（図６４参照）。
【０２７６】
図６３は、本双方向テレビ・アプリケーションによって提供される再生リスト編集ディスプレイ画面の一例９６７６を示す。ディスプレイ画面９６７６により、ユーザは、再生リスト内での録画の順序を変えること、及び、再生リストから録画を消去すること、ができる。ディスプレイ画面９６７６は、再生リスト録画一覧表９６７８、「上に移動」オプション９６８０、「下に移動」オプション９６８２、消去オプション９６８４、及び、キャンセル・オプション９６８８を含む。ユーザは、ハイライト・ウィンドウ９６９０が一覧表９６７８内の特定のリスト上に位置するときにリモコンの右又は左のナビゲーション・ボタンを押すことによって、その特定のリストに対するオプション９６８０、９６８２、及び、９６８４にアクセスすることができる。この右又は左のナビゲーション・ボタンにより、ハイライト・ウィンドウ９６９０はその特定のリストからオプション９６８０、９６８２、及び、９６８４へ移動し、ユーザは、そのリストに対して上記オプションのいずれか１つを選択することができる。「上に移動」オプション９６８０又は下方移動９６８２が選択されると、録画が再生リスト内で上に又は下に移動する。特定のリストに対して消去オプション９６８４が選択されると、その録画は再生リストから削除されるが、録画自体は消去されない。キャンセル・オプション９６８８が選択されると、本双方向テレビ・アプリケーションは、再生リストに対する変更をキャンセルし、ディスプレイ画面９６７６を出る。
【０２７７】
図６４は、本双方向テレビ・アプリケーションによって提供される再生リスト・ディスプレイ画面９７００上に表示された新再生リスト作成オーバーレイの一例９７０２を表示する。オーバーレイ９７０２により、ユーザは、新しい再生リストを作成し、その再生リストの名前を編集することができる。オーバーレイ９７０２は、再生リスト名９７０４、名前編集オプション９７０６、「ＯＫ」オプション９７０８を含む。オーバーレイ９７０２により、ユーザは、名前編集オプション９７０６を選択して、新しい再生リストの名前を編集することができる。ユーザは、リモコンの英数字キーを用いて、再生リストの名前を編集することができる。ユーザが再生リスト名９７０４に一旦満足すると、本双方向テレビ・アプリケーションにより、ユーザは、「ＯＫ」オプション９７０８を選択することができる。
【０２７８】
図６５は、本双方向テレビ・アプリケーションがＰＶＲから再生中の選択された録画の映像９８０２上に表示されたマーク及び呼び出しオーバーレイの一例９８０４を示す。オーバーレイ９８０４は、選択された録画に対して図５９の「位置をマーク」オプション９６１２が選択されると、表示される。また、このオーバーレイのファンクションは、図３９のオーバーレイ２４０４などの制御オーバーレイからも利用可能である。ここで図６５を参照すると、オーバーレイ９８０４により、ユーザは、録画内の位置をマークしたり、呼び出したりすることができる。オーバーレイ９８０４は、番組カウンタ９８０６と、時間バー・インジケータ９８０８とを含む。
【０２７９】
本双方向テレビ・アプリケーションにより、ユーザは、参照点としてマークしたい録画中の位置に辿り着くことができる。ユーザが所望の位置に到達したとき、本双方向テレビ・アプリケーションにより、ユーザは、「マーカを置く」オプション９８１２を選択することができる。「マーカを置く」オプション９８１２が選択されると、本双方向テレビ・アプリケーションは、その位置にマーカ９８１０と該マーカ９８１０の正確な位置を示すタイムスタンプとを置く。オーバーレイ９８０４は、「前のマーカへスキップ」オプション９８１４、「次のマーカへスキップ」オプション９８１６、及び、「マーカをクリア」オプション９８１８を含む。本双方向テレビ・アプリケーションにより、ユーザは、ハイライト・ウィンドウ９８２０を「前のマーカへスキップ」オプション９８１４及び「次のマーカへスキップ」オプション９８１６上に動かすことができる。「前のマーカへスキップ」オプション９８１４が選択されると、インジケータ９８０８に示された現在の再生位置が（存在すれば）前のマーカへ移動し、本アプリケーションはその位置に対応した映像を映像９８０２において再生する。「次のマーカへスキップ」オプション９８１６が選択されると、インジケータ９８０８に示された現在の再生位置が（存在すれば）次のマーカへ移動し、本アプリケーションはその位置に対応した映像を映像９８０２において再生する。本双方向テレビ・アプリケーションにより、ユーザは、「マーカをクリア」オプション９８１８を選択することができる。「マーカをクリア」オプション９８１８が選択されると、本双方向テレビ・アプリケーションは、選択された録画に関連付けられたすべてのマーカを消去する。本双方向テレビ・アプリケーションは、ユーザがオーバーレイ９８０４から出るときに存在するすべてのマーカを保存し、ユーザが次にその選択された録画に対するこのオプションにアクセスしたときにそれらマーカを呼び出すことができる。必要に応じて、ユーザが、番組内の個々のマーカに名前又は番号を付けて、名前又は番号によってマーカへジャンプできるようにしてもよい。必要に応じて、オーバーレイを表示しなくても、録画を見ている間に、（ページアップ及びページダウンなどの）リモコン上のキーを用いてマーカに素早く辿り着けるようにしてもよい。録画が結合されるとき、録画の一部が消去されるとき、及び、再生リストが作成されるとき、マーカは維持される。
【０２８０】
本双方向テレビ・アプリケーションによれば、ＰＶＲが複数のユーザ・アカウントを持つことも可能である。図６６は、家庭内のＰＶＲユーザに複数の番組ガイドを提供するのに必要なステップの一例を示す。ここで図６６を参照すると、ステップ３９０２において、ＰＶＲを含むユーザ装置が家庭内に設けられる。必要に応じて、機能の一部が、ユーザの家庭内に存在しない装置を用いて提供されてもよい。例えば、番組は、分配設備内のサーバに録画されてもよい。ステップ３９０４において、本双方向テレビ・アプリケーションがユーザ装置上で実行され、複数の番組ガイドが提供される。各番組ガイドは、家庭のメンバの１人に対応する。
【０２８１】
ステップ３９０６において、本双方向テレビ・アプリケーションは、個々の世帯員に固有のＰＶＲ情報を個々の世帯員と関連付ける。各世帯員のメンバ固有ＰＶＲ情報は、そのユーザの番組ガイドに関連付けられる。ＰＶＲ情報は、録画設定、ユーザ・プリファレンス情報、録画予約情報、録画情報、又は、他のＰＶＲ関連情報、を含む。必要に応じて、ステップ３９０４及び３９０６が組み合わせられてもよい。必要に応じて、設定、ユーザ・プリファレンス、番組情報、バッファ、記憶された番組、及び、他のユーザ固有データ、に用いられるストレージ・スペースのサイズが、これら複数の番組ガイド用に指定されてもよい。あるいは、代替的に、ストレージ・スペースは予め割り当てられず、各ユーザがメモリを必要とするときに利用可能なメモリの中からメモリが割り当てられるようにしてもよい。ステップ３９０８において、本双方向テレビ・アプリケーションにより、世帯員は、彼ら自身の番組ガイドを用いて、ＰＶＲ及び／又はＰＶＲ情報とやりとりできる。例えば、世帯員は、自身の番組ガイドを用いて、ＰＶＲ上に番組を録画すること、ＰＶＲに録画予約すること、又は、自分のＰＶＲ録画のリストを閲覧又は操作すること、ができる。
【０２８２】
ステップ３９０８は、ステップ３９１０を含む。ステップ３９１０において、本双方向テレビ・アプリケーションは、世帯員が自分の番組ガイドを用いるとき、その世帯員に関連付けられたＰＶＲ情報を表示する。ステップ３９１２において、本双方向テレビ・アプリケーションにより、ＰＶＲは、その世帯員に関連付けられたＰＶＲ情報に基づいて、番組を録画又は消去できる。このＰＶＲ情報は、番組が録画又は消去されたときに、更新される。このように、本双方向テレビ・アプリケーションは、世帯の各人にユニークな番組ガイドを提供する。
【０２８３】
世帯員は、自分の番組ガイドにログインすることによって、自分の番組ガイドの使用を開始することができる。例えば、ここで図６７を参照すると、本双方向テレビ・アプリケーションは、ユーザ・ログイン・ディスプレイ画面４００２を表示する。ユーザ・ログイン・ディスプレイ画面４００２は、ユーザにログインＩＤの選択を可能にするオプション４００４を含む。また、ユーザ・ログイン・ディスプレイ画面４００２は、データ入力エリア４００６も含む。エリア４００６は、ログインＩＤに関連付けられた個人ＩＤコードを入力するのに用いられる。ユーザが１つの機能にアクセスするために一旦ログインすると、ユーザは別の機能にアクセスするのにログインする必要がない。例えば、メインメニュ画面上に「ユーザ変更」又は「ログイン」ボタンが、或いは、リモコン上にキーが、存在してもよい。必要に応じて、ユーザは、所定時間操作が無い場合に自動的にログアウトされてもよく、或いは、システムの電源が切られたときに自動的にログアウトされてもよい。
【０２８４】
ユーザが、オプション４００４を用いて特定のログインＩＤを選択し、正当な個人ＩＤコードを入力すると、個人別メインメニュ・ディスプレイ画面４００８が表示される。メインメニュ・ディスプレイ画面４００８は、現在のユーザを示すテキスト４０１４と、双方向サービスを提供するオプションとを含む。例えば、メインメニュ・ディスプレイ画面４００８は、ユーザがＰＶＲ関連情報及び機能にアクセスする際に選択する録画オプション４０１０及び録画予約オプション４０１２を含んでもよい。このメインメニュ画面からアクセスされたユーザ・プリファレンス及びＰＶＲセットアップ・オプションは、ログインしたユーザに固有のものである。
【０２８５】
ユーザは、自分の番組ガイドにログインしているとき、自分の録画予約リストにアクセスできる。例えば、ここで図６８を参照すると、ユーザ・ログイン・ディスプレイ画面４１０２が表示され、ユーザにログインする機会が提供される。本例では、ディスプレイ画面４１０２は、ユーザとしてＴｏｍとＪｅｒｒｙを示している。
【０２８６】
ユーザが、自分の番組ガイドにログインし、自分の録画予約リストにアクセスすることを選択すると、録画予約ディスプレイ画面４１０４が表示される。上述のように、ユーザは、ユーザ・ログインを選択し、個人ＩＤコードを入力することによって、ログインすることができる。録画予約ディスプレイ画面４１０４は、Ｊｅｒｒｙが録画する番組として選択した番組のリストを含んだ一覧表４１０６を含む。Ｔｏｍが自分の番組ガイドにログインした後、ユーザから要求があれば、トムの録画予約リストが録画予約ディスプレイ画面４１０８に表示される。録画予約ディスプレイ画面４１０８は、トムが録画する番組として選択した番組のリストを含んだ一覧表４１１０を含む。本双方向テレビ・アプリケーションは、録画する番組をユーザごとに関連付けることができる。例えば、図示するように、Ｔｏｍ用に表示されたリスト４１１０は、Ｊｅｒｒｙ用に表示されたリスト４１０６と異なる。
【０２８７】
必要に応じて、ユーザがＰＶＲ関係情報及び／又は機能にアクセスすることを選択したときに、ユーザにログインが要求されてもよい。例えば、ここで図６９を参照すると、メインメニュ・ディスプレイ画面４２０２は、例えばユーザがリモコンのメインメニュ・ボタンを押したときに、表示される。メインメニュ・ディスプレイ画面４２０２へのアクセスは、ユーザ・ログインを要求せずに提供される。メインメニュ・ディスプレイ画面４２０２から、ユーザは、番組一覧表、天気情報、などの一般的な番組ガイド機能にアクセスすることもできる。
【０２８８】
メインメニュ・ディスプレイ画面４２０２は、録画オプション４２０４及び録画予約オプション４２０６を含む。ユーザ・ログイン・ディスプレイ画面４２０８は、ユーザがメインメニュ・ディスプレイ画面４２０２において録画予約オプション４２０６を選択すると、表示される。必要に応じて、ユーザ・ログイン・ディスプレイ画面４２０８は、オーバーレイとして提示されてもよい。ユーザ・ログイン・ディスプレイ画面４２０８は、ログインＩＤオプション４２１０及びデータ入力エリア４２１２を含む。
【０２８９】
特定のユーザ（本例ではＪｅｒｒｙ）が自分の番組ガイドにログインしたとき、個人別録画予約ディスプレイ画面４２１４が表示される。録画予約ディスプレイ画面４２１４は、２００２年１月１８日のＪｅｒｒｙの録画予約リストについてのリスト４２１６と、２００２年１月２０日のＪｅｒｒｙの録画予約リストについてのリスト４２１８とを含む。録画予約ディスプレイ画面４２１２は、双方向広告４２２０を含む。双方向広告を備えた双方向テレビ番組ガイド・システムの一例は、例えば、後述するＫｎｕｄｓｏｎらによって示されている。
【０２９０】
録画を管理する機能は、同様の方法で実現することができる。例えば、ここで図７０を参照すると、ユーザがリモコンのメニュ・ボタンを押すと、メインメニュ・ディスプレイ画面４３０２が表示される。メインメニュ・ディスプレイ画面４３０２は、録画オプション４３０４を含む。ユーザ・ログイン・ディスプレイ画面４３０７は、ユーザが録画オプション４３０４を選択すると、表示される。ユーザ・ログイン・ディスプレイ画面４３０６において、ユーザは、オプション４３０８を用いて自分のログインＩＤを選択し、データ入力エリア４３１０を用いて個人ＩＤコードを入力する。個人別録画済番組ディスプレイ画面４３１２は、ユーザ（本例ではＣａｌｖｉｎ）がディスプレイ画面４３０７を用いてシステムにログインしたときに、表示される。録画済番組ディスプレイ画面４３１２は、Ｃａｌｖｉｎのために録画された番組をリストアップしたリスト４３１４を含む。
【０２９１】
複数の番組ガイド環境下で番組を録画する際に必要なステップの一例を図７１に示す。ここで図７１を参照すると、ステップ４４０２において、ユーザは、自分の番組ガイドにログインすることができる。それぞれが各ユーザに対応した複数の番組ガイドが提供される。これら複数の番組ガイドは、ローカルのユーザ装置（例えば、家庭において世帯員によって用いられるユーザ装置、など）を通じて利用可能であると共に、リモート・サーバなどの遠隔装置を用いても利用可能である。ユーザ装置又はサーバは、ＰＶＲなどのストレージ装置を含む。ユーザは、番組ガイドにログインして、ストレージ装置とやりとりすることができる。ステップ４４０４において、現在自分の番組ガイドにログインしているユーザは、ストレージ装置（例えば、ローカルの録画装置又はサーバ）上に録画される番組を選択することができる。ステップ４４０６において、ユーザ装置は、ユーザが自分の番組ガイドにいる間に録画する番組として選択した番組に基づいて、番組を録画する。複数の番組ガイドを提供する本双方向テレビ・アプリケーションは、ユーザが現在自分の番組ガイドにログインしているか否かに関わらず、ユーザの選択に基づいて番組を録画する。したがって、あるユーザ用の番組ガイドが使用中であっても、別のユーザのために番組が録画される。ステップ４４０６では、ユーザがシステムにログインしたときに新しい情報が反映されるように、録画に関するユーザ固有の情報が更新される。複数のユーザが同じ番組の録画を選択した場合、システムは１コピーのみ録画する。
【０２９２】
複数番組ガイド環境下でユーザに録画する番組を選択できるようにすることは別の技術によっても可能である。例えば、ここで図７２を参照すると、ある湯が自分の番組ガイドにログインし、番組一覧表へのアクセスを選択すると、番組一覧表ディスプレイ画面４５０２が表示される。必要に応じて、番組一覧表ディスプレイ画面４５０２は、現在のユーザ（本例ではＪｅｒｒｙ）を示すテキストを含む。ディスプレイ画面４５０２は、番組一覧表４５１０を含む。現在のユーザは、番組Ａ用のリストなどの番組リスト上にハイライト・ウィンドウ４５０４を動かし、リモコンの録画キーを押すことによって、録画する番組を選択することができる。ユーザが番組Ａの録画を選択したとき、アイコン４５０６は、番組Ａに関連して表示される。このように、アイコン４５０６は、Ｊｅｒｒｙが番組Ａの録画を選択したこと、及び、番組ＡがＪｅｒｒｙの録画予約リストの一部であること、を示す。
【０２９３】
録画される番組を選択する別の技術は、現在のユーザが録画に関連するアクションを取ろうとしたときに、ユーザＩＤを要求することを伴う。例えば、ここで図７３を参照すると、ユーザがある番組に関する情報の取得を選択したときに、番組情報ディスプレイ画面４６０２が表示される。ユーザは、自分の番組ガイドにログインしなくても、情報ディスプレイ画面４６０２にアクセスすることができる。情報ディスプレイ画面４６０２は、ユーザが現在の番組を（例えば、ＰＶＲを用いて）録画させることが可能な録画オプション４６０４を含む。現在のユーザが録画オプション４６０４を選択すると、オーバーレイ４６０６が表示される。オーバーレイ４６０６は、ユーザが自分のログインＩＤを選択するためにスクロールさせることができるＩＤオプション４６０８と、個人ＩＤ番号（ＰＩＮ）を入力するのに用いられるデータ入力エリア４６１０と、ログインするために用いられるＯＫオプション４６１８と、オーバーレイ４６０６をキャンセルする場合に選択されるキャンセル・オプション４６１６と、を含む。
【０２９４】
現在のユーザが適切な情報をオーバーレイ４６０６に入力すると、アイコン４６１２が情報ディスプレイ画面４６０２に表示される。アイコン４６１２は、その番組が録画するものとして選択されたことを示す。ここで、情報ディスプレイ画面４６０２は、ユーザが録画予約をキャンセルする場合に選択する録画キャンセル・オプション４６１４を含む。録画のキャンセルは、ユーザに、ログインＩＤを選択し、ＰＩＮを再度入力することを要求する。
【０２９５】
複数番組ガイド環境において、個々のユーザは手動で録画を消去することができる。録画を消去する際に必要なステップの一例を図７４に示す。ここで図７４を参照すると、ステップ４７０２において、本双方向テレビ・アプリケーションは、録画を１以上のユーザと関連付ける。２以上のユーザが各自のガイド内から同じ番組を録画するものとして選択したとき、２以上のユーザがその録画に関連付けられる。ステップ４７０４において、録画が関連付けられているユーザは、自分の番組ガイドからその録画を削除できる。ステップ４７０６において、録画は、その録画が関連付けられたすべてのユーザが該録画の消去を選択したときに、消去される。ステップ４７０６は、ステップ４７０８を含む。ステップ４７０８において、録画をユーザに関連付ける情報は、ユーザがその録画の消去を選択したときに、消去される。ステップ４７０８は、ユーザと該ユーザが消去しようとする番組との関係を消去する（例えば、そのユーザの録画リストからその録画の番組名を外す）のに用いられる。番組に関する情報は、例えば他のユーザがその番組を録画しようとしている場合、録画自体を実際に消去せずに削除される。
【０２９６】
図７５及び７６は、図７４に示したステップの一例に基づいて提供されるディスプレイ画面のシーケンスの一例を示す。ここで図７５を参照すると、ユーザが自分の番組ガイドにログインしようとすると、ログイン・ディスプレイ画面４８０２が表示される。必要に応じて、ログイン・ディスプレイ画面４８０２は、オーバーレイであってもよい。本例では、ディスプレイ画面４８０２にＴｏｍ及びＪｅｒｒｙとして示された２人のユーザが存在する。Ｊｅｒｒｙがログイン・ディスプレイ画面４８０２を用いて自分の番組ガイドへログインし、自分の録画リストへのアクセスを選択すると、録画ディスプレイ画面４８０４が表示される。Ｔｏｍの録画についての録画ディスプレイ画面４８１０は、Ｔｏｍがログイン・ディスプレイ画面４８０２を用いて自分の番組ガイドへログインし、自分の録画リストへのアクセスを選択すると、表示される。図示するように、Ｊｅｒｒｙ用のディスプレイ画面４８０４のリスト４８０６に含まれる録画は、１番組を除き、Ｔｏｍ用のディスプレイ画面４８１０のリスト４８１２に含まれる録画と異なる。番組「Ｌｉｖｉｎｇ  ｉｎ  Ｐｅａｃｅ」は、両リスト４８０６及び４８１２にリストアップされている。
【０２９７】
番組「Ｌｉｖｉｎｇ  ｉｎ  Ｐｅａｃｅ」についての情報及びオプションを含む情報ディスプレイ画面４８１４は、Ｊｅｒｒｙが録画ディスプレイ画面４８０４において番組「Ｌｉｖｉｎｇ  ｉｎ  Ｐｅａｃｅ」のリスト上にハイライト・ウィンドウ４８０８を動かし、リモコンの「ＯＫ」キーを押すと、表示される。情報ディスプレイ画面４８１４は、消去オプション４８１６を含む。本番組ガイドにより、Ｊｅｒｒｙは、消去オプション４８１６を選択して、録画ディスプレイ画面４８１８に表示される更新された自分の番組リストに戻ることができる。図示するように、番組「Ｌｉｖｉｎｇ  ｉｎ  Ｐｅａｃｅ」についてのリストは、もはやＪｅｒｒｙの録画リスト４８０６には含まれていない。Ｔｏｍの録画についての録画ディスプレイ画面４８２０は、番組「Ｌｉｖｉｎｇ  ｉｎ  Ｐｅａｃｅ」がＪｅｒｒｙによって消去されるものとして選択された後でも、表示される。録画ディスプレイ画面４８２０は、番組「Ｌｉｖｉｎｇ  ｉｎ  Ｐｅａｃｅ」についてのリスト４８２２を依然として含んだＴｏｍの録画のリスト４８１２を含む。このように、１人のユーザは、他のユーザの番組ガイドを変更することなく、自分のガイドから番組の録画を削除することができる。
【０２９８】
図７６は、図７５に示したシーケンスの続きのディスプレイ画面シーケンスの一例を示す。ここで図７６を参照すると、録画ディスプレイ画面４９１８は、図７５の録画ディスプレイ画面４８１８及び４８２０の繰り返しである。Ｔｏｍの録画についてのディスプレイ画面４９２０は、番組「Ｌｉｖｉｎｇ  ｉｎ  Ｐｅａｃｅ」についてのリスト４９２６を含む。番組「Ｌｉｖｉｎｇ  ｉｎ  Ｐｅａｃｅ」についての情報及びオプションを含んだ情報ディスプレイ画面４９２８は、現在のユーザ（Ｔｏｍ）がリスト４９２６を選択すると表示される。情報ディスプレイ画面４９２８は、消去オプション４９３０を含む。消去オプション４９３０が選択されると、番組「Ｌｉｖｉｎｇ  ｉｎ  Ｐｅａｃｅ」の録画及び／又は該番組に関する情報が消去される。番組「Ｌｉｖｉｎｇ  ｉｎ  Ｐｅａｃｅ」に対して消去オプション４９３０が選択されると、本双方向テレビ・アプリケーションは、消去された番組がもはやＴｏｍの録画リストに存在しないことを示す録画ディスプレイ画面４９３２を表示する。
【０２９９】
本双方向テレビ・アプリケーションは、２人の異なるユーザが同じ番組を録画するのに選択した録画設定間の差異を処理する機能を含む。本双方向テレビ・アプリケーションは、両方の設定に基づいて（例えば、各ユーザによってセットされた最も高い設定を用いて）、その番組を録画する。例えば、２人のユーザが異なる前／後バッファ時間を選択した場合、本アプリケーションはこれら２つのうちより長い方を用いる。２人のユーザが異なる録画品質を選択した場合、本アプリケーションは指定された品質の中で最も高いものを選択する。２人のユーザが異なる録画優先度を選択した場合、本アプリケーションは指定された優先度の中で最も高いものを用いる。
【０３００】
したがって、同じユーザ装置を共有する複数のユーザごとに対応した複数の番組ガイドが提供される。
【０３０１】
通知機能は、録画行為に関して設けられる別の機能である。録画コンテンツへの今度の変更について通知を提供する際に必要なステップの一例を図７７に示す。ステップ５００２において、本双方向テレビ・アプリケーションにより、ユーザは、録画する番組を選択することができる。ステップ５００４において、ユーザは、特定の録画についての消去優先度設定を選択することができる。
【０３０２】
ステップ５００６において、本双方向テレビ・アプリケーションは、録画する又は消去する番組を自動的に選択する。記憶されたユーザ・プリファレンス又は他の適切な基準に基づいて、録画される番組が自動的に選択される。録画は、例えば、作成から所定日数が経過したものであるとき又は所定期間視聴されていないものであるとき、自動的に消去される。
【０３０３】
ステップ５００８において、録画コンテンツに対して行われる変更について述べた通知が送られる。例えば、通知は、特定の番組が録画されようとしていること又は消去されようとしていることを述べる。行われる変更は、ステップ５００２、５００４、及び、５００６に基づいて決定される。ステップ５００８は、ステップ５０１０を含む。ステップ５０１０において、番組ガイドが複数ある環境において、通知は、その通知のコンテンツに関係する特定のユーザに送られる。例えば、通知は、自分の番組ガイドを用いて特定の番組を録画するものとして選択したユーザにのみ送られる。これは、一の通知を電子メールを用いて送り、別の通知を番組ガイド・オーバーレイを通じて送ることによって実現できる。他の技術では、ユーザが自身の番組ガイドにログインするまで、そのユーザへ通知を送るのが待機される。ステップ５０１４において、通知の受取人は、その通知に示された変更をキャンセル又は承認できる。
【０３０４】
番組ガイドが複数ある環境において、録画済コンテンツへの変更を通知された各ユーザは、ステップ５０１２において、変更を確認又はキャンセルできる。各ユーザの番組ガイドに関連付けられた情報に、そのユーザがその変更を確認したか或いはキャンセルしたかが反映される。ステップ５０１２は、ステップ５０１４のサブステップである。
【０３０５】
図７８は、図７７に示したステップの一例に基づいて提供されるディスプレイ・シーケンスの一例を示す。ここで図７８を参照すると、情報ディスプレイ画面５１０２は、今度の番組について述べた情報５１０４と、録画オプション５１０６などの関連する番組ガイド・オプションとを含む。今度の番組とは、例えば、約１週間のうちに放送される将来の番組である。録画オプション５１０６が選択されると、その番組に対して録画をセットすることができる。その番組に録画がセットされた場合、その番組の放送が始まる前に、短い時間、映像５１１０又は他のコンテンツ上に通知オーバーレイ５１０８が表示される。通知オーバーレイ５１０８は、選択された番組が録画されようとしていることをユーザに通知するテキストを含む。通知５１０８は、ユーザがその番組の録画の承認又はキャンセルを選択できるように、承認オプション５１１２及びキャンセル・オプション５１１４を含む。映像５１１０は、例えば、録画されることが選択された番組の放送時間前に短い時間放送されるその番組の映像である。
【０３０６】
通知は、番組ガイド・オーバーレイ、又は、電子メール・メッセージ、などの複数の異なる通信技術を用いて送信することができる。通知は、行われるべき特定の変更に関する情報を指定することができる。図７９〜８６は、様々な通知技術の一例である。図７９は、本双方向テレビ・アプリケーションによって生成された映像又はグラフィック５４０４上に表示された通知オーバーレイ５２０２の一例を示す。通知オーバーレイ５２０２は、視聴者に番組ＸＹＺが録画されようとしていることを知らせると共に、番組ＸＹＺが手動で録画するように選択された番組であること（すなわち、その番組は、ユーザによって録画するように具体的に選択されたものであること）を視聴者に知らせるテキスト５２０６を含む。
【０３０７】
図８０は、映像又はグラフィック５３０４上に表示された通知オーバーレイ５３０２を示す。オーバーレイ５３０２は、視聴者に番組ＸＹＺが消去されようとしていることを知らせると共に、番組ＸＹＺは消去優先度設定に基づいて消去されようとしていることを視聴者に知らせるテキスト５３０６を含む。オーバーレイ５３０２は、選択されると番組ＸＹＺの消去が承認される消去承認オプション５３０８と、選択されると番組ＸＹＺの消去がキャンセルされる消去キャンセル・オプション５３１０とを含む。
【０３０８】
図８１は、オーバーレイ５４０２に含まれるテキスト情報が異なるという点を除けば図７９の通知オーバーレイ５２０２と同じ通知オーバーレイ５４０２を示す。図８１のオーバーレイ５４０６のテキスト５４０６は、番組ＸＹＺが録画されようとしていること、及び、番組ＸＹＺは自動的に録画するように選択されたものであること、を通知する。この番組は、例えば、ユーザ・プリファレンスに基づいて、自動的に選択されたものである。ユーザ・プリファレンス機能を備えた双方向テレビ番組ガイド・システムの一例は、例えば、１９９８年３月４日に出願されたＥｌｌｉｓらによる米国特許出願第０９／０３４、９３４号に記載されている。この文献は、その全体が参考文献としてここに組み込まれる。また、上記番組は、監視されていたユーザの視聴行動又は録画行動に基づいて自動的に録画するものとして選択されてもよく、或いは、他の基準に基づいて自動的に選択されてもよい。
【０３０９】
図８２は、オーバーレイ５５０２に含まれるテキスト情報が異なるという点を除けば図８０の通知オーバーレイ５３０２と同じ通知オーバーレイ５５０２を示す。図８２のオーバーレイ５５０２のテキスト５５０６は、番組ＸＹＺが消去されようとしていること、及び、番組ＸＹＺがシステムの自動消去設定に基づいて自動的に消去されるものとして選択されたこと、を通知する。自動消去設定は、例えば、ユーザの制御下にない設定である。自動消去設定は、例えば、番組が録画された日付に基づいて番組を消去するように構成される。他の技術を用いることも可能である。図７８〜８２に例として挙げたような通知は、特定のユーザに対して表示される。番組ガイドが複数ある環境においては、そのユーザがそのとき自分のガイドにログインしているときにされる。そのユーザが現在自分のガイドにログインしていない場合、本双方向テレビ・アプリケーションは、そのユーザが自分のガイドにログインするまで通知を送るのを遅らせる。必要に応じて、本双方向テレビ・アプリケーションは、電子メール通知をそのユーザに送ることによって、そのような遅延を回避してもよい。
【０３１０】
図８３〜８６は、図７９〜８２に示した通知の電子メール版の実例を一例として示したものである。図８３は、受信者情報５６０４、発信者情報５６０６、件名情報フィールド５６１０、メッセージ領域５６０８、及び、リプライ領域５６１２、を含む電子メール５６０２を示す。受信者情報５６０４は、電子メール５６０２の受取人の電子メール・アドレスを示す。この電子メール・アドレスは、番組ガイド・アクティビティに関する電子メール通知を受信するために一世帯によって用いられている代表電子メール・アドレスであってもよく、或いは、世帯内の特定のユーザが自分の番組ガイドに関する電子メールを受信するためにそのユーザによって用意された電子メール・アドレスであってもよい。発信者情報５６０６は、電子メール５６０２を送信した設備のアドレスを示す。件名情報フィールド５６１０は、電子メール５６０２の一般的な性質をユーザに知らせてもよく、或いは、行われようとしているアクティビティについて述べた具体的な情報を提供するものでもよい。メッセージ領域５６０８は、特定の番組が録画されることを受取人に知らせると共に、その番組は手動で録画するように選択されたものであることを受取人に知らせるテキストを含む。必要に応じて、メッセージ領域５６０８は、リプライ領域５６１２を含んでもよい。リプライ領域５６１２は、受取人がその番組の録画の承認又はキャンセルを選択できる双方向電子メール・コンテンツを含む（例えば、特定のインターネット・ウェブページへのリンクが表示される）。必要に応じて、リプライ領域５６１２は、受取人がどのようにすれば示されたアクティビティを承認又はキャンセルできるかの説明を含んでもよい（例えば、録画をキャンセルするためには特定のアドレスに電子メールを送ればよいことを受取人に知らせる）。
【０３１１】
図８４は、電子メールの受取人に特定の番組が消去優先度設定に基づいて消去されることを知らせる電子メール５７０２が送信される、という電子メールを用いた実施形態の一例を示す。電子メール５７０２の内容には、受取人がその消去を承認又はキャンセルするのに用いることができる双方向コンテンツを含むリプライ領域５７０４が含まれる。図８５は、電子メールの受取人にある番組がある時間に録画されること及びその番組は自動的に録画するものとして選択されたことを知らせる電子メール５８０２が送信される、という電子メールを用いた実施形態の一例を示す。電子メール５８０２は、電子メール５８０２に返答するのに用いられるリプライ領域５８０４を含む。リプライ領域５８０４は、その番組の録画を承認又はキャンセルするのに用いられる。図８６は、電子メールの受取人にある番組が自動消去設定に基づいて消去されることを知らせる電子メール５９０２が送信される、という電子メールを用いた実施形態の一例を示す。ユーザがその番組の消去を承認又はキャンセルできるようにする双方向リプライ領域が電子メール５９０２に含まれる。
【０３１２】
番組ガイドが１つ又は複数ある環境において、本双方向テレビ・アプリケーションは、ＰＶＲから利用可能な番組の総合リストを維持する。例えば、ここで図８７を参照すると、ステップ６００２において、その時点でＰＶＲ上に記憶されている番組の総合リストは、ユーザ装置上で生成・記憶されてもよく、或いは、リモート・サーバ上で生成・記憶されてもよい。この総合リストは、その時点でのユーザの１以上の録画リストに含まれている番組を含む。録画は、手動で録画されたものも、自動的に録画されたものも、この総合リストに含まれる。ステップ６００４において、ユーザが消去したが依然としてＰＶＲから利用可能である番組は、総合リスト上に保持される。ステップ６００４は、ステップ６００２のサブステップである。必要に応じて、消去され、もはや利用可能でない番組が、該リストに含まれてもよい。
【０３１３】
ステップ６００６において、本双方向テレビ・アプリケーションは、自動的に又は手動で録画されるものとして選択された番組が既に総合リスト上に存在する場合、その番組を録画しない。必要に応じて、ステップ６００８において、ユーザが該リストを編集できるようにしてもよい。例えば、ユーザに、不快な題材を含む番組を永久に削除する機会が提供されてもよい。別の例として、ユーザが、過去に録画、視聴、及び、消去した番組を該リストから削除し、その番組の別のコピーが録画され、視聴されるようにしてもよい。
【０３１４】
ＰＶＲ又は一体型ＰＶＲ−ＩＰＧは、様々なプラットフォームからのコンテンツをまとめることができる。例えば、ＰＶＲは、テレビ放送、ペイ・パー・ビュー、ビデオ・オン・デマンド、インターネット、ラジオ、マルチメディア装置（例えば、ビデオ、スチールカメラなど）、パーソナル・コンピュータ、などからのコンテンツを記憶することができる。このコンテンツは、１以上の同じ基準に基づいて集められる。視聴は、番組ガイドなどのあらゆる適切な双方向テレビ・アプリケーションにより、そのコンテンツを利用することができる。コンテンツをまとめる双方向テレビ番組ガイドの一例は、例えば、２００１年４月１０日に出願されたＷａｌｋｅｒらによる米国特許出願第０９／８２９、８５６号に記載されている。この文献は、その全体が参考文献としてここに組み込まれる。
【０３１５】
ＰＶＲは、リモート・アクセス及び／又は遠隔制御することができる。ＰＶＲ又は一体型ＰＶＲ−ＩＰＧは、ＰＶＲの制御を可能にするために、及び／又は、ＰＶＲからのコンテンツへの他の装置からのアクセスを可能にするために、有線又は無線のネットワークなどのあらゆる適切な接続を通じて、他のＰＶＲ（又は、一体型ＰＶＲ−ＩＰＧ）などの他の装置に接続される。他の装置とは、例えば、ウェブ電話、パーソナル・ディジタル・アシスタンス、双方向ページャ、ｅｂｏｏｋ、などである。リモート・アクセスを提供する双方向テレビ番組ガイドの一例は、例えば、１９９９年７月１６日に出願されたＥｌｌｉｓらによる米国特許出願第０９／３５４、３４４号に記載されている。この文献は、その全体が参考文献としてここに組み込まれる。
【０３１６】
広告などのプロモーションを、ユーザに提示されるために、ＰＶＲ上に記憶することができる。このような記憶された広告は、テレビ視聴者が見る放送中の広告に関連している。例えば、ここで図８８を参照すると、ステップ６１０２において、ライブ・ビデオ広告（例えば、ローカル局のブレーク中に放送される広告）は、ユーザへの提示のために受信されるか、及び／又は、ユーザに提示される。ステップ６１０４において、ローカルに記憶された、ライブの広告に関連する広告が、ユーザに提示される。この記憶された広告は、ユーザ・プリファレンスに基づいて自動的に選択・表示されてもよく、或いは、ユーザの選択に基づいて選択・表示されてもよい。ステップ６１０６において、ユーザに提示されようとしているライブ・ビデオ広告は、特定の録画済ビデオ広告と置き換えられる。この録画済ビデオ広告は、ユーザ情報に基づいて自動的に選択・表示される。
【０３１７】
例えば、ここで図８９を参照すると、映像６２０４は、自動車広告のライブ映像６２０２を延長する又は差し替えるために用いられる。自動車メーカの広告を含むライブ映像６２０２は、局のブレーク中に表示される。そのメーカによって製造されたある自動車のモデルについての広告を提示する映像６２０４が、映像６２０２の提示後に、ローカルのＰＶＲからユーザに表示される。この記憶された広告は、ユーザ・プリファレンスに基づいて、選択・提示される。この記憶された広告は、複数の異なる広告の中から選択されたものである。
【０３１８】
必要に応じて、ユーザが、現在の広告のライブ映像６２０２の続きを見ることができるようにしてもよい。本双方向テレビ・アプリケーションは、ライブ映像６２０２上にオーバーレイ６２０６を表示する。このオーバーレイ６２０６により、ユーザは、現在の広告続きを見ることができる。現在の広告の続きである関連広告映像６２０４は、ユーザが現在の広告の続きを見ることをオーバーレイ６２０６から選択したときに、表示される。別の手法として、本双方向テレビ・アプリケーションが、現在のライブ広告をＰＶＲからの録画済広告映像６２０４と差し替えてもよい。この録画済広告は、現在のライブ広告と関連するものであり、ユーザ情報に基づいて選択・表示される。必要に応じて、ＰＶＲは、映像６２０４がユーザに表示されているとき、ライブのテレビ・コンテンツを一時停止させてもよい。
【０３１９】
ＰＶＲ上に記憶されたビデオ広告を、ユーザが番組ガイドに入ったときに、ユーザに対して提示することもできる。図９０は、番組ガイドにビデオ広告を表示する際に必要なステップの一例を示す。ここで図９０を参照すると、ステップ６３０２において、ビデオ広告が、後で本双方向テレビ・アプリケーションにおいて提示されるために、ＰＶＲなどの録画装置上に記憶される。このビデオ広告は、ユーザ装置が使用されている可能性が高くないオフタイム中にロードされてもよく、或いは、他の適切な手法を用いてロードされてもよい。ステップ６３０４において、ユーザの番組ガイド利用中にステップ６３０２において記憶された広告が表示される。
【０３２０】
図９１は、ビデオ広告を提示する２つの異なるシーケンスの例を示す。ここで図９１を参照すると、本双方向テレビ・アプリケーションは、ビデオ広告６４０４及び双方向グラフィック広告６４０６を含む番組一覧表ディスプレイ画面６４０２を表示する。ビデオ広告６４０４は、ＰＶＲを用いて提示されている広告映像の縮小版を含む。映像６４１２は、ユーザがビデオ広告６４０４を選択すると、表示される。映像６４１２は、ビデオ広告６４０４をフルスクリーンで表示する。
【０３２１】
双方向グラフィック広告６４０６は、特定の広告を提示するために本双方向テレビ・アプリケーションによって生成されたグラフィックである。双方向グラフィック広告を含む双方向テレビ番組ガイドの一例は、例えば、１９９８年３月４日に出願されたＫｎｕｄｓｏｎらによる米国特許出願第０９／０３４、９３９号に記載されている。この文献は、その全体が参考文献としてここに組み込まれる。ユーザがグラフィック広告６４０６を選択すると、グラフィック広告６４０６に関連するビデオ広告を提示する映像６４０８が表示される。必要に応じて、ユーザに該広告に関する更なるやりとりを可能にする「関連オプション」オーバーレイ６４１０が、映像６４０８上に表示されてもよい。
【０３２２】
ユーザが番組ガイドに入ると、記憶されている広告が表示される。例えば、ここで図９２を参照すると、ＰＶＲ上に記憶された広告を提示する映像６５０４は、映像６５０２を見ているユーザがリモコンのガイド・ボタンを押したときに、表示される。広告の映像６５０４が終わると、メインメニュ・ディスプレイ画面６５０６が表示される。必要に応じて、映像６５０４に、テキスト、グラフィックス、双方向オプション、又は、他の映像が追加されてもよい。
【０３２３】
このようなビデオ広告は、ローカルのＰＶＲからだけでなく、クライアント／サーバ・ベースの番組ガイド・システムにおいて利用可能なリモート・ストレージ装置などのリモート・ストレージ装置からも利用可能である。クライアント／サーバ・ベースの番組ガイド・システムの一例は、例えば、上述のＥｌｌｉｓらによる米国特許出願第０９／３３２、２４４号に記載されている。リモートに記憶された広告は、要求があれば、カルーセルの一部として、連続的に、又は、これらの組み合わせで、送信される。
【０３２４】
ユーザが利用できる双方向サービスを強化するためのバッファ管理手法がテレビ番組に対して実行される。現在のユーザの行動に基づいて新しいバッファを作成するバッファ管理手法が実現される。例えば、ここで図９３を参照すると、ステップ６６０２において、ＰＶＲを含むユーザ装置が用意される。また、このＰＶＲは、リモート・サーバにも基づく。ステップ６６０４において、現在のユーザが新しいチャンネル又は新しい番組を見るとき、新しいストレート・バッファがＰＶＲ上に作成される。
【０３２５】
新しいバッファが作成されると、本双方向テレビ・アプリケーションは、ＰＶＲ上のストレージ・スペースの一部をそのバッファに割り当てる。必要に応じて、ステップ６６０６において、本双方向テレビ・アプリケーションが、バッファ・サイズとして、その番組のサイズを保持するのに適切なサイズを割り当ててもよい。必要に応じて、バッファ・サイズを、バッファされている番組に合わせて徐々に増やしてもよい。ステップ６６０８において、現在合わせられている番組又はチャンネルからの映像及び／又は音声は、そのチャンネル又は番組に最初に合わせられたときに作成されたバッファに記憶される。明確且つ簡単に言うと、バッファされたテレビ・コンテンツは、ここでは主として映像と呼ぶ。バッファされたテレビ・コンテンツは、映像のみならず、音声、グラフィックス、データ、及び、他のマテリアルも含み得る。
【０３２６】
ここで図９４を参照すると、第一の番組の映像６７０４を見るためにユーザが最初に第一のチャンネルに合わせたとき、第一のバッファ６７０２が作成される。第一のバッファ６７０２には、第一の番組の残りを保持するのに適切なサイズ（例えば、５０分）が割り当てられる。第二の番組の映像６７０８を見るためにユーザが第二のチャンネルに合わせたとき、第二のバッファ６７０６が作成される。第二のチャンネルは、例えば、ユーザが第一の番組を１０分間見た後で合わせられたものとする。第一のバッファ６７０２において示された斜線領域６７１０は、第一の番組が視聴された１０分間にバッファされた部分を示す。第二の番組が最後まで視聴され、ユーザは次の番組を視聴するために同じチャンネルに留まったものとする。における斜線６７１６は、第二のバッファ６７０６がユーザによって視聴された第二の番組の一部を保持することを示す。第二の番組終了後に第三の番組の映像６７１４が始まると、第三のバッファ６７１２が作成される。第三のバッファ６７１２には、第三の番組の長さを保持するのに適切なサイズが割り当てられる。
【０３２７】
ＰＶＲ上のストレージ・スペースは、様々な方法で、バッファに選択・割当される。例えば、ここで図９５を参照すると、本双方向テレビ・アプリケーションは、ステップ６８０２において、新しいバッファ（例えば、ストレート・バッファ）の作成を促される。ステップ６８０４において、現存するバッファに割り当てられない又は録画に割り当てられないストレージ・スペースが、新しいバッファを作成するのに割り当てられる。必要に応じて、ステップ６８０６において、１以上の現存するバッファ（例えば、現存する最も古いバッファ）が、新しいバッファ用の空きを作るために消去されてもよい。ステップ６８０８において、消去された１以上のバッファからのスペースは、新しいバッファを作成するのに割り当てられる。新しいバッファにスペースを割り当てると現存するバッファが消去されるかもしれないので、ステップ６８０６及び６８０８は同時に実行されてもよい。必要に応じて、ステップ６８１０において、現存するバッファの一部（例えば、最も古いバッファの最も古い部分）が、新しいバッファ用の空きを作るために消去されてもよい。ステップ６８１２において、この消去された部分からのスペースは、新しいバッファに割り当てられる。ステップ６８１０及び６８１２は、新しく作成されたバッファのサイズを増やすために繰り返される。例えば、場合によっては、新しいバッファには、当初、固定長が割り当てられ、その後長さが増加されてもよい。
【０３２８】
必要に応じて、同じ番組に関する別々のバッファが１つのバッファに結合されてもよい。このようなバッファを結合する際に必要なステップの一例を図９６に示す。ここで図９６を参照すると、ステップ６９０２において、ユーザが現在のチャンネルを変えたとき、新しいバッファが作成される。ステップ６９０４において、別々のバッファが同じ番組からの映像を含むとき、それら別々のバッファが結合される。別の実施例として、バッファが既に存在する番組をユーザが再び見始めたときには、本双方向テレビ・アプリケーションは新しいバッファを作成しない。本双方向テレビ・アプリケーションは、その番組を単に現存するバッファに記憶する。
【０３２９】
図９７は、図９６に示したステップに基づいて提供されるバッファリング・シーケンスの一例を示す。ここで図９７を参照すると、ユーザが第一のチャンネル上の第一の番組の映像７００４を見るために現在のチャンネルを変えると、第一のバッファ７００２が作成される。ユーザが第二のチャンネル上の映像７００８を見るためにチャンネルを変えると、第二のバッファ７００６が作成される。ユーザが第一の番組を１０分間見た後、チャンネルを変えたものとする。第一のバッファ７００２によってバッファされた１０分間の映像７００４を斜線領域７０１０で表す。第二の番組の映像７００８を最後まで見た後、ユーザが第一のチャンネルに戻り、第一の番組の映像７００２を見たものとする。第一のバッファ７００２の斜線領域７０１２は、ユーザが再び第一の番組を見始めて以降にバッファされた第一の番組の映像７００４を表す。このように、ユーザが最近見た番組を再び見始めたときにバッファされる映像は、ユーザが最初にその番組を見たときにバッファされたものと結合される。第一のバッファ７００２のライン７０１４は、斜線領域７０１２のバッファされた映像が第一のバッファ７００２に加えられた点をマークしたものである。必要に応じて、第一のバッファ７００２は、ユーザが現在の番組から離れていた時間の長さに相当するギャップをライン７０１４において含む。
【０３３０】
同じ番組に対するバッファは、様々な方法で結合させることができる。例えば、ここで図９８を参照すると、ステップ７１０２において、本双方向テレビ・アプリケーションは、同じ番組の別々に視聴された又は合わせられた部分をバッファする。例えば、１つの番組の２つの別々の部分は、ユーザが特定の番組を見ているときに一旦チャンネルを変え、再度その番組に戻ってきたときに、バッファされる。ステップ７１０４において、その番組のバッファされた各部分を連結する。連結されたバッファは、バッファされたビデオに中断期間が存在することを示すインジケータを何ら含まない。必要に応じて、ステップ７１０６において、バッファされた各部分は、これら各部分の間に空白映像又は他のコンテンツを挿入することによって、結合されてもよい。ステップ７１０６は、ステップ７１０８を含む。ステップ７１０８において、本双方向テレビ・アプリケーションは、１番組の映像中のギャップの長さに相当する空白映像、記憶されている広告、又は、他のコンテンツ、を別々にバッファされた部分間に挿入する。必要に応じて、（空白映像、テキスト、又は、グラフィックなどの）短いコンテンツが、該コンテンツの表示時間の長さの表示と共にギャップ間へ挿入されてもよい。
【０３３１】
図９９は、図９８に示したステップに基づいて実行される３つの映像提示シーケンスの一例を示す。各シーケンスは、番組の隣り合わない部分についてのバッファされた映像がどのようにしてユーザに提示されるかについて対処するものである。ユーザは、バッファから番組を巻き戻すことができる。ユーザが特定の番組の最初にバッファされた部分へ該番組を巻き戻した後でその番組を再生するように選択すると、映像７２０２がユーザに提示される。最初にバッファされた部分が終わると、空白映像７２０４が表示される。また、ＰＶＲ上に記憶された広告などの他のコンテンツが用いられてもよい。空白映像７２０４は、バッファ内の中断部分を埋めるために挿入される。その番組の二番目にバッファされた部分を含む映像７２０６は、空白映像７２０４が所定期間（例えば、これら２つの部分間の番組ギャップの長さに等しい時間）表示される。
【０３３２】
図９９に示した次のシーケンスにおいて、本双方向テレビ・アプリケーションは、最初にバッファされた部分の映像７２０２が終わると、バッファされた映像部分の中断部分の存在をユーザに知らせるテキスト７２０８を表示する。テキスト７２０８は、空白映像上に提示されてもよく、或いは、グラフィックの一部として提示されてもよい。テキスト７２０８は、短時間だけ表示されてもよく、或いは、番組間のギャップに相当する期間、表示されてもよい。図９９に示す最後のシーケンスにおいて、番組の二番目にバッファされた部分の映像７２１０は、最初にバッファされた部分の映像７２１２に続けてすぐに表示される（例えば、これらの部分は連結される）。この場合、映像７２１０及び７２１２の双方は、バッファ内の中断部分についてユーザに知らせる空白映像又はテキストを表示せずに、表示される。
【０３３３】
番組バッファ内のギャップは、番組を並列的にバッファすることによって回避できる。ここで図１００を参照すると、ステップ７３０２において、ユーザは、チャンネルを変えて、異なる番組を見ることができる。ステップ７３０４において、複数のチューナに２つの番組を同時にバッファさせることによって、番組は並列的にバッファされる。複数のチューナは、ユーザのローカル・ユーザ装置の一部として実現できる。必要に応じて、複数のチューナのうちの１つ以上がリモートで実現されてもよい。ステップ７３０６において、現在のユーザが異なるチャンネル上で異なる番組を見ている間、本双方向テレビ・アプリケーションは、ストレージ装置（例えば、ＰＶＲ）上に１番組を録画できる。複数のチューナが実現されると、この同時視聴／録画機能が提供される。また、これら複数のチューナにより、本双方向テレビ・アプリケーションは、２つの番組を同時に録画することができる。加えて、この実施例では、ユーザが、例えば、２つの番組間でチャンネルを切り替え、チャンネル変更時に番組の見逃した部分を見るために巻き戻しを行うことによって、２以上の番組を同時に見ることができる。
【０３３４】
図１０１は、図１００に示したステップに基づいて提供される映像シーケンス及びバッファ管理イベントの一例を示す。ユーザが第一のチャンネルで放送中の第一の番組の映像７４０４を見るためにチャンネルを変えると、第一の番組用に第一のバッファ７４０２が作成される。ユーザが第二の番組の映像７４０８を見るためにチャンネルを変えると、第二の番組用に第二のバッファ７４０６が作成される。第一のバッファ７４０２の斜線領域７４１０は、ユーザがチャンネルを変える前にバッファされた映像７４０４を表す。第二の番組を１０分間見た後、ユーザが、チャンネルを第一のチャンネルに変え、第一の番組に戻り、第一の番組のバッファされた映像を巻き戻すために巻き戻しキーを押したものとする。ユーザが第二のチャンネルを見ていた間、ユーザが見逃した第一の番組の一部分は、バッファされている。２つのチューナを用いて、双方の番組をバッファする。第一のバッファ７４０２の斜線領域７４１２は、本双方向テレビ・アプリケーションが、ユーザのチャンネル変更後も第一の番組のバッファを継続していることを示す。このように、ユーザが第一の番組に戻り、第一の番組を巻き戻すと、第一の番組の見逃した部分を含む映像７４１０がユーザに提示される。
【０３３５】
ユーザは、現在のバッファをバッファの先頭まで巻き戻したとき、追加的バッファ・コンテンツにアクセスすることができる。バッファの先頭は、その番組について最も初期に録画されたコンテンツを参照する。例えば、ここで図１０２を参照すると、ステップ７５０２において、ユーザは、ある番組の映像をその番組用に作成されたバッファを用いて、巻き戻すことができる。ステップ７５０４において、ユーザがバッファ先頭まで巻き戻すとき、その巻き戻しを停止し、その番組を自動的に再生させてもよい。この点において、ユーザは、現在のバッファの先頭から再度巻き戻すことを選択できる。これに応じて、本双方向テレビ・アプリケーションは、前の番組の終わりへスキップし、前の番組をその番組の終わりから巻き戻す。前の番組とは、ユーザが以前に見た番組である。別の例として、前の番組は、本システムによって以前に録画されたが、ユーザがまだ見ていない番組である。
【０３３６】
あるいは、代替的に、ステップ７５０８において、本双方向テレビ・アプリケーションは、ユーザが現在の番組をその番組のバッファ先頭まで巻き戻した後、再び巻き戻しを選択したときに、前の番組の先頭にスキップし、その番組の再生を始めてもよい。
【０３３７】
番組バッファから利用可能な番組間を移動する際、この移動は番組バッファが作成された年代順に基づく。
【０３３８】
図１０３は、図１０２に示したステップに基づいて提供される映像提示シーケンスの一例を示す。ここで図１０３を参照すると、ユーザが現在の番組の巻き戻しを選択すると、巻き戻している番組の映像７６０２が表示される。ユーザが現在の番組を該現在の番組のバッファの先頭まで巻き戻すと、本双方向テレビ・アプリケーションは、巻き戻しを停止し、現在の番組の映像７６０４を再生する。ユーザが現在の番組又はバッファの先頭から再び巻き戻すことを選択した場合、本双方向テレビ・アプリケーションは、巻き戻している前の番組の映像７６０６を表示する。あるいは、代替的に、本双方向テレビ・アプリケーションは、前の番組の映像７６０８を、該前の番組のバッファの先頭から、再生してもよい。
【０３３９】
ユーザは、バッファされている番組を早送りすることができる。ここで図１０４を参照すると、ステップ７７０２において、ユーザは、バッファされている番組の映像を早送りすることができる。ステップ７７０４において、ユーザが早送りすると選択した番組の映像は、その番組の終わり又はその番組のバッファの終わりに到達したとき、自動的に停止する。あるいは、代替的に、ステップ７７０６において、番組を早送りしたことによってその番組の終わり又はその番組のバッファの終わりに到達したとき、本双方向テレビ・アプリケーションは、次の番組のバッファを用いて該次の番組の再生を始める。別の代替例として、最初の番組の終わりに到達したときに、次の番組の映像が早送りされてもよい。ここで述べた早送り及び巻き戻しの手法は、前の番組、現在の番組、又は、次の番組のバッファが、番組全体を含んでおらず、その一部しか含んでいない場合であっても適用できる。
【０３４０】
図１０５は、図１０４のステップに基づいて提供される、ビデオを提示するため双方向シーケンスの一例を示す。図示したように、映像７８０２は、ユーザの選択に基づいて早送り再生中の現在の番組の映像を含む。現在の番組用の番組バッファは、映像７８０２を提示するために用いられる。現在の番組の終わりに到達すると、本双方向テレビ・アプリケーションは、映像７８０２の再生を停止する。映像７８０２が停止させられると、現合わせられているチャンネルからの映像７８０４又は停止された番組からの制止フレームが表示される。あるいは、代替的に、現在の番組の終わりに到達すると、次の番組の映像を含む映像７８０６が表示されてもよい。映像７８０６は、バッファから提示される映像である。映像７８０６は、早送り再生される。
【０３４１】
ユーザは、バッファされた番組映像を見ているときに前方スキップすることができる。例えば、ここで図１０６を参照すると、ステップ７９０２において、番組バッファからプ再生中の番組を見ているユーザは、次の番組まで前方スキップすることができる。ステップ７９０４において、ユーザが前方スキップを選択すると、本双方向テレビ・アプリケーションは、次の番組の先頭までスキップする。同様に、ユーザは、番組バッファ間で後方スキップすることもできる。ここで図１０７を参照すると、映像８００２は、現在の番組の番組バッファから提示されているその番組の映像を含む。ユーザが前方スキップを選択すると、現在の番組の映像８００２を越えて、バッファ・スペースの次の番組の映像８００４が表示される。
【０３４２】
バッファされた番組は、録画の一部として保存することができる。図１０８は、現在の番組を録画する際に必要なステップの一例を示す。例えば、ここで図１０８を参照すると、ステップ８１０２において、ユーザが見ている現在の番組がバッファされる。ステップ８１０４において、ユーザは、現在の番組の録画を選択することができる。ステップ８１０６において、現在の番組は、現在放送中の映像及びその番組について放送予定の映像を録画すると共に、録画済でバッファから利用可能なその番組の映像を録画の一部として保存することによって、録画することができる。
【０３４３】
図１０９は、図１０８のステップに基づいて提供される現在の番組を録画するイベント・シーケンスの一例を示す。ここで図１０９を参照すると、ユーザがチャンネルの変更を選択し、チャンネル５上で見ていた番組から離れたときに、チャンネル２上の現在の番組の映像を含む映像８２０２が表示されたものとする。ユーザがチャンネルをチャンネル２に変えても、チャンネル５上のその番組用のバッファは存続する。しばらくの間映像８２０２を見た後で、ユーザが、チャンネル５に戻ることを決心したものとする。ユーザがチャンネルを再びチャンネル５に変えると、チャンネル５上の番組の現在の映像を含む映像８２０４が表示される。
【０３４４】
ユーザがチャンネル５上の現在の番組の録画を選択すると、オーバーレイ８２０６が表示される。ユーザは、チャンネル５上の番組の映像８２０４を見ているときにリモコンの録画キーを押すことによって、その番組の録画を選択することができる。オーバーレイ８２０６は、チャンネル５上の現在の番組が録画中であること、及び、この番組の録画はその番組の以前に見た部分を含むこと、をユーザに知らせる。チューナが複数個ある環境においては、その録画は、以前に見た部分と、（例えば、ユーザが別の番組を見るためにチャンネルを変えたので）ユーザが見逃した部分とを双方含むことができる。必要に応じて、オーバーレイ８２０６の情報は、チューナが複数個ある環境において録画される追加的コンテンツを反映してもよい。
【０３４５】
バッファされた番組は、その番組が終わった後であっても、録画として保存できる。図１１０は、バッファされた番組を録画として保存する際に必要なステップの一例を示す。ここで図１１０を参照すると、本双方向テレビ・アプリケーションは、番組終了後、その番組のバッファを保持する。ステップ８３０４において、ユーザに、その番組を録画として保存する機会を与える。ステップ８３０６において、その番組は、バッファから、録画として保存される。
【０３４６】
図１１１は、図１１０に示したステップに基づいて提示されるディスプレイ画面シーケンスの一例を示す。ユーザが番組ガイドの適切なディスプレイ画面（例えば、メインメニュ・ディスプレイ画面）からバッファ一覧表オプションを選択すると、番組バッファ・ディスプレイ画面８４０２が表示される。番組バッファ・ディスプレイ画面８４０２は、バッファから現在利用可能である番組を示す一覧表８４０４を含む。
【０３４７】
ユーザが一覧表８４０４からドキュメンタリのリスト８４０６を選択すると、情報ディスプレイ画面８４０８が表示される。情報ディスプレイ画面８４０８は、ドキュメンタリに関する情報と、録画オプション８４１０などの番組関連オプションとを含む。録画オプション８４１０が選択されると、ドキュメンタリの番組バッファが録画として保存される。ユーザが、後に、現在利用可能な録画一覧表にアクセスすると、録画ディスプレイ画面８４１６が表示される。録画ディスプレイ画面８４１６の一覧表８４１２は、ユーザが録画として保存することを選択したバッファされた番組（ドキュメンタリ）のリスト８４１４を含む。必要に応じて、番組バッファ・ディスプレイ画面８４０２のリスト８４０４が、特定の番組がどのくらいバッファされているかを示してもよい。必要に応じて、番組バッファ・ディスプレイ画面８４０２の一覧表８４０４が、ユーザがある番組をバッファから録画すると選択したときに、その番組のリスト８４０６を削除するように修正されてもよい。バッファ・メモリは番組録画メモリに転換される。すなわち、番組は番組録画メモリにコピーされる。
【０３４８】
終了した番組の録画の別の例として、本ガイドにより、ユーザが、上述のように、前の番組まで巻き戻し又は後方スキップできるようにしてもよい。前の番組を見ている間、ユーザは、リモコンの情報キーを押して番組情報スクリーン８４０８を表示させること、或いは、リモコンの録画キーを押してバッファから番組を録画すること、ができる。
【０３４９】
番組をバッファするのに用いられるストレージ・スペースのサイズは、手動でセットできてもよく、自動的にセットされてもよい。例えば、ここで図１１２を参照すると、ステップ８５０２において、ＰＶＲなどのストレージ装置が、ユーザのローカル装置の一部として用意される。ステップ８５０４において、ストレージ装置上のストレージ・スペースの一部（又は、全部）が、テレビ・コンテンツをバッファすることに割り当てられる。ステップ８５０４は、チューナが１つの環境にも複数個の環境にも適用できる。ステップ８５０４において、バッファ・スペースのサイズは、本システムがシステム・オペレータによって設定されるときに自動的にセットされてもよく、或いは、ユーザによって手動でセットされてもよい。バッファ・スペース・サイズの自動設定の一例として、番組バッファ用のすべての空きストレージ・スペースが自動的に用いられてもよい。必要に応じて、バッファ・スペースの最小サイズが、たとえそれにより録画できる番組量が減る場合であっても、自動的に割り当てられるようにしてもよい。
【０３５０】
ここで図１１３を参照すると、ユーザが、メインメニュ・ディスプレイ画面又はＰＶＲセットアップ・ディスプレイ画面などの適切なディスプレイ画面からバッファ・セットアップ・オプションを選択すると、バッファ設定ディスプレイ画面８６０２が表示される。バッファ設定ディスプレイ画面８６０２は、バッファ・スペース・オプション８６０４を含む。ユーザは、このオプションを用いて、バッファ作成に割り当てられるトータルのストレージ・スペースを選択することができる。また、バッファ設定ディスプレイ画面８６０２は、同時にアクティブであるバッファの最大数を選択するのに用いられるバッファ・オプション８６０６と、固定した又は最大のバッファ・サイズを指定するのに用いられるバッファ・サイズ・オプション８６０８と、バッファが消去される時期（例えば、毎日、毎週、毎月、等）を選択するオプション８６１０と、を含む。必要に応じて、新しいバッファのためにスペースが必要なときは古いバッファから消去されるとき、バッファが消去される時期を選択するオプションはなくてもよい。各バッファのバッファ・サイズは、固定サイズにセットされてもよく、番組サイズに基づいて自動的にセットされてもよく、或いは、他の適切な手法を用いてセットされてもよい。
【０３５１】
ユーザが本双方向テレビ・アプリケーションとやりとりしているとき、ＰＶＲなどの録画装置を用いて、テレビ・コンテンツが自動的に一時停止される。テレビ・コンテンツを一時停止するのに必要なステップの一例を図１１４に示す。ここで図１１４を参照すると、ステップ８７０２において、番組又はコマーシャルの映像などのテレビ・コンテンツがユーザに提示される。このテレビ・コンテンツは、現在放送中のコンテンツであってもよく、以前に録画されたコンテンツであってもよく、或いは、バッファから再生中のコンテンツであってもよい。ステップ８７０４において、ユーザには、本双方向テレビ・アプリケーションとやりとりする機会が与えられる。この双方向テレビ・アプリケーションは、例えば、テレビ・システム上で実現され、ユーザに双方向サービスを提供する双方向テレビ・アプリケーションである。ステップ８７０６において、ユーザが本双方向テレビ・アプリケーションとのやりとりを始めると、ユーザが見ている現在のテレビ・コンテンツが自動的に一時停止される。この現在のテレビ・コンテンツは、ライブのテレビ・コンテンツであってもよく、或いは、ユーザが視聴中の録画済番組やＶＯＤ番組などの他のテレビ・コンテンツでもよい。ユーザは、例えばリモコンのボタンを押すことによって、本双方向テレビ・アプリケーションとのやりとりを開始することができる。ステップ８７０８において、ユーザが本双方向テレビ・アプリケーションから出ると、テレビ・コンテンツの表示が再開される。テレビ・コンテンツは、自動的に一時停止したところから再開される。
【０３５２】
図１１５〜１２０は、図１１４示すステップに基づいて提供される映像及びディスプレイ画面シーケンスの一例を示す。ここで図１１５を参照すると、ユーザがリモコンのガイド・ボタンを選択して番組ガイドに入り、番組一覧表ディスプレイ画面８８０４を表示させると、ユーザが現在見ているテレビ番組の映像８８０２が自動的に一時停止される。番組一覧表ディスプレイ画面８８０４は、リストを見つけるためにスクロール可能な一覧表８８０６を含む。必要に応じて、ユーザは、番組一覧表ディスプレイ画面８８０４が表示された後、他のディスプレイ画面を表示させるために更なる行動を取ってもよい。ユーザが本番組ガイドに入る前に見ていたテレビ番組の映像８８０８は、それが一時停止されたところから再開される。ユーザが本番組ガイドから出ると、テレビ番組が再開される。このように、ＰＶＲなどの録画装置を用いて、ユーザが本双方向テレビ・アプリケーションとやりとりしているときに、コンテンツを自動的に一時停止することができる。
【０３５３】
ここで図１１６を参照すると、ユーザが情報ボタンなどのリモコン・ボタンを選択して広告情報ディスプレイ画面８９０４を表示させたとき、ユーザが現在見ているテレビ・コマーシャルの映像８９０２が自動的に一時停止される。広告情報ディスプレイ画面８９０４は、ユーザが見ていたコマーシャルに関する情報を含む。ユーザは、映像８９０６へ戻る前に、ディスプレイ画面８９０４とやりとりすることができ、更に本双方向テレビ・アプリケーションの他の機能を使うこともできる。映像８９０６は、広告情報ディスプレイ画面８９０４が表示されたとき、ユーザが見ていたコマーシャル映像を含む。映像８９０６は、本双方向テレビ・アプリケーションを用いて情報ディスプレイ画面８９０４が表示されたところからそのコマーシャルの再生を再開する。
【０３５４】
ここで図１１７を参照すると、例えばユーザがテレビ・コマーシャルの映像９００２を見ている間にリモコンの情報キーを押すと、双方向広告ディスプレイ画面９００４が表示される。双方向広告ディスプレイ画面９００４は、ユーザが見ていたテレビ・コマーシャルに関連する情報９００８と、該広告に関連する選択可能なオプションとを含む。双方向広告ディスプレイ画面９００４は、ユーザが見ていたテレビ・コマーシャルの再生を、該コマーシャルの縮小版映像９００６を用いて、継続する。ユーザが双方向広告ディスプレイ画面９００４を出ると、映像９０１０が表示され、双方向広告ディスプレイ画面９００４が表示されたところから該コマーシャルをフルスクリーンで再開する。この映像は、より前の時点から再開されてもよい。なぜなら、ユーザは、双方向広告ディスプレイ画面９００４とやりとりしているとき、該映像に十分な注意を向けていない可能性があるからである。
【０３５５】
ここで図１１８を参照すると、ユーザが、特定のリモコン・ボタンを押して、自分は現在どの録画を利用可能であるかを見るとき、録画ディスプレイ画面９１０４が表示される。ユーザが、現在のテレビ番組の映像９１０２を見ている間に、録画ディスプレイ画面９１０４を見ることを選択したものとする。録画ディスプレイ画面９１０４は、見るためにユーザがユーザがいつを選択したかを見る予定であった番組の測定されたビデオ９１０６を含み得るスクリーン９１０４を表示する。録画ディスプレイ画面９１０４は、ユーザがディスプレイ画面９１０４を見ることを選択したときに見ていた番組の縮小版映像９１０６を含む。録画ディスプレイ画面９１０４は、現在そのユーザが再生可能な録画を示す一覧表９１０８を含む。ユーザが録画ディスプレイ画面９１０８を出ると、映像９１１０が表示される。映像９１１０は、ユーザが見ていた、ディスプレイ画面９１０４が表示されたところで一時停止されたテレビ番組の映像である。ユーザは、リモコンのキーを押し、テレビ番組を再生させることができる。
【０３５６】
ここで図１１９を参照すると、ユーザがあるテレビ番組の映像９２０２を見ている間に番組ガイドに入ることを選択すると、ローカルに記憶されたビデオ・コマーシャルの映像９２０４が表示される。ユーザが本番組ガイドから出ると、そのテレビ番組の映像９２０６が、映像９２０２の提示が映像９２０４の表示によって停止されたところから自動的に再開される。図１２０は、映像９３０２が、自動的に一時停止され、ユーザが本番組ガイドを出たときに映像９３０６を表示することによって後で再開されるテレビ・コマーシャルの映像であるという点を除いて、図１１９に示したシーケンスと同じシーケンスの一例を示す。
【０３５７】
ユーザは、そのテレビ・コンテンツを、それが自動的に一時停止されたところから再開するか、又は、現在の位置から再開するか、を選べる。例えば、ここで図１２１を参照すると、ユーザが本番組ガイドを入ったところからテレビ・コンテンツが再開されるべきであるか否かをリクエストするオーバーレイ又はディスプレイ画面９４０２が表示される。オーバーレイ又はディスプレイ画面９４０２は、承認オプション９４０４及びキャンセル・オプション９４０６を含む。ユーザがキャンセル・オプション９４０６を選択すると、テレビ・コンテンツの映像９４０８の現在の位置（例えば、ライブのテレビ）が表示される。承認オプション９４０４が選択されると、ユーザが本番組ガイドに入ったところからテレビ・コンテンツが再開される。
【０３５８】
番組が一時停止されたとき、映像又は他の記憶されたコンテンツを表示することもできる。例えば、ここで図１２２を参照すると、ユーザが、提示されている番組の映像９４２０の一時停止を選択したものとする。その番組が一時停止されたとき、録画済番組又は他のコンテンツ９４２２が（例えば、ＰＶＲから）表示される。録画済映像又は他のコンテンツ９４２２は、フルスクリーン・タイプの表示として表示される。必要であれば、録画済コンテンツ又は他のコンテンツ９４２６は、ユーザが現在の番組の一時停止を選択したときに、一時停止された映像９４２４上に表示されてもよい。録画済コンテンツ又は他のコンテンツ９４２６は、例えば、オーバーレイとして表示される。録画済映像は、ビデオ広告でもよく、他の映像コンテンツでもよい。静止コンテンツ、アニメーション、静止画像、などの他のコンテンツも表示できる。
【０３５９】
ユーザは、録画、リマインダ、又は、録画要求を別のユーザ（例えば、同じ世帯の別のユーザや、他の世帯の他のユーザ）に送信することができる。例えば、図１２３を参照すると、ユーザがある番組に関する情報の受信を選択すると、情報ディスプレイ画面９４４０が表示される。情報ディスプレイ画面は、これから放送される番組に関するものでもよく、既に放送され、録画（少なくとも部分的に録画）された番組に関するものでもよい。情報ディスプレイ画面９４４０は、送信オプション９４４２含む。送信オプション９４４２が選択されると、送信ディスプレイ画面９４４６が表示される。送信ディスプレイ画面９４４６により、ユーザには、録画、リマインダ、又は、番組の録画要求を別のユーザに送信する機会が与えられる。送信ディスプレイ画面９４４６により、ユーザは、関連する録画を有する番組について情報ディスプレイ画面９４４０が表示されたとき、その録画を送信することができる。送信ディスプレイ画面９４４６により、ユーザは、これから放送される番組について情報ディスプレイ画面９４４６が表示されたときに、リマインダ又は録画要求を送信することができる。送信ディスプレイ画面９４４６は、情報ディスプレイ画面９４４０が表示された特定の番組に対して具体的に表示される。送信ディスプレイ画面９４４６は、ユーザが録画、リマインダ、又は録画要求の宛先の受取人の名前又はアドレスを入力できるデータ入力エリア９４４８を含む。送信オプション９４５０は、ユーザが特定のユーザに録画、リマインダ、又は、録画要求を送信することを選択した送信ディスプレイ画面９４４６に含まれる。必要に応じて、送信ディスプレイ画面９４４６は、ユーザが用いられるメッセージ送信技術（例えば、電子メール・メッセージ）を選択できるようにするオプションを含んでもよい。
【０３６０】
図１２４は、特定のユーザへの電子メール９４６０を示す。この電子メール９４６０は、電子メール９４６０の件名の番組が録画かこれから放送される番組かに応じて、添付された録画、これから放送される番組についてのリマインダ、又は、これから放送される番組についての録画要求、を該ユーザに提供する。電子メール９４６０は、インターネットなどのワイド・エリア・ネットワークを用いて送信される。図１２５は、ユーザがガイド内からアクセスしたメッセージ一覧表ディスプレイ画面９４６２を示す。メッセージ一覧表ディスプレイ画面９４６２は、現在のユーザのために受信されたメッセージのリストを提供する。リスト９４６２は、送信者ＸＹＺからの録画が現在のユーザのために受信されたことを示す。リスト９４６６は、現在のユーザが送信者ＸＹＺから特定の番組についてリマインダを受信したことを示す。リスト９４６８は、現在のユーザが送信者ＸＹＺから特定の番組の録画要求を受信したことを示す。現在のユーザは、各リストを選択して、そのメッセージに関連する追加的情報を見ることができる。図１２６は、現在のユーザへ送信されてきたリマインダ又は録画要求について現在のユーザに知らせるために表示されるオーバーレイ９４７０を示す。オーバーレイ９４７０は、そのリマインダ又は録画リクエストに関連してユーザが特定の行動を取れるようにする関連オプション９４７２を含む。関連オプション９４７２により、ユーザは、オーバーレイ９４７０を選択し、その件名となっている番組を録画又は視聴することができる。必要に応じて、本双方向テレビ・アプリケーションは、メッセージのコンテンツを自動的に処理してもよい。例えば録画が受信されると、その録画が受信者であるユーザが利用可能な録画リストに加えるようにしてもよい。リマインダを受信すると、本双方向テレビ・アプリケーションが、リマインダをローカルにセットしてもよい。録画要求を受信すると、本双方向テレビ・アプリケーションが、その番組のローカルでの録画を自動的に予約してもよい。テレビ・メッセージング・システムの一例は、例えば、１９９９年７月１６日に出願されたＭｃＫｉｓｓｉｃｋらによる米国特許出願第０９／３５６、２４５号に記載されている。この文献は、その全体が参考文献としてここに組み込まれる。必要に応じて、上述のように、ＰＶＲを持つユーザにコピー・プロテクト・スキームが提供されてもよい。ユーザ装置上で表示可能な番組又は他のコンテンツがコピープロテクトされる。番組又は他のコンテンツと関連付けられたコピープロテクト情報は、コピー・プロテクト・スキームをサポートするユーザ装置に提供される。ユーザが権限無く番組又は他のコンテンツをコピーすることを防止するのにコピープロテクト情報を用いるコピー・プロテクト・スキームを実現可能である。例えば、本双方向テレビ・アプリケーションは、番組がコピープロテクトされたものであるとき、その番組がＰＶＲに録画されるのを防止することができる。番組の録画は、その録画を予約できないようにすることによって防止されてもよい。録画するように選択された特定の番組又は他のコンテンツが著作権保護のために録画できないことを視聴者に知らせるグラフィック（例えば、オーバーレイ、又は、ディスプレイ画面）が表示されてもよい。ＭＰＥＧ−４規格を用いれば、著作権保護に関する情報と共に番組を送信することができる。このようなアクティビティをサポートする他の規格が用いられてもよい。
【０３６１】
上述のように、ＰＶＲは、ユーザ・プリファレンスに基づいて番組を自動的に録画することができる。他の推論エンジンが、ユーザの人口統計（ｄｅｍｏｇｒａｐｈｉｃｓ）やキーワード検索（上述）などの銃オブジェクト法を用いて、自動的に録画する番組を選択してもよい。人口統計を用いる双方向テレビ番組ガイドの一例は、例えば、１９９８年８月２５日に出願されたＫｎｅｅらによる米国特許出願第０９／１３９、７７７号に記載されている。この文献は、その全体が参考文献としてここに組み込まれる。番組は、ユーザがシステムに入力したキーワードに基づいて、自動的に録画されてもよい。
【０３６２】
必要に応じて、上述のように、予約の重複を解決するためのメカニズムをサポートする重複解決スキームが視聴者に提供されてもよい。本双方向テレビ・アプリケーションは、ユーザが予約の重複を解決するためにユーザが用いることができるオプション、設定条件、又は、プロンプト、を提示することができる。ユーザが本双方向テレビ・アプリケーションとやりとりし、各重複が発生したときにそれを解決できるようにすることによって、重複は解消される。また、本双方向テレビ・アプリケーションは、ユーザが重複解決スキームをセットできるようにしてもよい（例えば、シリーズ録画などの１種類の録画を優先することによって予約重複を解決するように本双方向テレビ・アプリケーションを設定する）。
【０３６３】
上述のように、パーソナルビデオレコーダ、及び、他のディジタル録画装置は、ハードディスクなどのディジタル媒体上にテレビ番組を録画する。このような装置が記憶できる番組の量は、ストレージ媒体の容量によって制限される。典型的なユニットであれば、最大レベルで圧縮して、３０時間の映像番組を記憶できるであろう。
【０３６４】
今日のシステムは、実質的にリアルタイムであるＭＰＥＧ−２などのディジタル映像圧縮方法を用いる。信号が受信されると、入ってきた音声／映像番組は、ディジタル化され、圧縮され、そして、記憶される。ＭＰＥＧ−４などのより高効率の圧縮方法も利用可能である。しかしながら、これらの方法は更に計算集約的である。幅広く展開されるほど十分に安いハードウェアは、より高効率な圧縮方法を用いて（例えば、ＭＰＥＧ−４規格を用いて使う）リアルタイムに映像を圧縮することはできない。
【０３６５】
ディジタル映像録画機に関連する計算タスクは、一般的に、過剰ではない。このような装置のプロセッサは、通常、利用可能な予備のプロセッサ・サイクルを有する。これら予備のサイクルは、記憶された音声／映像番組をより高効率に圧縮するのに用いることができる。
【０３６６】
例えば、本システムは、既存の他のシステムと同じように、ＭＰＥＧ−２規格を用いて番組を録画することができる。しかしながら、バックグラウンドにおいて、番組を記憶し、管理し、検索するのに必要でないプロセッサ・サイクルを用いると、プロセッサは、前に記憶された番組をスキャンして、それらをより高効率の形式に圧縮することができる。番組をＭＰＥＧ−４などのより高効率な形式に圧縮した後、より低効率のバージョンを消去すれば、更なる番組のためのストレージ・スペースを空けることができる。
【０３６７】
また、番組は、複数のパスで圧縮されてもよい。例えば、１つのパスは通った音声／映像ファイルを１つの方法で削減し、別のパスを通ったものを更に削減する、ようにできる。例えば、各パスは、特定のタイプの冗長を除去する。各圧縮パスが完了すると、前のバージョンは消去される。
【０３６８】
ユーザ、ネットワーク・オペレータ、又は、プログラマが、一般的に又は特定の番組に対してどのタイプの圧縮が許容されるかについてのパラメータを設定できるようにしてもよい。例えば、特定の「損失の多い」タイプの圧縮は、任意とすることができる。また、より損失が多いタイプの圧縮を、例えば、より長い期間保管されている番組用に、又は、既に視聴された番組用に、確保しておいてもよい。
【０３６９】
この技術の利点は、同じストレージ量に記憶される番組時間をより多くできることである。例えば、現在進行中のほとんどの又はすべての番組は最も効率的でない形式で記憶され、最近録画された番組はより高効率な形式で記憶され、より長い期間記憶されている番組は最も高効率な形式で記憶される、ようにしてもよい。
【０３７０】
また、ＭＰＥＧ−４などのより進化した圧縮規格は、新しい機能を可能にする。例えば、ＭＰＥＧ−４は、映像中のオブジェクトを明確に提示することを可能にする。ウェブ・アドレスやコマース・アプリケーションを、これらオブジェクトの１つと連結させることができる。ＭＰＥＧ−４は、知的財産の管理をサポートする。これら新しい機能は、元よりＭＰＥＧ−４規格で放送された番組に限定してもよく、或いは、受信した情報をＭＰＥＧ−４に変換することによって他の形式に提供されてもよい。
【０３７１】
必要に応じて、フロッピー（登録商標）ディスクや光ディスクなどのコンピュータ可読媒体を用いて、ＰＶＲ及び／又はＩＰＧ機能を提供する双方向テレビ・アプリケーションを実現する機械実行可能コードを記憶してもよい。必要に応じて、図１〜２Ｃで述べた装置などの装置が、ここに例として記載した機能、オプション、又は、手法を提供するように構成されてもよい。
【０３７２】
このように、機能強化されたＰＶＲ及び双方向テレビ・アプリケーション機能を提供する双方向テレビ・システム及び方法が提供される。当業者には明らかなように、本発明は、記載された以外の実施形態によっても実現可能である。記載された実施形態は、説明のためのものであり、限定するものではない。本発明は、以下の請求項によってのみ制限される。
【符号の説明】
【０３７３】
１００  双方向テレビ番組ガイド・システム
１０２  主設備
１１０  分配設備
１２２  ユーザ装置
１０６、１１６  データベース
１０４、１１２  サーバ
６２、１０８、１１４、１２０  通信パス
１１７  ストレージ
１１８  ワイド・エリア・ネットワーク
１２４  映像取扱可能装置
【図１】
2014064317.tif 000003
【図２Ａ】
2014064317.tif 000004
【図２Ｂ】
2014064317.tif 000005
【図２Ｃ】
2014064317.tif 000006
【図３】
2014064317.tif 000007
【図４】
2014064317.tif 000008
【図５】
2014064317.tif 000009
【図６】
2014064317.tif 000010
【図７】
2014064317.tif 000011
【図８】
2014064317.tif 000012
【図９】
2014064317.tif 000013
【図１０】
2014064317.tif 000014
【図１１】
2014064317.tif 000015
【図１２】
2014064317.tif 000016
【図１３】
2014064317.tif 000017
【図１４】
2014064317.tif 000018
【図１５】
2014064317.tif 000019
【図１６】
2014064317.tif 000020
【図１７】
2014064317.tif 000021
【図１８】
2014064317.tif 000022
【図１９】
2014064317.tif 000023
【図２０】
2014064317.tif 000024
【図２１】
2014064317.tif 000025
【図２２】
2014064317.tif 000026
【図２３】
2014064317.tif 000027
【図２４】
2014064317.tif 000028
【図２５】
2014064317.tif 000029
【図２６】
2014064317.tif 000030
【図２７】
2014064317.tif 000031
【図２８】
2014064317.tif 000032
【図２９】
2014064317.tif 000033
【図３０】
2014064317.tif 000034
【図３１】
2014064317.tif 000035
【図３２】
2014064317.tif 000036
【図３３】
2014064317.tif 000037
【図３４】
2014064317.tif 000038
【図３５】
2014064317.tif 000039
【図３６】
2014064317.tif 000040
【図３７】
2014064317.tif 000041
【図３８】
2014064317.tif 000042
【図３９】
2014064317.tif 000043
【図４０】
2014064317.tif 000044
【図４１】
2014064317.tif 000045
【図４２】
2014064317.tif 000046
【図４３】
2014064317.tif 000047
【図４４】
2014064317.tif 000048
【図４５】
2014064317.tif 000049
【図４６】
2014064317.tif 000050
【図４７】
2014064317.tif 000051
【図４８】
2014064317.tif 000052
【図４９】
2014064317.tif 000053
【図５０】
2014064317.tif 000054
【図５１】
2014064317.tif 000055
【図５２】
2014064317.tif 000056
【図５３】
2014064317.tif 000057
【図５４】
2014064317.tif 000058
【図５５Ａ】
2014064317.tif 000059
【図５５Ｂ】
2014064317.tif 000060
【図５６】
2014064317.tif 000061
【図５７】
2014064317.tif 000062
【図５８】
2014064317.tif 000063
【図５９】
2014064317.tif 000064
【図６０】
2014064317.tif 000065
【図６１】
2014064317.tif 000066
【図６２】
2014064317.tif 000067
【図６３】
2014064317.tif 000068
【図６４】
2014064317.tif 000069
【図６５】
2014064317.tif 000070
【図６６】
2014064317.tif 000071
【図６７】
2014064317.tif 000072
【図６８】
2014064317.tif 000073
【図６９】
2014064317.tif 000074
【図７０】
2014064317.tif 000075
【図７１】
2014064317.tif 000076
【図７２】
2014064317.tif 000077
【図７３】
2014064317.tif 000078
【図７４】
2014064317.tif 000079
【図７５】
2014064317.tif 000080
【図７６】
2014064317.tif 000081
【図７７】
2014064317.tif 000082
【図７８】
2014064317.tif 000083
【図７９】
2014064317.tif 000084
【図８０】
2014064317.tif 000085
【図８１】
2014064317.tif 000086
【図８２】
2014064317.tif 000087
【図８３】
2014064317.tif 000088
【図８４】
2014064317.tif 000089
【図８５】
2014064317.tif 000090
【図８６】
2014064317.tif 000091
【図８７】
2014064317.tif 000092
【図８８】
2014064317.tif 000093
【図８９】
2014064317.tif 000094
【図９０】
2014064317.tif 000095
【図９１】
2014064317.tif 000096
【図９２】
2014064317.tif 000097
【図９３】
2014064317.tif 000098
【図９４】
2014064317.tif 000099
【図９５】
2014064317.tif 000100
【図９６】
2014064317.tif 000101
【図９７】
2014064317.tif 000102
【図９８】
2014064317.tif 000103
【図９９】
2014064317.tif 000104
【図１００】
2014064317.tif 000105
【図１０１】
2014064317.tif 000106
【図１０２】
2014064317.tif 000107
【図１０３】
2014064317.tif 000108
【図１０４】
2014064317.tif 000109
【図１０５】
2014064317.tif 000110
【図１０６】
2014064317.tif 000111
【図１０７】
2014064317.tif 000112
【図１０８】
2014064317.tif 000113
【図１０９】
2014064317.tif 000114
【図１１０】
2014064317.tif 000115
【図１１１】
2014064317.tif 000116
【図１１２】
2014064317.tif 000117
【図１１３】
2014064317.tif 000118
【図１１４】
2014064317.tif 000119
【図１１５】
2014064317.tif 000120
【図１１６】
2014064317.tif 000121
【図１１７】
2014064317.tif 000122
【図１１８】
2014064317.tif 000123
【図１１９】
2014064317.tif 000124
【図１２０】
2014064317.tif 000125
【図１２１】
2014064317.tif 000126
【図１２２】
2014064317.tif 000127
【図１２３】
2014064317.tif 000128
【図１２４】
2014064317.tif 000129
【図１２５】
2014064317.tif 000130
【図１２６】
2014064317.tif 000131